(57)【要約】  本発明は、異なる時間および異なる周波数に対応する複数の画像を取得する非侵襲的な光学撮像のための装置および技術に関する。また、本発明は、熱傷や他の創傷のような組織の状態の存在および重症度を評価することを含む、組織を分類する様々な用途に使用される。
2019502418.tif 000002
【特許請求の範囲】
【請求項１】
組織を分類するためのシステムであって、
複数の発光エミッタ（光源）と、光検出要素と、これらと通信する１以上のプロセッサとを有し、
前記複数の発光エミッタが、第１の組織領域および第２の組織領域を照射するために、複数の波長の光を順次放出するよう構成され、該複数の発光エミッタのそれぞれが空間的に均一な光を放出するよう構成され、該複数の波長の光が、第１の波長領域内または第２の波長領域内にあり、第１の波長領域が第２の波長領域と不連続かつ第２の波長領域よりも低いこと、
前記光検出要素が、第１の組織領域または第２の組織領域の少なくとも一部から、前記複数の発光エミッタから放出されて該第１の組織領域または第２の組織領域の一部から反射された光を収集するよう構成されていること、ならびに
前記１以上のプロセッサが、
前記複数の波長の光のそれぞれを順次放出するように前記複数の発光エミッタを制御し、
前記光検出要素から、前記複数の波長で順次放出されて前記第１の組織領域の一部から反射された光を示す複数の信号の第１のサブセットと、前記複数の波長で順次放出されて前記第２の組織領域の一部から反射された光を示す複数の信号の第２のサブセットとを有する、複数の信号を受信し、
前記複数の信号にマルチスペクトル撮像処理を適用し、
前記マルチスペクトル撮像処理に少なくとも一部基づいて、前記第１の組織領域の一部と前記第２の組織領域の一部の組織の差を特定し、かつ
前記組織の差に少なくとも一部基づいて、前記第１の組織領域の一部と前記第２の組織領域の一部を分類するよう構成されていること
を特徴とするシステム。
【請求項２】
光ファイバープローブをさらに含み、前記光検出要素が該光ファイバープローブの第１のファイバーを含み、前記複数の発光エミッタが該光ファイバープローブのさらなる複数のファイバーを含む、請求項１に記載の組織分類システム。
【請求項３】
前記第１のファイバーが画像センサーまたは分光計とデータ通信し、前記さらなる複数のファイバーが光源からの複数の波長の光を受光する、請求項２に記載の組織分類システム。
【請求項４】
照射されている第１の組織領域および第２の組織領域からの周囲光を遮蔽するよう配置されたシールドをさらに含む、請求項１に記載の組織分類システム。
【請求項５】
前記第１の波長領域が４００ｎｍ〜５００ｎｍであり、前記第２の波長領域が７２０ｎｍ〜１０００ｎｍである、請求項１に記載の組織分類システム。
【請求項６】
前記複数の信号の前記第１のサブセットが第１の時系列における複数の異なる時点に対応し、前記複数の信号の前記第２のサブセットが第２の時系列における複数の異なる時点に対応する、請求項１に記載の組織分類システム。
【請求項７】
前記１以上のプロセッサが、前記複数の信号にフォトプレチスモグラフィ処理を適用することによって前記第１の組織領域の一部および第２の組織領域の一部の血液灌流を算出するよう構成されている、請求項６に記載の組織分類システム。
【請求項８】
前記１以上のプロセッサが、さらに前記血液灌流に少なくとも一部基づいて、前記第１の組織領域の一部と前記第２の組織領域の一部を分類するよう構成されている、請求項７に記載の組織分類システム。
【請求項９】
前記１以上のプロセッサが、前記第１の組織領域を健康な皮膚として分類し、前記第２の組織領域を熱傷として分類する、請求項１に記載の組織分類システム。
【請求項１０】
前記第１の波長領域が４５０ｎｍ〜５２５ｎｍであり、前記第２の波長領域が７００ｎｍ〜９２５ｎｍである、請求項９に記載の組織分類システム。
【請求項１１】
前記１以上のプロセッサが、前記第１の組織領域を切除された皮膚として分類し、前記第２の組織領域を熱傷として分類する、請求項１に記載の組織分類システム。
【請求項１２】
前記第１の波長領域が４００ｎｍ〜４５０ｎｍまたは５２５ｎｍ〜５８０ｎｍであり、前記第２の波長領域が６１０ｎｍ〜１０５０ｎｍである、請求項１１に記載の組織分類システム。
【請求項１３】
組織を分類する方法であって、１以上のプロセッサによって
第１の組織領域および第２の組織領域を照射するために、それぞれが空間的に均一な光を放出するよう構成された複数の光源を、第２の波長領域よりも低く第２の波長領域と不連続な第１の波長領域内または第２の波長領域内にある複数の波長の光が順次放出されるよう制御すること、
光検出要素を介して、第１の組織領域および第２の組織領域それぞれの少なくとも一部から、第１の組織領域の一部または第２の組織領域の一部から反射された複数の光の波長のうち１つをそれぞれ示す複数の信号を受信すること、
前記複数の信号にマルチスペクトル撮像処理を適用することによって、前記第１の組織領域の一部と前記第２の組織領域の一部の組織の差を特定すること、ならびに
前記組織の差に少なくとも一部基づいて、前記第１の組織領域の一部と前記第２の組織領域の一部を分類すること
を含む方法。
【請求項１４】
前記第１の波長領域が４００ｎｍ〜５００ｎｍであり、前記第２の波長領域が７２０ｎｍ〜１０００ｎｍである、請求項１３に記載の組織分類方法。
【請求項１５】
光ファイバープローブが前記複数の光源および前記光検出要素を含む、請求項１３に記載の組織分類方法。
【請求項１６】
前記第１の組織領域が健康な皮膚を含み、前記第２の組織領域が熱傷を含み、前記第２の組織領域の一部を分類することが、熱傷の程度を特定することを含む、請求項１３に記載の組織分類方法。
【請求項１７】
前記１以上のプロセッサが、前記熱傷の程度に基づいて、該熱傷を囲む領域で必要とされる切除の回数を特定するようさらに構成されている、請求項１６に記載の組織分類方法。
【請求項１８】
前記第１の組織領域が切除された組織を含み、前記第２の組織領域が熱傷を含み、前記第２の組織領域の一部を分類することが、熱傷の程度を特定することを含む、請求項１３に記載の組織分類方法。
【請求項１９】
前記１以上のプロセッサが、前記熱傷の程度に基づいて、該熱傷を囲む領域で必要とされるさらなる切除の回数を特定するようさらに構成されている、請求項１８に記載の組織分類方法。
【請求項２０】
前記複数の信号にフォトプレチスモグラフィ処理を適用することによって前記第１の組織領域の一部および第２の組織領域の一部の血液灌流を算出することをさらに含む、請求項１３に記載の組織分類方法。
【請求項２１】
前記第１の組織領域の一部と前記第２の組織領域の一部を分類することが、さらに前記血液灌流に少なくとも一部基づくものである、請求項２０に記載の組織分類方法。
【発明の詳細な説明】
【技術分野】
【０００１】
連邦政府の支援による研究開発に関する報告
本開示に記載された研究のいくつかは、米国保健福祉省の事前準備対応次官補局内にある生物医学先端研究開発局の認可の下、米国政府による助成（契約番号ＨＨＳＯ１００２０１３０００２２Ｃ）を受けて行われた。米国政府は、本発明について一定の権利を有しうる。
【０００２】
本明細書に開示されたシステムおよび方法は、非侵襲的臨床撮像に関し、より具体的には、皮下の血流の非侵襲的撮像、拡散反射分光法、およびコンピュータ利用診断に関する。
【背景技術】
【０００３】
光学撮像は、診察室、病室、あるいは手術室等における疾患の予防、診断、および治療を改善するものとして期待される新しい技術である。光学撮像技術によれば、軟組織を非侵襲的に識別することができ、自然の組織と、内生のあるいは外来の造影剤によって標識された組織とを、異なる波長においてそれらの組織の光子の吸収散乱プロファイルが異なることを利用して識別することができる。光子の吸収および散乱にそのような差異があることによって、特定の組織にコントラストをつけてその機能や分子レベルでの活性を調べ、健常および疾患を判断する根拠とすることができるかもしれない。
【発明の概要】
【発明が解決しようとする課題】
【０００４】
熱傷評価のための組織分類
本明細書に記載される本発明の態様のいくつかは、光学撮像を用いて組織を分類するために使用することのできる装置および方法に関する。傷ついた組織を分類することのできる非侵襲的撮像技術、特に、創傷の重症度評価による迅速なトリアージを容易にし、治療開始前、治療中、および／または治療後に、治癒の進行を監視できる技術が、長年にわたり必要とされてきた。そのような必要性の一例として、日常的な熱傷のケアおよび／または集団的な熱傷のケアにおいて、トリアージを行って重症度を評価するために使用することのできる、より良い撮像技術に対する要望が挙げられる。
【０００５】
集団的な熱傷のケアの例に関して、より良い撮像技術の必要性を説明するために、以下を考慮されたい。現在、米国における熱傷の専門家はわずか２５０人、熱傷用のベッドは全米で１８００床に過ぎない。そしてこのような熱傷用の設備は、現在９５％の稼働率で使用されている。熱傷患者の数が急激に増えれば、熱傷専門家による手当ての必要な患者を直ちに特定し、優先することが必要となる。さらに、大惨事の発生ともなれば、熱傷の専門家ではない内科医が患者のニーズに対処することも必要となる。例えば、原子力による緊急事態、森林火災、または大規模な花火事故等の際には、熱傷の治療を必要とする患者の数は突如として急激に増加しうる。現在の技術レベルでは、熱傷の専門家であっても熱傷を評価することは困難であり、またその評価は主観的な性質を有するため、熱傷の専門家および専門家でない内科医のいずれもが、緊急の処置および／または熱傷専門家によるケアを必要とする患者を速やかに特定または分類できるような装置の必要性は明白である。大規模災害のシナリオによれば、１００００人もの患者が熱傷のケアを必要とする可能性がある。米国内の専門外科医の数および熱傷センターの数は限定的であるため、そのような事故の際に、専門家ではない医療従事者が迅速かつ広範に使用することのできる熱傷治療が、公衆衛生上必要とされている。また、当該分野では、熱傷以外についても、損傷組織と非損傷組織とを迅速に分類して鑑別することのできる方法および装置が必要とされている。
【０００６】
標準的な熱傷ケアは、熱傷の深さを推定するための目視と触診から始まる。熱傷を深さによって分類した後、効果的な治療計画が立てられる。通常、表皮熱傷および全層熱傷は、所見に基づき直ちに分類できる。しかし、中間層熱傷の「浅達性」または「深達性」への分類は、遅れることが多い。この遅れは、中間層熱傷が時間をかけて進行するまで、皮膚の損傷の範囲を完全には可視化できないことによる。
【０００７】
中間層熱傷の深さを迅速かつ正確に分類することは重要であるが、これにはいくつかの理由がある。第一に、浅達性中間層熱傷と深達性中間層熱傷では治療プロトコルが大きく異なる。浅達性中間層熱傷は局所的に軟膏を使用するだけでよく、７〜２１日間で自然に治癒するが、深達性中間層熱傷は外科的に切除し、恵皮部からの自家植皮を行う必要がある。第二に、傷跡および細菌の定着を最小限に抑えるためには、外科的介入の必要性の有無をできるだけ早く見極めることが重要である。中間層熱傷の分類に関連して介入が遅れると、感染症、代謝異常、および臓器不全のリスクが増すことが示されている。さらに、切除の遅れによって熱傷の進行が増すわけではないことが、最近になって示されている。最後に、熱傷が複数領域に存在することは一般的であり、異なる深さの熱傷が混在する場合が多い。熱傷の領域全体に最適な治療を施すためには、複雑な熱傷の切除と移植において、専門家による計画と注意深くかつ特異的な切除が必要とされる。
【０００８】
米国の病院における熱傷の専門家はわずか２５０人、熱傷用ベッドは１８００床（稼働率９５％）に過ぎず、熱傷ケアの資源は乏しい。したがって、熱傷患者のケアの最前線は非専門家であることが多く、熱傷治療の経験を欠いているために、治療の遅れや最適でない治療につながり合併症の率を高めている。現状において、熱傷深さの臨床診断の正確さは、専門家による場合が７０〜８０％とみなされており、非専門家の場合は６０％に過ぎない。
【０００９】
熱傷深さの評価を改善する可能性の最も高い手段としては、蛍光染料、高周波数超音波、核磁気共鳴撮像（ＭＲＩ）、写真撮影、サーモグラフィー、レーザードップラー撮像（ＬＤＩ）等が挙げられる。レーザードップラー撮像は、熱傷ベッドにおける診断を含むものとして米国食品医薬品局の許可を受けた唯一の技術である。この技術は非侵襲的であり、傷の評価に有効であることが示されており、現時点で熱傷の専門家に利用可能な技術となっている。しかしながら、利用可能であるにもかかわらず、主として大規模な熱傷センターにおける消極的な使用にとどまっている。該診断には大きな不都合（傷が完全にむき出しであることおよび患者が動かず静止状態を保つことが必要とされ、かつ受傷から４８時間の遅れが生じる）のあることが知られており、結果として臨床の場での有用性は低くなっている。結果が得られるまでにかかる時間も長い。サーモグラフィーも、ＬＤＩと同様に非侵襲かつ非接触であるが、患者は恒温室内で１５分間、温度が平衡に達するまで待つ必要があり、現在のところ熱傷の深さを分類する方法として適切とはされていない。熱傷の評価におけるカラー写真の使用も困難である場合が多いが、これは、写真が提供するのはヒトの目で認識できるものに過ぎず、熱傷専門の外科医による画像の解釈が必要となることによる。インドシアニングリーン（ＩＤＣ）のような血管内染料は、組織内の血流に関する情報を提供するものである。この技術は、熱傷における研究が行われており、熱傷において血液灌流の多い領域または少ない領域を特定するために使用できる。この技術は侵襲的であり、画像を得ようとする度に染料の注入が必要とされ、外科的処置によっては所望する画像の数に応じて複数回の注入が必要となることもあり、費用も時間もかかる。
【００１０】
見込みのある別の手段として注目に値するマルチスペクトル撮像（ＭＳＩ）は、熱傷の表面からの可視光および近赤外光の選択波長の反射率を測定するものである。組織には様々な種類があり、光との相互作用の仕方がそれぞれ異なる組織成分の特有の組み合わせから構成されている。このような光と組織との相互作用によって特有の反射シグネチャーが生じ、それをＭＳＩが捕捉することで、熱傷の重症度分類における使用が可能となる。ＭＳＩでは、患者の多少の動きは許容され、局所軟膏や包帯を通して組織を評価することができる。これらの特性から、ＭＳＩは魅力のある手段となっている。
【００１１】
ＭＳＩは、臨床環境において過去に試験されており、まず１９７７年にＡｎｓｅｌｍｏらによって、後の１９８８年にはＡｆｒｏｍｉｔｚらによって結果が出されている。これらの実験では、種々の熱傷深さの分類には成功したが、それぞれの結果が得られるまでに数日から数週間の時間を要した。ここ数十年間における撮像技術およびコンピュータ処理能力の向上によって、ＭＳＩ技術は、患者の診察や手術の一部として日常的に利用できるものとなった。
【００１２】
ＭＳＩ技術の精度は、臨床装置において使用すべき有用な波長の特定に依存する。本発明では、ＭＳＩの能力を試験するためにブタの熱傷モデルを使用し、様々な波長を用いて、当初の創傷部位および外科的壊死組織除去術（熱傷切除術としても知られている）の過程における中間層熱傷について調べた。選択された波長は、皮膚組織の主要な構成要素（血液、メラニン、水、脂肪、および細胞外マトリックス（ＥＣＭ））の吸収ピークに相当するものであり、本明細書の「理論」のセクションで説明されるように、先の臨床的研究によって熱傷を分類できることが示唆されるものであった。各波長の臨床的有用性は、同じサンプルの病理組織学的な評価によって検証された。
【００１３】
光学撮像技術は、組織の表面または表面近傍を非接触かつ迅速に評価する方法を提供する。組織における血液灌流の研究は、光学的方法の使用により達成できる。これは、血液中のヘモグロビンが、組織における顕著な光学的吸収源であることによる。皮下組織および表面組織に存在する、血液によって運搬されるこれらの発色団は、周囲の組織とコントラストをなす光学的パラメータ（主として吸収性）を有している。組織内の血液灌流に関する時間変化信号、すなわちフォトプレチスモグラフ（ＰＰＧ）信号は、組織内の血流の特殊な性質によって生じる。血管を通って組織内を流れる、ヘモグロビンを運搬する細胞を含む血液は、心周期ごとに容積の周期的な変化を示す。この血液容積の動的変化を、相対的血液灌流、心臓機能、および末梢血管の健康状態を含む、組織の健康状態の評価に使用することができる。このスペクトル光学撮像技術、すなわちＰＰＧ撮像により、組織の表面を通って流れる血液灌流を監視する能力が提供される。
【００１４】
非接触の反射率モードＰＰＧ撮像は、潅流された組織からの後方散乱光を解析することによって達成される。光が組織に入射すると、その光の一部は組織内で散乱し、血中の発色団と相互作用し、その後、組織表面を通って散乱する。経時的観察を行うと、このような光と組織との相互作用は、組織から反射される光全体の約１〜２％にあたる弱いＡＣ変調をきたす。この後方散乱光の小さいＡＣ信号を解析することにより、動脈循環の位置、相対的血液容積、および相対的血液濃度に関する情報を得ることができる。この情報から生成される画像により、組織の血流および脈拍数の変化を含む病理を評価する方法が提供されるが、これには組織の潅流、心臓血管の健康状態、潰瘍等の傷、末梢動脈疾患、および呼吸器官の健康状態が含まれる。
【００１５】
組織の血液灌流を測定するための、高信頼性、低コスト、かつポータブルな光学撮像技術は、医学界にとっての価値が高い。ＰＰＧ撮像は、熱傷および慢性的創傷のケアに用途を有する、そのような技術の一つである。発明者らは、特に熱傷に関心を寄せているが、それは、この技術が、使い捨てあるいは滅菌した人体接触装置を必要とすることなく、熱傷患者を評価できると期待されることによる。
【００１６】
非接触ＰＰＧ撮像は、通常、光源として近赤外光（ＮＩＲ）を使用するが、これは、この波長において、組織に侵入する光子が増加する点で有利であることによる。通常の構成では、撮像ターゲットである組織の近くに光源を配置することが含まれる。組織を通る光の経路がバナナ形状であるため、ＰＰＧ信号を画像の暗領域に集めることができる。画像の無照射領域から発せられたＰＰＧ信号をこれによって検出するためには、通常、高いダイナミックレンジで弱光を感知するセンサー（通常、科学ＣＭＯＳカメラまたは科学ＣＣＤカメラ）が必要とされる。本開示では、受信したＰＰＧ信号について照射パターンおよび照射強度の変数を検討し、撮像装置の視野（ＦＯＶ）全体にわたってより明るくより一様な照射を行うことによって、ＰＰＧ信号の強度を増すことができるという仮説を立てた。
【００１７】
例えば、本明細書に開示される実験において、空間的に均一な、ＤＣ変調された照射光源を使用する光学ＰＰＧプロトタイプシステムを開発した。一様な照射の原理を説明し、ＰＰＧ撮像の性能を評価し、別種の光源の性能との比較を行う。組織様光学特性を有するベンチトップ型の組織ファントムを通じて、評価撮像システムの較正を行い、動物モデル実験を実施した。ＰＰＧ撮像に一様な照射を使用することによって、動物熱傷モデルにおける表面血管撮像の性能が改善されることを示した。
【００１８】
本明細書で開示される代替案において、熱傷壊死組織除去術中に皮膚における熱傷の存在を特定する目的で使用することのできる、非接触反射型フォトプレチスモグラム（ＰＰＧ）撮像の方法およびシステムが提示される。これらの方法およびシステムは、熱傷の切除および創傷トリアージにおける決定等の皮膚創傷管理プロセスにおいて、臨床医および外科医の助けとなるかもしれない。いくつかの実験において、照射の一様性および強度のシステム変数について検討し、得られた知見を提示している。ＰＰＧ撮像装置のための照射方法としては、ＬＥＤ配列、タングステン光源、および最終的には高出力ＬＥＤエミッタについて研究を行った。これらの３つの異なる照射源について、制御された組織のファントムモデルおよび動物熱傷モデルにおいて試験した。高出力ＬＥＤエミッタを使用した低発熱の一様な照射パターンにより、動物の熱傷モデルにおいて収集されたＰＰＧ信号が大幅に改善されることが見出された。これらの改善によって、異なる画素のＰＰＧ信号が時間ドメインにおいても周波数ドメインにおいても比較可能なものとなり、複雑な照射サブシステムが単純化され、高ダイナミックレンジカメラを使用する必要性が低下した。動物の熱傷データおよび制御された組織のファントムモデルにおける血流量のような熱傷モデルの結果を比較することを通じて光学的改善がなされたため、熱傷評価の助けとなるような、臨床的により応用しやすい画像が得られるようになった。
【００１９】
本明細書に記載した代替案は、褥瘡性潰瘍、充血、四肢退行、レイノー現象、慢性創傷、擦過傷、裂傷、出血、破裂損傷、穿刺、穿通創傷、がん、または組織の性質および特性が正常な状態とは異なる任意のタイプの皮膚変化についてその重症度を特定および／または分類するために使用できる。本明細書に開示した装置は、健康な組織の監視、（例えば壊死組織切除のマージンを決定するためのより迅速かつ洗練されたアプローチの提供による）創傷の治療手順の促進および改善、ならびに（特に治療が施された後の）創傷または疾患からの回復の進み具合の評価に使用することができる。本明細書に開示したいくつかの代替案では、傷ついた組織に隣接している健康な組織の特定、切除マージンの決定、左心補助循環装置等の補綴を移植した後の回復の監視、組織移植片または移植再生細胞の生存率の評価、（特に再建処置後の）術後回復の監視が可能な装置が提供される。さらに、本明細書に開示した別の代替案は、傷の変化または受傷後の健康な組織の再生を、特にステロイド、肝細胞成長因子、線維芽細胞成長因子、抗生物質、または再生細胞（幹細胞、内皮細胞および／または内皮前駆細胞を含む単離または濃縮された細胞集団等）等の治療薬の導入後に評価するために使用することができる。
【００２０】
本明細書に開示される別の代替案では、同一のシステムハードウェア、すなわちＰＰＧ撮像およびＭＳＩを用いて達成することのできる２つの光学撮像技術が提示される。この２つの様式は、評価する組織特性のタイプに関して互いを補完するものである。例えば、ＰＰＧ撮像では、生存組織と非生存組織を区別するために皮膚表面の直下に存在する動脈血流の強度を測定する。ＭＳＩでは、測定された反射スペクトルを公知の反射スペクトルの確立されたライブラリと比較することによって、組織に吸収された光および反射された光の種々の波長を解析し、組織を分類する。
【００２１】
ＰＰＧ撮像では、パルスオキシメトリで使用されている技術と同じ技術を使用して、心拍数、呼吸数、およびＳｐＯ２（経皮的動脈血酸素飽和度）を含む生命信号を捕捉することができる。ＰＰＧ信号は、光と血管組織における動的変化との相互作用の測定によって生成されてもよい。血管組織は、心拍周期の収縮期血圧波に合わせてその容積が約１〜２％の膨張および収縮を繰り返す。この血液の流入は、組織の容積を増すだけでなく、光を強く吸収するヘモグロビンタンパクをさらに運び入れる。そのため、この組織における光の吸収は、心拍に合わせて規則的に変動する。したがって、組織の血流の変化は、組織を通過する光がどのように吸収されるかを記録することによって生じるプレチスモグラムを解析することによって確認することができる。この情報は、パルスオキシメータによって報告される生命信号に翻訳される。
【００２２】
プレチスモグラムから画像を生成するために、組織を通る光路を利用することもある。組織の表面に入射する光の一部は、組織内で散乱する。この散乱光の一部は、最初に入射したときと同じ表面を通って組織から出る。高感度のデジタルカメラを用いて、組織のある領域におけるこの後方散乱光の収集を行うが、その際、撮像装置の各画素が、散乱光の強度の変化によって決まる固有のＰＰＧ波形を含むようにする。相対的な組織血流２次元マップを生成するために、固有の波形それぞれの振幅を測定する。多くの拍動サンプルの平均振幅を測定することにより、精度を向上させることができる。
【００２３】
ＭＳＩは、可視光と近赤外光の選択波長に関して、ある表面からの反射率を測定するものであってよい。ＭＳＩを熱傷に適用できる理由は、様々な組織が、生きた組織であっても壊死組織であっても、光との相互作用の仕方がそれぞれ異なる組織成分の特有の組み合わせから構成されているからである。光と組織との相互作用が多様であることにより、ＭＳＩに捕捉される特有の反射シグネチャーが生じる。患者の熱傷からスペクトルシグネチャーを収集し、患者の熱傷を特徴付けるために、既知のスペクトルシグネチャーのデータベースと比較することもできる。ＭＳＩは、新しいハイパースペクトル撮像装置と比べると組織を特徴付けるための固有の波長が少ない場合もあるが、ＭＳＩの使用は、空間分解能、スペクトル領域、画像の獲得速度、および費用において有利な場合もあり、これらが考慮される。熱傷の重症度をスペクトルで特定することは、１９７０年代に、患者の初期評価における臨床観察を補う手段として提案された。深さの異なる熱傷の固有の光学的反射特性を調べることによって熱傷の重症度を特定できることは、交換可能なフィルターを備えたＮＡＳＡに開発されたカメラの使用により、１９７７年に実証された。別の複数のグループも、この技術を利用して熱傷組織の特徴付けを行うことにおいて、いくばくかの成功を収めた。これらの研究により、ＭＳＩは臨床的判断と比べて熱傷の深さの測定において優れていることが示されたが、皮膚表面の水分により輝度を増すスペクトル反射をフィルターすることが必要であるといった技術上の難点があることによって、ＭＳＩの臨床的応用には制限があることも報告された。最も重要なことは、ＭＳＩは、この技術が開発された当初は、データ処理に厳しい制限があったためにデータの獲得に何日間も要したが、現代的なコンピュータ技術の恩恵を享受する今日では、エンジニアはもはやそのような問題には直面しないということである。
切断のための組織分類
【００２４】
米国では、毎年約１８万５千件もの下肢切断が起こり、米国の成人約２百万人以上が切断の経験者である。切断の最も大きな危険因子は、末梢動脈疾患（ＰＡＤ）であり、糖尿病（ＤＭ）を併発していることも併発していないこともあるが、全切断者の半数以上を占め、血行障害切断と呼ばれている。ＤＭを有する患者は、下肢切断のリスクが一般の人々に比べて１０倍も高く、糖尿病による下肢の潰瘍のために、毎年６万件を超える切断が行われている。毎年、１０万人につき約３０人が、血行障害疾患に続発する切断を余儀なくされている。米国の高齢化により、この件数は今後１０年間で５０％以上増加すると考えられている。
【００２５】
米国の医療制度における四肢切断の年間の損失は、財政面でもそれ以外の面でも、莫大である。退役軍人（ＶＡ）システムが独自に行ったある調査によれば、糖尿病に伴う四肢欠損に関連する費用負担は、２０１０年の単年度で２億ドル（患者１人当たり、６０６４７ドル）を超えていた。米国における下肢切断のための病院関連費用は、２００９会計年度において総額８０．３億ドルに上り、リハビリテーションや補綴の費用も含めた大切断術１件の生涯コストは、患者１人当たり約５０万ドルであった。四肢切断では、重い財政負担に加えて、切断の結果として患者は著しく不健康な状態に置かれ、生活の質の低下を経験する。重要なことに、このような患者の機能状態は悪く、血行障害による下肢大切断を受けた後に補綴の助けを借りて家の外を歩くことができる患者は２５％に過ぎない。より近位での切断を要する状態に進行すると、組織の喪失が増すにつれてエネルギーコストも増加し、リハビリテーションによって歩けるようになる可能性は低くなる。
【００２６】
切断の際、四肢組織をできる限り多く残すことが好ましいのは明らかであるが、外科医は、所定の切断レベル（ＬＯＡ）における一次創傷治癒の可能性とバランスを取る必要があり、遠位での切断は選択し難い。適切なＬＯＡを選択することは、主として外科医の臨床的判断（患者の履歴および身体診察（皮膚の色、体温、末梢脈拍、および処置中の傷からの出血）ならびに糖尿病、喫煙、栄養状態等の臨床要因に関する情報を利用）に基づいて、場合によっては、組織の血流および／または酸素化を定量化するように設計された様々な非侵襲試験（足関節上腕血圧比［ＡＢＩ］、経皮酸素測定［ＴＣＯＭ］、または皮膚潅流圧［ＳＰＰ］）と組み合わせて行われる。しかしながら、最も一般的に使用されている試験（ＡＢＩ）が現在のガイドラインで推奨されているにもかかわらず、ＡＢＩにより評価されるのは、下肢切断を受ける患者の半数に過ぎない。さらに、ある研究によれば、足背動脈において触知可能な拍動を有する患者の５０％と、正常なＡＢＩを有する患者の３０％が、前足部の切断後に再切断を要したことが示された。同じ研究において、切断と同時に血行再建術を受けた患者の５０％近くが、遠位端の血行再建に向けて特別な努力が払われたにもかかわらず、やはり再切断を要した。ＴＣＯＭは当初、切断後の一次創傷治癒の可能性を明らかにできると見込まれたが、臨床診療におけるＴＣＯＭの役割を明確にするに足る大規模かつ有力な調査が完了しておらず、その有用性に関してはいまだに議論されている。さらに、ＴＣＯＭの測定は、体温のような生理学的条件の影響を受け、またＴＣＯＭ電極は、皮膚の狭い領域しか測定できない。したがって、ＴＣＯＭは、数十年にわたって利用可能であったものの、日常的な臨床診療には採用されていない。
【００２７】
組織をできる限り多く残しておくことと、一次創傷治癒に失敗するリスクを最小限にすることとの難しい兼ね合いと、適切なＬＯＡを定めるための臨床的判断に関する信頼性を考慮すれば、報告されている再切断率は最適なものとは言えない。再切断率は、当初の切断レベルによって、膝上（ＡＫＡ）切断の場合の約１０％から足部切断の場合の約３５％まで様々であるが、より近位レベルでの再切断が必要となる。再切断の直接的なコストに関して現時点で利用できるデータは限られているが、血行障害による切断に伴うケアに関して毎年費やされている数十億ドルのうち相当な部分が、再切断、再入院およびＡＢＩに基づく当初の手術と再切断の間の創傷ケアに費やされた努力に関するコストに占められていることは明らかである。一次治癒の遅れや失敗により、患者が感染症等に罹患したり死に至ったりするリスクが高まる。さらに、ＡＢＩに基づく切断後に一次創傷治癒が遅れたり失敗したりすると、患者の生活の質に深刻な影響を与えることとなる。また、再切断を必要とする患者は、歩行可能な状態に戻るための身体リハビリテーションおよび補綴を得ることが遅れることとなる。このような患者は、医療制度を利用する回数が増加し、再手術の前にさらなる創傷ケアを受けることになる。これは、最初に適切なＬＯＡが選択されていれば避けることのできた無駄な努力であると言える。再切断率に関する報告は多いが、医師が再切断のリスクを意識して必要以上に近位側でのＬＯＡを強引に選択することがどれくらいの頻度で起こっているかという調査の報告はない。実際に、外科医が、より遠位レベルでも治癒の可能性が高いことを自信を持って予測することができないという理由から、患者が必要以上に近位側での切断を受け入れることはありうる。したがって、ＬＯＡに関する決定の指針となる試験は、再切断率を低減しつつ、大切断に直面している患者の組織をできる限り多く残しておける可能性を有している。
【００２８】
しかしながら、血行障害疾患を有する患者が切断を受けた後の、一次創傷治癒の可能性を決定するゴールドスタンダード試験は、現時点では存在しない。組織の微小循環のみを局所的に評価することによってそのようなゴールドスタンダードを見出そうとする試みは、多くなされてきた。このような状況の下、ＴＣＯＭ、ＳＰＰ、およびレーザードップラーを含む、皮膚組織の血液灌流および酸素化を正確に測定できることが知られている装置の試験が行われている。今のところ、微小循環の評価のみでは、ＬＯＡの選択時に臨床的判断に代わって組織の治癒の可能性を十分な精度で評価できるような結果は得られていない。したがって、皮膚の局所的灌流および酸素化を特徴付けるだけでは、組織の治癒の可能性を定量化するための十分な情報となりえないことは明らかである。これらの技術のいずれにおいても予後に含めることができていないのは、創傷の治癒の可能性にも影響を与える併存疾患の全身的影響である。実際、２０年近く前に、血行障害による大切断の後の創傷の治癒に影響を与える要因について検討した著者の１人は、切断における適切なレベルの選択に関して、「創傷の治癒に関連するのは組織の血流だけではないため、大切断後の治癒の可能性を予測するための『ゴールドスタンダード試験』は存在しないであろう。この検討において言及した他の要因（喫煙、栄養状態、糖尿病、および感染症）もまた重要であるかもしれない。したがって、臨床的判断と種々の試験との組み合わせが、最も一般的なアプローチである。」と結論付けた。この著者の予測に反して、Ｓｐｅｃｔｒａｌ  ＭＤにより、組織の血流の生理を特徴付ける客観的な試験から収集される情報と、患者の重要な健康指標とを統合する能力を有する撮像装置が開発された。前述の問題は、特に、本開示の機械学習アルゴリズムの項に記載される、微小循環の光学的評価と患者の全般的健康指標とを組み合わせて予後情報を生成するようないくつかの実施形態において、取り扱っている。この方法を用いることにより、本発明の装置では、創傷の治癒の可能性について定量的な評価をすることができる。これは、定性的な評価しかできない現在の臨床判断基準とは対照的である。
【課題を解決するための手段】
【００２９】
したがって、本発明の一態様は、第１の組織領域を照射するための１以上の光源と、第２の組織領域から反射された光を受けるための１以上の画像取得装置と、前記１以上の光源および前記１以上の画像取得装置を制御して異なる時間および異なる周波数帯に対応する複数の画像を取得するためのコントローラと、前記複数の画像に少なくとも一部基づく１以上の臨床状態によって第２の組織領域のエリアを解析するためのプロセッサとを有する撮像システムに関する。
【００３０】
別の一態様は、１以上の光源によって第１の組織領域を照射すること、１以上の画像取得装置によって第２の組織領域から反射された光を受けること、第２の組織領域の、異なる時間および異なる周波数帯に対応する複数の画像を取得すること、ならびに前記複数の画像に少なくとも一部基づいて第２の組織領域のエリアを分類することを含む方法に関する。
【００３１】
別の一態様は、第１の組織領域を照射するための１以上の光源と、第２の組織領域から反射された光を受けるための１以上の画像取得装置と、第２の組織領域の、異なる時間および異なる周波数帯に対応する複数の画像を取得する手段と、前記複数の画像に基づいて第２の組織領域のエリアを分類するための手段とを有する撮像システムに関する。
【００３２】
別の一態様は、創傷の治癒の誘導または創傷の回復の改善のための方法に関し、該方法は、（ａ）健康な組織を含む第１の組織領域および創傷の少なくとも一部を含む第２の組織領域の、異なる時間および異なる周波数帯に対応する複数の画像を、本明細書で開示される任意のシステムを利用すること等によって取得すること、（ｂ）（ａ）で取得した複数の画像に基づいて第２の組織領域のエリアを分類すること、ならびに（ｃ）創傷の治癒が誘導されるように、創傷の少なくとも一部に治療剤および治療技術の一方または両方を施すことを含む。
【００３３】
別の一態様は、創傷の治癒または創傷の回復を監視する方法に関し、該方法は、（ａ）健康な組織を含む第１の組織領域および創傷の少なくとも一部を含む第２の組織領域の、異なる時間および異なる周波数帯に対応する複数の画像を、本明細書で開示される任意のシステムを利用すること等によって取得すること、（ｂ）（ａ）で取得した複数の画像に基づいて第２の組織領域のエリアを分類すること、（ｃ）創傷の治癒が誘導されるように、創傷の少なくとも一部に治療剤を施すこと、ならびに（ｄ）（ｃ）を実施した後に、少なくとも（ａ）および（ｂ）を繰り返すことを含む。
【００３４】
別の一態様は、創傷を分類する方法に関し、該方法は、（ａ）健康な組織を含む第１の組織領域および創傷の少なくとも一部を含む第２の組織領域の、異なる時間および異なる周波数帯に対応する複数の画像を、本明細書で開示される任意のシステムを利用すること等によって取得すること、ならびに（ｂ）（ａ）で取得した複数の画像に基づいて第２の組織領域のエリアを分類することを含む。
【００３５】
別の一態様は、創傷の壊死組織を切除する方法に関し、該方法は、（ａ）健康な組織を含む第１の組織領域および創傷の少なくとも一部を含む第２の組織領域の、異なる時間および異なる周波数帯に対応する複数の画像を、本明細書で開示される任意のシステムを利用すること等によって取得すること、（ｂ）（ａ）で取得した複数の画像に基づいて、健康な組織と壊死組織との界面よりも近位の領域等の、壊死組織切除のマージンを決定すること、ならびに（ｃ）前記壊死組織切除マージン内の創傷の壊死組織を切除することを含む。
【００３６】
別の一態様は、慢性の創傷を特定する方法に関し、該方法は、（ａ）健康な組織を含む第１の組織領域および創傷の少なくとも一部を含む第２の組織領域の、異なる時間および異なる周波数帯に対応する複数の画像を、本明細書で開示される任意のシステムを利用すること等によって取得すること、ならびに（ｂ）（ａ）で取得した複数の画像に基づいて、第２の組織領域のエリアを慢性の創傷を代表するエリアとして分類することを含む。
【００３７】
別の一態様は、熱傷の重症度を評価する方法に関し、該方法は、対象を、光源および画像取得装置に近接するよう配置すること、前記光源を使用して、対象の第１の組織領域を照射すること、前記画像取得装置を使用して、第２の組織領域の複数の画像を取得すること、前記画像取得装置によって取得した複数の画像に少なくとも一部基づいて、第２の組織領域のエリアの熱傷の状態を分類すること、ならびに前記分類に少なくとも一部基づいて、対象における熱傷を負った体表の総面積の概算パーセンテージを計算することを含む。
【００３８】
別の一態様は、対象の熱傷の重症度を評価するための装置に関し、該装置は、第１の組織領域を照射するための１以上の光源と、第２の組織領域から反射された光を受けるための１以上の画像取得装置と、前記１以上の光源および前記１以上の画像取得装置を制御して第２の組織領域の複数の画像を取得するためのコントローラと、前記複数の画像に基づいて第２の組織領域のエリアの熱傷の状態を分類し、該熱傷状態の分類に基づいて、対象における熱傷を負った体表の総面積の概算パーセンテージを計算するためのプロセッサとを含む。
【００３９】
別の一態様は、データを保存および更新するための方法に関し、該方法は、
複数のデータセンターを含み、データセンターのそれぞれが１以上の物理的コンピュータシステムを含み、物理的コンピュータシステムが１以上の仮想デスクトップインスタンスを実行するよう設定可能であり、仮想デスクトップインスタンスがそれぞれ１以上のアプリケーションを実行するよう設定可能なオペレーティングシステムを含むコンピュータ環境に関連付けられ、ＰＥＳのユーザのコンピュータデバイスがネットワーク経由で仮想デスクトップインスタンスにアクセス可能であることを特徴とするプログラム実行サービス（ＰＥＳ）の制御下で、
ＰＥＳとユーザの第１のコンピュータデバイスとの間の双方向接続を形成すること、
ＰＥＳ上で、前記第１のコンピュータデバイスからの、組織の状態に関するデータを含む動的ライブラリとの同期リクエストを受信すること、
前記動的ライブラリが１以上のコンピュータデバイスと同期されるか否かを示すファイルメタデータにアクセスすること、
前記ファイルメタデータに少なくとも一部基づいて、前記動的ライブラリが前記第１のコンピュータデバイスと同期されるか否かを決定すること、および
前記動的ライブラリが前記第１のコンピュータデバイスと同期されるという決定に応じて、前記双方向接続を利用して前期動的ライブラリを前記第１のコンピュータデバイスと同期させること
を含み、
同期された動的ライブラリが第１のコンピュータデバイス上にローカルに保存され、ＰＥＳと第１のコンピュータデバイスとの双方向接続を用いずにアクセス可能であることを特徴とする。
【図面の簡単な説明】
【００４０】
添付の図面を参照しつつ本発明の態様を説明するが、図面は説明のためのものであり、本発明の態様を限定するものではない。図中、同種の符号は同種の要素を示す。本願明細書は、少なくとも１枚のカラー図面を含む。所定の費用を支払うことによって、カラー図面を含む本願明細書のコピーを入手することができる。
【００４１】
【図１Ａ】対象の画像を取得している撮像装置の構成要素の例を示す。
【００４２】
【図１Ｂ】例示的な撮像プローブの動作の例を示す。
【００４３】
【図２】画像を取得するためのユーザインターフェースを例示する図である。
【００４４】
【図３】１人の対象の複数の表面の画像を例示する図である。
【００４５】
【図４】トリアージのためのモザイク技術を例示する図であり、この技術は本明細書に記載の特定の代替案で使用される。
【００４６】
【図５】本明細書に記載のいくつかの代替案において合計体表面積のパーセンテージを計算するために使用される９の法則とＬｕｎｄ−Ｂｒｏｗｄｅｒチャートを示す図である。
【００４７】
【図６】米国熱傷協会によって作成された、年齢群と熱傷の大きさによる死亡率を示すチャートである。
【００４８】
【図７】本明細書に記載のいくつかの代替案において使用される高分解能マルチスペクトルビデオカメラと、得られるデータとを例示する図である。
【００４９】
【図８】本明細書に記載の特定の代替案において組織の分類のために使用されるステップを例示するフローチャートである。
【００５０】
【図９】図９Ａ−９Ｄは、ミニブタの成体から採取した組織サンプルの例示的画像であり、ＭＳＩ、ＰＰＧ、および本発明による代替システムの性能を比較するものである。
【００５１】
【図１０】熱傷および壊死組織除去術の過程を例示する図である。
【００５２】
【図１１】本明細書に記載の代替装置により取得された、組織移植の成功例および失敗例を示す画像である。
【００５３】
【図１２】褥瘡性潰瘍の例示的画像である。初期の褥瘡性潰瘍の撮像には本明細書に記載の代替装置を、皮膚表面に見えるようになった後の褥瘡性潰瘍の撮像には通常のカメラを使用した。
【００５４】
【図１３】本明細書に記載の特定の代替物がデータクラウドとどのように相互作用をするかを例示する図である。
【００５５】
【図１４】図１４Ａ−１４Ｃは、反射モードで動作するベンチトップシステムを示す図である。
【００５６】
【図１５】ペトリ皿に入った組織ファントムと、ヒトの脈動血流をシミュレートするためのファントム装置とを示す図である。
【００５７】
【図１６】円形状の動物の皮膚におけるインビボ熱傷と壊死組織除去モデルを示す図である。
【００５８】
【図１７】時間分解型ＰＰＧ信号抽出を示す図である。
【００５９】
【図１８】図１８Ａ−１８Ｃは、ＬＥＤスポットライト（図１８Ａ）、タングステン光（図１８Ｂ）、およびＬＥＤエミッタ（改良型（図１８Ｃ））の空間照射強度を、撮像ターゲットとして平らな反射パネルを用いて比較する図である。
【００６０】
【図１９】３つの照射パターンの強度プロフィルを比較する図である。
【００６１】
【図２０】図２０Ａ−２０Ｃは、組織ファントムと、その下にある脈動ファントム血管の、ＬＥＤスポットライト（図２０Ａ）、タングステン光（図２０Ｂ）、およびＬＥＤエミッタ（図２０Ｃ）を用いた撮像結果を示す図である。
【００６２】
【図２１】組織状ファントムの脈動領域におけるＰＰＧ信号のパワースペクトル密度と、撮像装置の飽和点（放射照度０．００４Ｗ／ｍ２）以下でのＬＥＤエミッタモジュールからの光の最大強度に対するパーセンテージとの関係を示す図である。
【００６３】
【図２２】健康なブタの皮膚上で照射パターンを変化させて実施した、ＰＰＧ信号強度に基づく画素の分類を示す図である。
【００６４】
【図２３】図２３Ａ−２３Ｆは、様々な照射パターンの画像と、その照射パターン下で取得したブタ皮膚熱傷の画像を示す図である。
【００６５】
【図２４】ブタの背における熱傷の位置を示す図である。
【００６６】
【図２５】ブロックＩ（左）およびブロックＩＩ（右）の組織の大きさを示す図である。
【００６７】
【図２６】壊死組織除去術の例を示す図である。
【００６８】
【図２７】図２７Ａ−２７Ｅは、様々な組織成分の吸収スペクトルを示す図である。
【００６９】
【図２８】動物実験における、熱傷の重症度が様々である熱傷組織の組織構造を示す図である。
【００７０】
【図２９】動物実験の壊死組織除去において接線方向に連続的に切除された組織片を示す図である。
【００７１】
【図３０】熱傷直後のＭＳＩデータのプロットであり、熱傷の種類によって当初の反射スペクトルが異なることを示す。すべての熱傷部位と健康な対照から得られた４つの反射スペクトルを示す。
【００７２】
【図３１】各種の熱傷の、受傷直後および受傷１時間後のスペクトルを示す。
【００７３】
【図３２】各切除層の全波長の反射スペクトルを示す。健康な対照の反射スペクトル、一度切除した健康な対照の反射スペクトル、各切除時の熱傷組織のスペクトルの平均、および各切除時の創傷床スペクトルの平均をプロットしたものである。
【００７４】
【図３３】壊死組織除去術を示す図である。壊死組織除去術では、壊死組織（ｂ）を除去することによって、移植のための生存創傷床（ａ）を露出させてもよい。ＰＰＧ撮像装置は、これら２つの組織の血流の差異を検出し、互いを識別する。一方、ＭＳＩ技術は、創傷床（ａ）と壊死熱傷組織（ｂ）の分子的差異および構造上の差異によって測定される反射スペクトルを使用してこれらの組織を識別することができる。
【００７５】
【図３４】反射モードおよび２次元ＰＰＧ撮像システムの構成要素を示す（左）。組織の表面に入射する単色光は、分子構造と相互に作用しながら組織内で散乱する。この光の一部はカメラに戻る。経時的に測定を行うと、後方散乱光の強度変化によりＰＰＧ波形が生成される。生データキューブ中の各画素はそれぞれ固有のＰＰＧ波形を含み、これを解析することで１枚の組織血流画像が生成される（右）。
【００７６】
【図３５】広域スペクトル照射光源と、デジタルカメラと、ターゲットの表面から反射された光の所定の波長を分離する様々な光学フィルターを備えた回転フィルターホイールとを有するマルチスペクトル撮像装置の構成要素を示す図である（左）。このシステムは、フィルターホイール内のそれぞれの位置で素早く画像を収集し、スペクトルデータキューブを生成する（右）。データキューブ中のそれぞれの画素は、組織の低スペクトル分解能反射スペクトルを表す。
【００７７】
【図３６】深達性中間層熱傷ブタ壊死組織除去モデルに関するステップを示す。５つの時点におけるカラー写真および各時点で収集するデータを示す。
【００７８】
【図３７】ブタの熱傷を切除するために実行された各皮膚分節切除の平均厚さを示す図である（左）。また、重度の熱傷と影響の少ない熱傷に分けた熱傷の平均深さを示す。エラーバーは標準偏差を示す。ヘマトキシリン・エオシン染色による中間層熱傷の組織マーキングを示す（右）。
【００７９】
【図３８】深達性中間層熱傷から接線方向に切除したサンプルの組織構造を示す図である。数字は、表皮から真皮層への切除順を示し、矢印は各皮膚サンプルの最表面を示す。最も重度の熱傷組織は、黄色の線よりも表層側に存在しうる。影響の少ない熱傷の組織は黒い線と黄色の線の間に位置する。黒い線より深部の組織は、熱傷の影響は受けていないと考えられる。
【００８０】
【図３９】深達性中間層熱傷を接線方向に連続的に切除し、ＰＰＧ撮像を行った結果を示す。皮膚の最初の１．０ｍｍの層を除去した時点では、相対的に低いＰＰＧ信号に示されるように、創傷床には創傷組織が顕在している。約２〜３ｍｍ（２回目の切除後）の深さでは、ＰＰＧ信号は創傷床の領域に戻っていた。
【００８１】
【図４０】深達性中間層熱傷を接線方向に連続的に切除し、マルチスペクトル撮像を行った結果を示す。皮膚の層を除去するにつれ、重度の熱傷は減少する。２回目の壊死組織除去によって熱傷はほぼ完全に切除され、３回目の壊死組織除去によって完全に除去される。エラーも存在し、特に１回目の壊死組織除去では、健康な創傷床が健康な皮膚として分類されている。アルゴリズムやハードウェアの改良、あるいはより効果的な波長を選択することにより、エラーは低減できる。
【００８２】
【図４１】不均一な熱傷におけるＭＳＩ技術の有効性を示す図である。診察に際して、外科医は、手術の必要な組織を見極めなければならない（上段）。手術中、外科医は、様々な深さの熱傷に遭遇する。これらの画像から、外科医は、熱傷をさらに除去すべき場所、また既に生存創傷床に到達している場所を知ることができる（下段）。
【００８３】
【図４２】事前トレーニングを行った二次判別分析アルゴリズムによって分類し、実際のクラスラベルと比較して混同行列を生成したテストセットを示す。この行列では、行列の中央に位置する対角線上に、正確な分類の数が示されている。不正確な分類は、対角線から外れた要素に示されている。
【００８４】
【図４３】図４３Ａ−４３Ｃは、ハードウェアシステム構成（図４３Ａ）、動物の熱傷（図４３Ｂ）、および熱傷組織の１回目の切除（図４３Ｃ）を示す図である。
【００８５】
【図４４】熱傷を受けた皮膚の例である。
【００８６】
【図４５】組織分類アルゴリズムのトレーニングに使用したデータセットを修正するためのステップの例を示す。
【００８７】
【図４６】図４６Ａ−４６Ｆは、トレーニングセットの例である。
【００８８】
【図４７】図４７Ａ、４７Ｂは、箱ひげ図の例である。６つのクラスについて、外れ値除去前の様々なバンド（図４７Ａ）、および外れ値除去後の様々なバンド（図４７Ｂ）を示す。
【００８９】
【図４８】図４８Ａは２次元特徴空間における６つのクラスを、外れ値を含めて示し、図４８Ｂは外れ値を除いて示す。
【００９０】
【図４９】（Ａ１）健康な状態、（Ａ２）外れ値除去前、（Ａ３）外れ値除去後、（Ｂ１）熱傷、（Ｂ２）外れ値除去前、（Ｂ３）外れ値除去後を示す。
【００９１】
【図５０】本明細書の開示に従って患者の健康指標と組み合わせて予後情報を生成することのできる２つの光学撮像技術、すなわちフォトプレチスモグラフィ撮像（ＰＰＧ撮像）およびマルチスペクトル撮像（ＭＳＩ）の概要を、高度に図式化して示す。
【００９２】
【図５１】２つの光学撮像技術、すなわちフォトプレチスモグラフィ撮像（ＰＰＧ撮像）およびマルチスペクトル撮像（ＭＳＩ）を融合するように設計された装置の例を示す。
【００９３】
【図５２】ＤｅｅｐＶｉｅｗ  Ｇｅｎ１  ＰＰＧ撮像装置、ＭＳＩカメラ、および患者の客観的健康指標の入力の組み合わせを例示する。
【００９４】
【図５３】熱傷組織と、壊死組織除去によって現れた健康な創傷床の信号の違いを示す図である。
【００９５】
【図５４】本明細書に開示されるＭＳＩ評価に組み入れられた６つの生理学的クラスの例を示す。
【００９６】
【図５５】ＰＰＧデータ、ＭＳＩデータ、およびＰＰＧデータとＭＳＩデータとの組み合わせの例を示す画像である。
【００９７】
【図５６】手、大腿、および足の領域におけるＰＰＧ信号の例を示す。
【００９８】
【図５７】機械学習診断アルゴリズムをトレーニングするプロセスの例を示す。
【００９９】
【図５８】臨床検査のフロー図の例を示す。
【０１００】
【図５９】従来の切断手術に関わる組織を例示する図である。
【０１０１】
【図６０】切断レベルのためのクラシファイヤモデルを生成するステップの例を示す。
【０１０２】
【図６１】臨床検査のフロー図の例を示す。
【０１０３】
【図６２】統計的なサンプルサイズ解析の結果を例示する。
【０１０４】
【図６３】図６３Ｂ−６３Ｆに例示する結果における色分けの意味を図６３Ａに示す。
【０１０５】
図６３Ｂ−６３Ｆは、異なる分類技術における、参照画像、グラウンドトゥルース画像、分類結果、およびエラー画像を示す。
【０１０６】
【図６４】図６４Ａ、６４Ｂは、異なる分類技術の特徴構成（ｆｅａｔｕｒｅ  ｃｏｍｐｏｓｉｔｉｏｎ）を比較する図である。
【０１０７】
【図６５】ＰＰＧの出力の前処理を例示するブロック図である。
【０１０８】
【図６６】トレーニングの事例、分類の事例、および交差検証の事例に使用できる場所の例を示す。
【０１０９】
【図６７】図６７Ａ−６７Ｌは、５つの異なる分類技術におけるグラウンドトゥルース画像、実画像、および分類結果を示す。
【０１１０】
【図６８】例示的交差検証実験の混同行列を示す。
【０１１１】
【図６９】分類に使用された特徴の、クラスごとの精度の結果を示す。
【０１１２】
【図７０】図７０Ａ、７０Ｂは、本明細書に記載の画像データを得るために使用することのできる光ファイバーシステムの例である。
【図７１】本明細書に記載の画像データを得るために使用することのできる光ファイバーシステムの例である。
【０１１３】
【図７２】可視および近赤外（ＮＩＲ）領域において拡散反射スペクトルデータを収集するための、５つの例示的試験時点における複数のプローブ位置を示す。
【０１１４】
【図７３】熱傷組織、健康な皮膚、および創傷床組織からの平均拡散反射スペクトルを示す。
【０１１５】
【図７４】波長とＰ値との関係を、熱傷と健康な皮膚とを比較して示す。
【０１１６】
【図７５】波長とＰ値との関係を、熱傷と健康な皮膚とを比較して示す。
【０１１７】
【図７６】図７６Ａ、７６Ｂは、昇順で配置された第１のデータセットから得られたＰ値を、修正を加えたＰ値の有意水準とともに示す。
【０１１８】
【図７７】図７７Ａ、７７Ｂは、昇順で配置された第１のデータセットから得られたＰ値を、修正を加えたＰ値の有意水準とともに示す。
【発明を実施するための形態】
【０１１９】
序論
本明細書で開示される代替案は、対象の組織を特定、評価、および／または分類するためのシステムおよび技術に関する。代替案のいくつかは、組織を分類するための装置および方法に関し、該装置は光学撮像要素を含む。本明細書に記載される代替案のいくつかは、実装されることによって本明細書で提供される組織分類法のいくつかを実行できる、反射モードマルチスペクトル時間分解型光学撮像のソフトウェアおよびハードウェアに関する。
【０１２０】
組織を分類することのできる、非侵襲性医用撮像技術の必要性が、長年にわたり認識されてきた。分類には、褥瘡性潰瘍、慢性の傷、熱傷、健康な組織、組織移植片、組織弁、血管病態生理、充血のような、創傷および組織の状態が含まれていてもよい。特に、創傷または組織の重症度を評価することができ、さらに受傷部の合計体表面積のパーセンテージ（％ＴＢＳＡ）を見積もることのできる技術が必要とされている。％ＴＢＳＡは、受傷した組織領域の表面積を体表の総面積で割ったものと定義され、パーセンテージ（例えば４０％）または１未満の小数（例えば０．４）で表されるが、分数（例えば２／５）で表されることもある。これらの表現形式はいずれも、本明細書における「％ＴＢＳＡ」を表し、数値的に等価であるか、または等価に近いもの（換算値、分子と分母の別出力等）である。
【０１２１】
本明細書に記載される代替案によれば、自動化または半自動化された方法で対象を評価し、緊急の処置を要する受傷者を、さほど緊急性の高くない受傷者と区別して分類することが可能となり、治療勧告を提供することもできるかもしれない。表皮熱傷および浅達性中間層熱傷（例えばＩ度およびＩＩ度の熱傷）は、非外科的治療によって治癒する場合も多いが、深達性中間層熱傷および全層熱傷（例えばＩＩＩ度およびＩＶ度の熱傷）は、機能の喪失や美容の過度の悪化を防止するための外科的切除が必要となる。実際、初期の切除は、致死率の低下や入院期間の短縮に関わる。また、本明細書に記載される代替案のいくつかは、熱傷の管理に特に適しているが、これは、熱傷の専門家ではない医師であっても熱傷の重症度を迅速に評価し、緊急の外科的治療が必要であるという結論のようなトリアージにおける判定を、迅速かつ正確に下すことが可能となるからである。代替案のいくつかはまた、外科医が一連の切除を、注意深くより洗練された方法で行う（例えば、切開および／または壊死組織切除のための適切なマージンを特定する）助けとなるかもしれない。本明細書に記載されるまた別の代替案は、治療上の決定、例えば蘇生のために投与すべき流体の量の決定等を医師が行えるようになる点で、特に適している。
【０１２２】
さらに、熱傷の分野においては、受傷後数日が経過するまで、組織の損傷の程度を評価することは困難であることが多い。この種の創傷において評価が遅れがちであることにより、熱傷治療において経験を積んだ外科医であっても、壊死組織または壊死しかかっている組織と、外科的介入または壊死組織除去を必要とせずに治癒する健康な組織との界面であるマージンに関して信頼性の高い決定を下すことは困難であり、治療のプロセスはさらに複雑になる。従来の熱傷の評価は、医師が主観的に行う皮膚の視診に委ねられており、その際、皮膚の感覚、硬さ、および色調がさらに変化することが考慮される。しかし、手術が必要であるか否かを決定するには、熱傷を、特に熱傷の深さを正確に評価することが必要となる。手術の必要性を決定することに加えて、熱傷を早期に検出して適切な治療を施すことは、感染症や敗血症を防ぐことになる。したがって、熱傷の分類および評価が不正確であれば、対象の回復が困難になることもありうる。さらに、治癒プロセスを促進し、対象の外傷を限定するために、外科的介入は最小限にとどめることが望ましい。
【０１２３】
しかしながら、手術が望ましい場合においても、外科医が直面する最も困難なことの１つは、生きた健康な組織と、失活した壊死組織または壊死しかかっている組織を明確にすることである。経験を積んだ外科医であっても、切開深さの典型的な指標は、点状出血の存在である。しかし、この指標の使用にはいくつかの重大な欠点があり、手術中に生きた組織を不必要に除去してしまうことも、その１つである。さらに、熱傷の切除中の出血の制御は困難であり、多くの臨床的判断、正確さ、および経験が必要とされる。
【０１２４】
熱傷の手術において、組織の切除の過不足によって生命が脅かされる結果となることがある。熱傷の切除が不十分であると、失活した組織に移植片を載せることになり、移植片の生着が悪くなる。熱傷の切除が不十分であると、さらに、感染症のリスクの増加および／または治療が長引くことにつながる。一方、過度に切除してしまうと、過剰な失血や切除面からの出血につながることがあり、これもまた移植片の生着不良を招きうる。
【０１２５】
より広範な組織表面にわたって熱傷の重症度を迅速かつ定量的に評価する方法および装置が必要とされているが、この必要性はいまだ満たされていない。本明細書に記載の方法および装置は、迅速かつ正確な熱傷の評価の提供に有用であり、熱傷の専門家が重症の熱傷に集中し、熱傷の専門家以外が重症度の低い熱傷患者のニーズに対応することが可能となる。同様に、その他の創傷および組織の状態についても迅速かつ定量的に評価する方法および装置が必要とされているが、この必要性もいまだ満たされていない。本明細書に記載の装置および方法は、褥瘡性潰瘍、慢性傷、亜急性離開創傷、外傷性創傷、裂傷、擦過傷、打撲傷、糖尿病性潰瘍、褥瘡、手術創、外傷、静脈性潰瘍等の迅速かつ正確な評価の提供、ならびに健康な組織と壊死組織または壊死しかかっている組織との境界、さらには組織の移植片または組織弁を適用すべき正確な部位、血管病態生理、および充血の位置の迅速かつ正確な評価の提供に有用である。
【０１２６】
本明細書を通じて、「創傷」についての言及がなされる。用語「創傷」は、皮膚が裂けたり、切れたり、皮膚に穴があいたり、疾患にかかったりしている開放創および閉鎖創、または外傷によって対象、例えば、ヒトまたは動物、特に哺乳類の皮膚に生じた打撲傷、表面的損傷、疾患、もしくは欠陥である開放創または閉鎖創を包含するものとして広義に解釈されるべきである。「創傷」はまた、組織が損傷している任意の領域を包含することが意図され、該領域においては、損傷または疾患の結果として液体が生じていてもいなくてもよい。このような創傷の例としては、急性の傷、慢性の傷、手術による切開およびその他の切断、亜急性離開創傷、外傷性創傷、弁および皮膚移植片、裂傷、擦過傷、打撲傷、熱傷、糖尿病性潰瘍、褥瘡、小孔、手術創、外傷、静脈性潰瘍等が挙げられるが、これらに限定はされない。
【０１２７】
例示のための図面を参照しつつ、様々な代替案について以下で説明する。開示された概念以外の多くの実施形態も可能であり、開示された実施形態によって様々な利点が得られることが理解されるであろう。あらゆる組み合わせおよび部分的な組み合わせが、本明細書の開示の範囲に含まれる。本明細書に記載される多くの代替案には類似した構成要素が含まれるが、これらの類似した構成要素は、本発明の別の態様において相互に入れ替えて使用できる。
【０１２８】
見出しは参照のため、また各項目を見出す助けとするために記載されている。これらの見出しは、そこに記載される概念の範囲を限定するものではない。本明細書の概念は、明細書全体を通じて適用可能である。
【実施例】
【０１２９】
熱傷の評価に関する代替案の概要
図１Ａおよび１Ｂは、本発明の代替案の一例である。これらの図に示された装置は、熱傷を有する対象の全身を評価するのに特に適している。この装置は、差し迫った治療の必要条件に関する臨床的決定がなされる熱傷のトリアージにおいて特に有用である。この実施例において、プローブ１００は、１以上の光源、ここでは４つの光源１０１、１０４、１１８、１２０と、画像取得装置１０２とを有する。光源１０１、１０４、１１８、１２０は、組織領域、ここでは組織１０３を照射するが、プローブ１００に向かい合った対象の体表全体が照射されると有利である。別の代替案において、前記１以上の光源は、発光ダイオード（ＬＥＤ）、ハロゲンランプ、タングステンランプ、または他の照射技術であってもよい。１以上の光源は、白色光またはユーザの所望に応じて選択される１以上のスペクトルバンドにわたる光を放射してもよい。
【０１３０】
多くのＬＥＤはバンド幅の狭い光（例えば、半値全幅が５０ｎｍ以下）を生成するため、特定のＬＥＤを選択することで特定のバンド幅の照射を行うことができる。一般に、そのような１以上のスペクトルバンドは、得ようとするデータの種類および／または臨床応用に最も適切な光の測定を考慮して選択される。前記１以上の光源は、光源に電力を供給し、かつ制御するための１以上のドライバに連結されてもよい。これらのドライバは、光源自体の一部であってもよく、独立していてもよい。選択可能なフィルター（例えばフィルターホイール）を備えた複数の狭帯域光源または広帯域光源を用いて、多数のスペクトルバンドの光を順次または同時に組織１０３に照射してもよい。選択されるスペクトルバンドの中心波長は、一般的に可視波長および近赤外波長の範囲にあり、例えば約４００〜１１００ｎｍ（４００ｎｍ、５００ｎｍ、６００ｎｍ、７００ｎｍ、８００ｎｍ、９００ｎｍ、１０００ｎｍ、もしくは１１００ｎｍ、あるいはこれらの値のいずれか未満、これらの値のいずれか以上、またはこれらの値のいずれか２つの間にある波長）である。
【０１３１】
いくつかの代替案において、光源は、実質的に一様な強度で組織領域を照射する。実質的に一様な強度は、例えば、光源１０１、１０４、１１８、１２０の一部として提供され、組織１０３に照射される光の強度をほぼ一様に分布させるような散光器を使用することによって達成できる。散光器には、望ましくない鏡面反射光を減じるというさらなる利点がある。高出力ＬＥＤの使用により、広いスペクトルの空間的に一様な照射パターンを用いることで、画像取得装置１０２によって得られる信号の信号対ノイズ比の顕著な改善が達成できる場合もある。市松模様照射のようなパターン化光システムを使用できる場合もある。そのような特定の代替案では、画像取得装置の視野は、光源に直接照射されないが照射領域に隣接している組織領域に向けられている。例えば、実質的に一様な強度の光が使用されるとき、画像取得装置１０２のような画像取得装置は、照射領域外からの光を読み取ってもよい。同様に、例えば市松模様照射が使用されるとき、取得装置１０２は市松模様の中で照射されていない部分からの光を読み取ってもよい。
【０１３２】
さらに、本明細書に記載されるいくつかの代替案において実質的に一様な強度の光が有効であるとしても、別の代替案においては一様でない光を使用してもよく、その場合、表面全体として光の強度差が最小化されるように１以上の光が配置される。このような差は、データの取得中に、またはバックエンドソフトウェアまたはハードウェアロジックにより補償される場合もある。例えば、トップハット変換またはその他の画像処理技術を用いて、一様でない背景照明を補償してもよい。
【０１３３】
特定の代替案において、光は所望により偏光されてもよい。反射、選択吸収、屈折、散乱、および／または当技術分野で知られている任意の偏光方法を使用して偏光される場合もある。偏光には、例えばプリズム（ニコルプリズム等）、鏡、および／または反射面、フィルター（偏光フィルター等）、レンズ、および／または結晶を利用してもよい。光は、交差偏光されてもよく、共偏光されてもよい。いくつかの代替案において、前記１以上の光源からの光は、対象を照射する前に偏光される。例えば、偏光フィルターは、光源１０１、１０４、１１８、１２０の一部として提供されてもよい。いくつかの代替案では、組織から反射された光は、組織からの反射後に偏光される。例えば、偏光フィルターは取得装置１０２の一部として提供されてもよい。別の代替案において、光は、対象を照射する前と反射された後の両方で偏光される。例えば、偏光フィルターは、光源１０１、１０４、１１８、１２０の一部として、またさらにデータ収集装置１０２の一部として提供されてもよい。
【０１３４】
使用する偏光技術の種類は、照射角度、受光角度、使用する照射光源の種類、所望のデータの種類（例えば、散乱光、吸収光、反射光、透過光および／または蛍光の測定）、および撮像される組織の深さ等の要因に依存しうる。例えば、組織への照射が行われると、光のいくらかは皮膚の最上層から直接反射されて表面グレアや表面反射となる。この反射光はしばしば、皮膚組織内に拡散する光（皮膚組織内で散乱（例えば反射）され、方向や極性が変化しうる）とは異なる極性を有している。取得装置に読み取られるグレアや反射の量を最少にしつつ、読み取られる後方散乱光の量を最大にするために、交差偏光技術を使用してもよい。例えば、偏光フィルターは、光源１０１、１０４、１１８、１２０の一部として、またさらにデータ収集装置１０２の一部として提供されてもよい。そのような構成において、光は、ターゲット１０３に照射される前に、まず偏光される。この光がターゲット１０３から反射された後、反射された光は、ターゲット１０３の表面から反射されて読み取られる入射光の量を最少にしつつ後方散乱光を測定できるように、第１の偏光方向とは直角の方向に偏光されてもよい。
【０１３５】
いくつかの状況においては、特定の深さで組織の撮像を行うことが望ましい場合もある。例えば、特定の深さで組織の撮像を行うことは、特定の深さにある特定の創傷を評価し、がん性腫瘍の有無の確認および／もしくはその位置の特定、または腫瘍のステージもしくはがんの進行の判定、または本明細書に開示において言及した他の任意の治療用途に使用することができる。当技術分野で知られている特定の偏光技術を用いることにより、光学特性および／または平均自由行程に基づいて、特定の深さにある組織の選択的撮像を行ってもよい。
【０１３６】
特定の代替案では、撮像の深さを制御するための別の技術を使用してもよい。例えば、組織の光学的散乱特性は温度とともに変化し、組織に光が侵入する深さは、冷却により深くなる。そのため、撮像される組織領域の温度を制御することによって、撮像の深さを制御してもよい。また、例えば、光源を様々な周波数でのパルス（または点滅）させることによって、撮像の深さを制御してもよい。パルス光は非パルス光よりも深くまで皮膚に侵入し、パルス幅が長いほど、光は深く侵入する。別の代替案としては、光の強度を調整することによって撮像の深さを変えることができ、高強度の光は、低強度の光よりも深くまで侵入する。
【０１３７】
図１Ａに示されているように、画像取得装置１０２は、組織１０３から反射された光を受光するように構成されている。画像取得装置１２０は、照射領域、照射領域のサブ領域、または非照射領域からの光を検出することができる。以下に記載するように、画像取得装置１０２の視野は、プローブ１００に面している対象の体表全体を含んでもよい。プローブに面した対象の全体が照射され、プローブに面した対象の全体が画像取得装置の視野に入るとき、分類の早さと容易さが向上する。画像取得装置１０２は、照射される組織１０３の全体または一部の撮像に適した光学素子を備えた２次元電荷結合素子（ＣＣＤ）または相補型金属酸化物半導体（ＣＭＯＳ）であってもよい。
【０１３８】
いくつかの代替案において、モジュール１１２は、プローブ１００と連結されてもよいコントローラ、クラシファイヤ、およびプロセッサである。モジュール１１２はプローブ１００を制御するが、これにはその物理的位置、光の強度、分解能、フィルターの色、もしくは本明細書に記載のカメラおよび／または光源の任意のパラメータ等のパラメータの設定が含まれてもよい。モジュール１１２は、プローブによって得られたデータの受信および処理を行うが、これについては後に説明する。
【０１３９】
いくつかの代替案において、モジュール１１２は、さらにモジュール１１４と連結されてもよい。モジュール１１４は、ディスプレイおよびユーザインターフェース（ＵＩ）である。ディスプレイおよびＵＩは、ユーザに情報および／またはデータを示す。いくつかの代替案において、その情報および／またはデータには、ある組織状態の有無、該組織状態の重症度、および／または対象に関する付加的情報が含まれ、本明細書で言及される任意の情報が含まれる。モジュール１１４は、ユーザ入力を受信する。いくつかの代替案において、ユーザ入力には、年齢、体重、身長、性別、人種、皮膚の色もしくは外観、および／または血圧等の患者についての情報が含まれる。モジュール１１４はさらに、較正情報を含むユーザ入力、ユーザの選択する走査位置、ユーザの選択する組織状態、および／または診断のための付加的情報を受信することもあり、これには本明細書で言及される任意の情報が含まれる。特定の代替案では、上述のユーザ入力の一部または全部が、ユーザがモジュール１１４を用いて情報を入力することなく自動的にモジュール１１２に送信されてもよい。
【０１４０】
図１Ｂに示されているように、いくつかの代替案において、プローブ１００は、上方、下方、左方向、右方向、右斜め上方、左斜め上方、右斜め下方、左斜め下方、もしくはこれらの方向の任意の組み合わせのような、任意の方向またはそれらを組み合わせた方向に移動することができる。いくつかの代替案では、プローブは対象に対して垂直な方向に移動してもよく、この場合、プローブは対象に近づいたり対象から遠ざかったりする。プローブは、例えば、レールに連結されていてもよく、コントローラ１１２によって手動または自動で位置制御される関節アームに連結されていてもよく、あるいはこれらを組み合わせたものに連結されていてもよい。いくつかの代替案では、光源または画像取得装置のいずれかが固定されていてもよく、別の代替案では、それぞれが独立して移動できるよう構成されていてもよい。特定の代替案では、画像取得装置とモータとを連結して画像取得装置の動作を自動化してもよく、これによって対象の各セクションをカメラにより撮像することが可能となる。カメラもまた、レール、軌道、ガイド、および／または駆動可能なアームと連結できる。画像取得装置の移動中、光源は組織領域１０３の全体を照射してもよいが、走査プロセスの間、カメラによる撮像が行われる所望の部位の組織のみを照射するよう、制御されてもよい。
【０１４１】
図１Ａに示される代替案では、対象またはその一部（例えば対象の身体の全体または所望の位置の組織）の画像が得られるよう、対象は背景１１０を背にして直立の位置にある。いくつかの代替案では、背景１１０は支持構造物であり、画像を取得する間、対象はその上に水平または角度をつけた状態で横になったりもたれたりする。画像を取得する間に対象の体重を測定できるよう、体重計１０６および１０８が備えられていてもよい。さらに、体重計に加えて、あるいは体重計の代わりに、心拍数、体温、身体組成、肥満度指数、体型、血圧、およびこれ以外の生理的なデータを測定するための生体リーダが備えられていてもよい。
【０１４２】
図２は、装置によって画像を取得するために、ディスプレイ／ＵＩ１１４上に提示されたＵＩ２００の例である。この代替案では、組織１０３が光源によって照射されている間、ユーザインターフェースは、画像取得装置の視野を表示する。特定の代替案では、ユーザは、対象２０２の全体が含まれるように、画像取得装置１０２の視野の位置を定めてもよい。ユーザは、ズーム要素２０８を使用して、対象が視野のほぼ全体を占めるよう、画像取得装置１０２を調整してもよい。いくつかの代替案では、ユーザは、対象２０２に関する他の情報を得るためにユーザインターフェースを使用してもよい。例えば、ユーザは、対象の身長を測定するために、位置２０４および位置２０６を選択してもよい。ユーザが、ユーザインターフェースを使用して、例えば画像取得ボタン２１０を押すこと等によって、対象の画像を取得するよう画像取得装置に指示を行う場合もある。
【０１４３】
画像を用いて組織の分類を行うために対象の画像を取得する際、光源（フィルターが付随する場合はそれらとともに）および画像取得装置は、対象の画像を複数取得できるよう制御される。取得される複数の画像は、反射光の異なるスペクトルバンドおよび／または異なる時間に関連付けられている。異なるスペクトルバンドで取得された画像は、組織領域を分類するためのＭＳＩ技術によって処理されてもよく、また時間的に異なる画像は、組織を分類するためのＰＰＧ技術によって処理されてもよい。いくつかの代替案では、両タイプの画像セットが得られ、得られた結果は、より正確な分類を行うためにマージされる。これについては後に説明する。
【０１４４】
熱傷患者の場合、画像の取得は、対象を前向き、後ろ向き、左向き、右向きといった様々な向きにして行われる。患者は、背景１１０を背にしてこれらの様々な向きで立ってもよく、背景１１０が水平な支持構造物であれば、患者は背景１１０の上に、様々な向きで横たわってもよい。取得された画像から得られるデータは、対象の皮膚の様々な領域が熱傷であるか否かを分類するために使用されるが、熱傷である領域の熱傷の程度の分類に使用されてもよい。
【０１４５】
異なる向きで画像を取得した後、対象のそれぞれの向きについての画像データを、コントローラ／クラシファイヤ／プロセッサ１１２によって処理してもよい。背景１１０が皮膚組織と異なる特徴的な色であれば、コントローラ／クラシファイヤ／プロセッサは、対象を背景と区別し、取得した各画像における各画素を背景または対象のいずれかとして割り当ててもよい。別の代替案では、ＵＩの使用によって、最初の画像（例えば、図２に示すような）上で対象の輪郭をトレース（例えば、タッチスクリーン上でスタイラスを用いて、あるいはマウスとカーソルとを用いて）することで、背景と対象とを区別してもよい。対象に関連する画像の画素が特定された後、ＭＳＩおよび／またはＰＰＧ技術を用いてこれらを解析し、対象の皮膚の領域を熱傷の状態によって分類してもよい。
【０１４６】
このプロセスによるディスプレイ／ＵＩ１１４への出力例を図３に示す。この代替案において、出力された画像２１２は対象２５０の正面像を示しており、対象の正面から取得した複数の画像を使用して対象の正面の皮膚の異なる部分が分類されている。出力された画像２１２において、異なる分類結果は、例えば出力される画像の色を変えることで示されていてもよい。例えば、コントローラ／クラシファイヤ／プロセッサは、領域２２２をＩＩＩ度の熱傷、領域２２４をＩ度の熱傷、領域２２６をＩＩ度の熱傷と特定している。また、プロセッサは、さらに例えば領域２２８を健康な組織と特定している。画像２１４は、対象２５０の背面像の例であり、領域２３０はＩＩＩ度の熱傷、領域２３２はＩ度の熱傷、領域２３４はＩＩ度の熱傷として分類されている。さらに、これら以外の組織領域は、健康な組織と特定されている。画像２１６および画像２１８は、それぞれ対象２５０の左から見た像および右から見た像であり、領域２３６はＩＩＩ度の熱傷、領域２３８はＩＩ度の熱傷、領域２４２はＩ度の熱傷として分類されている。さらに、これら以外の組織領域は、健康な組織と特定されている。
【０１４７】
画像２１２、２１４、２１６、２１８に示す分類データから、特定の代替案では熱傷の％ＴＢＳＡが計算され、図３のボックス２２０内に見られるように、ユーザに対する結果の出力がＵＩ上で行われる。熱傷の程度による分類が行われると、図３のボックス２２０内に見られるように、熱傷の１以上の分類についての％ＴＢＳＡが出力される。熱傷組織を評価するために光学撮像法が使用されてきたが、熱傷の％ＴＢＳＡを見積もる装置はいまだ開発されていない。
【０１４８】
患者の全体または一部の画像データを使用して熱傷の％ＴＢＳＡを得ることには、これまで解決できなかった複雑な要因に関わっている。ある代替案において、図３の４つの画像２１２、２１４、２１６、２１８を用いた簡単な計算をすることによって、トリアージの目的に十分な精度の見積もりが可能であることが見出された。この代替案では、すべての画像において熱傷と分類された全画素の合計である第１のカウントを求め、すべての画像における対象の全画素の合計である第２のカウントを求め、第１のカウントを第２のカウントで割ることによって、熱傷の％ＴＢＳＡを求めることができる。例えば、ＩＩＩ度の熱傷の％ＴＢＳＡを計算するために、システムは、領域２２２、２３０、２３６の画素を計算し、その合計画素数を、対象２５０の全表面の総画素数で、すなわち画像２１２、２１４、２１６、２１８に見られる対象２５０の全画素を計数して合計することで得られる総画素数で割る。
【０１４９】
特定の代替案では、加算する領域を調整することによって、熱傷の％ＴＢＳＡの見積もり精度を高めることができる。例えば、単に領域を合算するのではなく、モジュール１１２等のプロセッサは、画像を解析することによって２以上の画像に現れている領域を特定してもよい。このようにすれば、複数の画像に捕捉された領域が２回以上数えられることは避けられる。例えば、画像２１２の領域２２２と画像２１６の領域２３６はいずれも、対象２５０の胸部の１つの部分を捉えている。領域２３６と２２２が合算されるなら、胸の一部が２回以上数えられることになる。特定の代替案では、プロセッサは領域２２２および２３６（または画像２１２および２１６の全体）を解析し、該胸部領域は１回だけ数える。いくつかの代替案では、領域の重複および／または類似性は、画像処理技術（境界検出や分割等）、参照マーカー、ならびに／または標準化された体型によって重複を見積もるための予測解析およびコンピュータ学習を使用して計算することができる。
【０１５０】
特定の代替案では、対象のための３次元体型モデルが構築されてもよい。この人体モデルは、標準化された体型モデルならびに／または身長、体重、身体組成（例えば、体脂肪率）、肥満度指数、体の全体もしくは一部に対する特定の測定、または体の大きさまたは体型の任意の指標のようなパラメータから構築された体型モデルに基づくものであってもよい。これらのパラメータは、モジュール１１４のようなＵＩを用いてユーザが入力するパラメータであってもよく、プローブ１００、生体リーダ１０６、および／もしくは生体リーダ１０８によって測定または計算されるパラメータ、またはモジュール１１２のようなプロセッサ／クラシファイヤによって受信または計算される任意の指標であってよい。３次元体型モデルが作成されると、分類された組織領域をこの３次元体型モデルの領域に投射することが可能となる。重複の場合、重複領域が複数回数えられることのないように、プロセッサは差異の解析を行う。熱傷の％ＴＢＳＡは、１以上の分類（例えば、Ｉ度の熱傷、ＩＩ度の熱傷、ＩＩＩ度の熱傷、または健康な組織）に該当する領域を合算し、それを体表全体の面積で割ることによって概算することができる。
【０１５１】
いくつかの代替案において、モジュール１１２のようなプロセッサは、複数の２次元画像（例えば画像２１２、２１４、２１６、２１８）から１つの３次元モデルを再構成してもよい。いくつかの代替案において、このような再構成は、ユークリッドの再構成、線形層化、または複数の２次元画像を変換して３次元再構成を行う任意かつ既知の変換法等の投射を用いて行われてもよい。特定の代替案において、２次元画像から３次元再構成を行うための変換は、カメラの角度、カメラと対象との距離、対象から得られる測定値、および／または任意の参照測定値もしくは参照オブジェクト等の任意かつ既知のパラメータを考慮して行われてもよい。２次元画像を使用して３次元モデルが作成されると、熱傷の％ＴＢＳＡは、１以上の分類（例えば、Ｉ度の熱傷、ＩＩ度の熱傷、ＩＩＩ度の熱傷、または健康な組織）に該当する領域の合算によって概算することができる。
【０１５２】
熱傷の％ＴＢＳＡがプロセッサによって計算されると、その結果はユーザに向けて出力される。例えば、出力２２０は、熱傷の％ＴＢＳＡが４０％と計算され、ＩＩＩ度の熱傷の％ＴＢＳＡは１２％と計算された例を示している。この情報は、モジュール１１４のようなディスプレイを使用して、ユーザに表示されてもよい。モジュール１１４のようなディスプレイは、さらに、死亡率の推定値や、対象の治療に関連するその他の情報等の別の情報を表示してもよい。死亡率の推定値の例では、図６のチャートに示すようなデータがプロセッサ１１２に保存され、％ＴＢＳＡおよび／または対象の年齢（ユーザに既知、あるいはユーザが推定してシステムに入力）に基づいて死亡率を推定するために使用されてもよい。
【０１５３】
図４は、本明細書に記載のいくつかの装置が熱傷の％ＴＢＳＡをどのように計算するかを示す別の例である。この図は、複数の画像が合算されて熱傷の％ＴＢＳＡが計算されるモザイク技術を示す。場合によって、モザイクは、プローブ１００のようなプローブが各画像を得るために自動的に位置決めされるような自動プログラムを用いて作成されてもよい。この自動化は、駆動可能なアーム、モータ、レール、またはプローブを移動させるための任意の方法もしくは装置を利用するものであってよい。その結果、プローブは、図４に示す格子パターンのような特定のパターンとなるような撮像を行う場合もある。別法として、プローブ１００のようなプローブの位置決めをユーザが行って、モザイクを作成してもよい。次いで、ユーザは、対象の任意の数の部位について、任意の数の画像を得るべく撮像を行うことができる。
【０１５４】
モザイク技術の代替法を使用する任意の場合において、モザイク部分２０１は頭部の表面の１つの画像であってもよい。モザイク部分２０７は、手の画像としての独立した画像であってもよく、体幹の一部をさらに捉えたものであってもよい。他のモザイク部分を形成するために撮像される、対象またはその一部（別の表面の画像を含む）のさらなる画像の数は、何枚であってもよい。これらの画像は、重複していてもよく、はっきり分かれていてもよい。画像を重複させ、かつ／または同じ特徴、位置、場所、もしくは組織部位について複数の（例えば、異なる視点からの）画像を得て、オーバーレイ技術またはマスキング技術を適用することによって、分解能の向上および／または所望の組織の３次元レンダリングを達成することができる。
【０１５５】
このような様々な画像を組み合わせたりつなぎ合わせたりして、全身の表面積を計算することもできる。画像を組み合わせる前に、画像処理技術を使用して背景を除去し、対象の体のみを残す場合もある。画像の組み合わせを容易にするために、境界検出技術を使用して体の各部の輪郭を得てもよい。体の一部分を捉えた重複画像が存在する場合、組織の相互相関を実行することで、各部分を正しくまとめ、つなぎ合わせ、組み合わせる方法を決定できる。
【０１５６】
場合によって、様々な画像を組み合わせて、１つの組織分類に該当する全表面積を得てもよい。例えば、モザイク部分２１１および２１２は、熱傷のような組織状態にある表面積を概算するために使用される画像であるかもしれない。ここでも、組み立てられる個々の画像は、はっきり分かれていても、重複していてもよく、また組織の同じ部位または場所を異なる視点から撮像したものであってもよい。画像を組み合わせるプロセスは、当該組織状態として分類された組織の画像を複数取得し、当該分類領域に属する表面積を概算するためにそれらを組み合わせることを含む。
【０１５７】
いくつかの代替案では、撮像されていない領域を補うための補間技術を用いて見積もりを行う必要があるかもしれない。例えば、対象のいくつかの部分が、撮像時に偶然に除外されたり、熱傷でないこと、もしくは見積もりを行おうとしている状態とは別の状態にあることが明白であるという理由から除外されたりする場合がある。場合によって、対象の特定の領域が、場所的な理由（例えば、対象の脇の下にある）または対象の物理的制限（例えば、対象の傷が重く移動ができない）によって、撮像困難なこともある。そのような補間では、撮像されない領域の見積もりを行うために、体の対称性を利用したり、１つの領域と別の領域との間に直線を射影したりしてもよい。例えば、ふくらはぎの画像２０５が欠失していた場合、大腿の画像２１３に示されている脚の境界から、脚の下の画像２０３および／または２１５に示されている足首および足部の境界へと、直線射影できるであろう。この射影により、脚部のおよその形状を得ることができ、撮像されていない脚表面の見積もりが可能となる。
【０１５８】
対象の様々な部分の表面積を見積もるために使用できる方法は、他にも存在する。例えば、図５に、９の法則およびＬｕｎｄ−Ｂｒｏｗｄｅｒチャートを示す。例えば、５００で示す図は、９の法則の説明であり、頭頸部および腕は、それぞれ体表全体の面積の９％と見積もられている。例えば、腕５０１の合計表面積は、９の法則の下では、図の人物の体表全体の面積の９％であると見積もることができる。９の法則の下では、片脚ならびに体幹の前面および後面の面積はそれぞれ、体表全体の面積の１８％であると見積もられる。例えば、脚５０２の合計表面積は、９の法則の下では、図の人物の体表全体の面積の１８％であると見積もることができる。
【０１５９】
５０３で示す図は、体の様々な部分の表面積を概算する別の方法の存在を示す例である。Ｌｕｎｄ−Ｂｒｏｗｄｅｒチャート５０４は、患者の年齢によって表面積を見積もる１つ方法を示す。このチャートは、０歳、１歳、５歳、１０歳、および１５歳の子どもの頭部の１／２、大腿部の１／２、および下肢の１／２の体表面積の相対パーセンテージの概算値を示す。
【０１６０】
９の法則およびＬｕｎｄ−Ｂｒｏｗｄｅｒチャートはいずれも、体表全体の面積（ＴＢＳＡ）を計算するために使用できる見積もりの例に過ぎない。これらの見積もりもまた、体の一部が撮像されない場合に使用される前述の技術を補うものとして使用できる。例えば、撮像されない脚の表面積は、ＴＢＳＡの１８％を占めると仮定することで把握できる。
【０１６１】
患者によっては、９の法則、Ｌｕｎｄ−Ｂｒｏｗｄｅｒ、および他の見積もり方法が当てはまらないこともある。例えば、太り過ぎの患者や、体の特定の領域に過剰な組織を有する患者は、相対表面積が異なることもある。したがって、本明細書に記載される撮像技術は、従来行われてきたこれらのチャートのみに頼った方法と比べて、熱傷の％ＴＢＳＡをより正確に計算できるものである。さらに、本明細書に記載される％ＴＢＳＡ計算のいずれにおいても、モジュール１１４に入力された任意のデータ、またはモジュール１１２に自動的に送信された任意のデータを利用することができる。例えば、対象の年齢は、Ｌｕｎｄ−Ｂｒｏｗｄｅｒチャートを用いた体表面積の相対パーセンテージの概算において、有効に使用することができる。代替例では、性別、体重、身長、体格、体型、皮膚の色、人種、撮像された体の向き、および／または本開示において言及される任意の関連データを含む他のデータが、％ＴＢＳＡを計算するために入力または取得されてもよい。
【０１６２】
組織分類の％ＴＢＳＡを知ることは、適切な治療の決定にとって重要でありうる。例えば、熱傷では、熱傷の％ＴＢＳＡが増加するほど死亡率は高まる。図６は、米国熱傷協会がまとめたものであり、年齢群と熱傷の大きさによる死亡率を示している。患者の熱傷の％ＴＢＳＡが増加するにつれ、概して死亡率は上昇することがわかる。したがって、緊急治療を施すためには、％ＴＢＳＡの高い患者をできる限り迅速に特定することが重要でありうる。さらに、熱傷の％ＴＢＳＡが高まるにつれて、死亡率の勾配が急になる。したがって、熱傷の％ＴＢＳＡが高い場合、死に至る危険性が特に大きい対象を他から識別する際に、従来の方法よりも精度が高いことは重要である。大規模災害のような緊急事態で資源に限りがある場合、このような識別を行う能力は、特に重要であろう。したがって、本発明による代替案の、熱傷の％ＴＢＳＡを計算する能力は、長きにわたる要望を満たすものである。
【０１６３】
例えば、所望される治療決定の１つとして、蘇生のための流体量の決定が挙げられる。流体の喪失は、大きな熱傷を負った人々が直面する最も重大な問題の１つである。したがって、熱傷患者に投与される流体の量の適切な管理は、回復のための重要な側面と言える。多くの場合、流体が少な過ぎると、熱傷浮腫、熱傷ショック、脱水、死、および／または他の合併症につながりうる。流体が多過ぎても、感染症、浮腫、急性呼吸窮迫症候群、腹部コンパートメント症候群、水分過剰、および／または死といった合併症のリスクが増す。蘇生に必要な流体の量は、熱傷の％ＴＢＳＡに関連する。例えば、軽い熱傷であれば、一般に、経口の水分補給によって蘇生することができる。しかしながら、熱傷の％ＴＢＳＡが１５〜２０％（例えば、１５％、１６％、１７％、１８％、１９％、もしくは２０％、またはこれらのパーセンテージの間にある任意のパーセンテージ）に近づくと、対象における体液変動が大きくなり、熱傷浮腫や熱傷ショックを避けるためには、流体の管理がより重要になる。熱傷の％ＴＢＳＡが約２０％を超えると（例えば、２０％、３０％、４０％、５０％、６０％、７０％、８０％、９０％、またはこれらのパーセンテージの間にある任意のパーセンテージ）、血管内蘇生輸液を開始することが推奨されている。
【０１６４】
特定の代替案では、計算された熱傷の％ＴＢＳＡをプロセッサ１１２のようなプロセッサが用いることによって、患者に与えるべき流体の量が決定されてもよい。例えば、パークランドの公式を用いることで、熱傷の％ＴＢＳＡに基づいて、治療の最初の２４時間に投与する蘇生輸液量を概算してもよい。パークランドの公式は、Ｖ＝４×ｍ×（Ａ×１００）で表され、Ｖはミリリットルで表した輸液量であり、ｍはキログラムで表した対象の質量であり、Ａは小数で表した％ＴＢＳＡ（例えば、体表の５０％に熱傷を負った対象であれば、０．５）である。計算された量の半量が最初の８時間で投与され、残りの半量は、その後１６時間かけて投与される。流体の投与計画は、システムのユーザに向けて、例えば図３の出力２２０の一部のように、ＵＩ上に出力されてもよい。例えば、体重１００ｋｇの対象が体表の５０％に熱傷を負っている場合、システムは、パークランドの公式に従って、次の８時間は１２５０ｍＬ／時、その後１６時間は６２５ｍＬ／時というような２４時間の流体蘇生計画を出力してもよい。
【０１６５】
パークランドの公式は、特定の患者のニーズを満たすよう調整することもできる。例えば、高齢の患者に投与される流体の量は、水分過剰による浮腫や合併症が生じやすいため、減じる必要がある。一方、幼児のような若年の患者は、流体量が過剰であっても合併症のリスクは低い。投与する流体の量の調整には、対象の状態（例えば、熱傷の重症度）、脈拍、血圧、呼吸数および他の生理学的パラメータのような他の要因を使用することもできる。特定の代替案では、プロセッサ１１２のようなプロセッサは、投与する流体の量を調整するためにこれらの要因を使用する。これらの要因は、ユーザインターフェース（ディスプレイ／ＵＩ１１４等）を通じて入力されても、プローブ１００または生体リーダ１０６および／もしくは１０８によって測定されても、かつ／または別の方法でプロセッサ１１２によって入力、計算、概算、もしくは取得されてもよい。これらの要因は、さらに当該患者の病歴から得られる別のデータ、または他の患者から得られるデータを含んでいてもよい。プロセッサはさらに、計算において考慮する要因として別のデータ（当該患者の別のデータ、較正情報、および他の患者から得られるデータ）を得るために、動的ライブラリから情報を取得してもよい。
【０１６６】
いくつかの代替案において、考慮してもよい別の要因は、患者の総血液量および／または患者の総血液量における変化である。血液量が少ないことは、患者が蘇生のためにより多くの流体を必要としていることを示す。血液量を測定および／または概算する様々な方法が存在する。例えば、患者の血液量が多ければ、患者の組織に吸収される光は多い。このような効果は、赤色光または近赤外光領域（例えば、８４０ｎｍ、８５０ｎｍ、８６０ｎｍ、８７０ｎｍ、もしくは８８０ｎｍ、またはこれらの値のいずれか２つの間にある波長を含む、８４０ｎｍ〜８８０ｎｍの範囲またはこの近傍）において容易に測定することができるが、これは、このような波長の光が組織を容易に通過することによる。本明細書に開示する代替案は、反射する赤色光または近赤外光の量の変化を経時的に測定することによって総血液量および／または総血液量における変化を概算するために、使用することができる。例えば、いくつかの代替案において、反射する赤色光または近赤外光の量の経時的変化は、心臓の鼓動波形の収縮期および拡張期における位相シフトを測定するために使用することができる。これらのシフトは、収縮期圧および拡張期圧を知るために使用することができ、状況によっては、右心室および左心室の脈圧を見積もるために使用することができる。外部カフもまた、収縮期圧および拡張期圧を測定するために、追加的または代替的に使用することができる。次いで、この脈圧を使用して、左心室および右心室からの１回拍出量（１回の鼓動で心室から送り出される血液の量）を見積もることができる。この１回拍出量を用いれば、これと心拍数（心拍数もまた、本明細書で開示される代替案によって測定できる）とを掛け合わせることによって、心室からの心拍出量を計算することができる。この心拍出量は、血液量および／または血液量の変化を見積もるために使用されてもよい。
【０１６７】
当技術分野において既知の他の技術、例えば、ＰＰＧ、カテーテル、プレチスモグラフ、他の撮像技術、および／または静脈の伸展製を測定する別の技術等を使用して、血液量および／または血液量の変化を測定または概算することができる。例えば、酸素飽和度および脈拍を測定するために、患者がパルスオキシメータを装着してもよい。しかしながら、パルスオキシメータは、血管床（指、耳、または前額部）の血液量および／または血液量の変化を測定するＰＰＧ装置としての役割をも果たすものであってよい。
【０１６８】
いくつかの代替案において、総血液量および／または総血液量の変化のデータは、ＵＩ１１４等を使用するユーザによって、または別の手段によってデータパス（例えば、ワイヤを用いた接続またはワイヤレス送信等）に沿ってプロセッサに入力される。総血液量および／または総血液量の変化は、患者に投与される流体の量を計算するために、単独で、または％ＴＢＳＡもしくは本開示で言及される別の任意の要因と組み合わせて使用されてもよい。これらの追加的な要因および変更は、表示される流体蘇生計画に自動的に組み入れることができる。
【０１６９】
さらに、他の代替案では、％ＴＢＳＡに基づいて熱傷患者に投与される流体の量を計算する別の方法が使用される。別の方法としては、ブルックの公式、ブルックの改変公式、パークランドの公式、および当技術分野で既知である別の任意の相関が挙げられる。代替案では、標準公式が一切使用されなくてもよい。例えば、投与される流体の量は、機械学習を通じて計算することもでき、患者の病歴または他の患者の病歴を含む病歴データから別の方法で算定することもできる。
【０１７０】
次いで、組織を照射し、画像を取得し、画像データを解析するために使用される特定の装置および方法に目を向ければ、熱傷および他の傷を評価するための装置および方法を開発するための多くの試みがなされてきたことが理解されるであろう。いくつかの方法には、サーモグラフィー、核磁気共鳴、分光法、レーザードップラーフローメトリー、および超音波が含まれる。さらに、組織の微小血管床における血液量の変化を検出するために、プレチスモグラフィー（ＰＰＧ）が使用されている。単に容積測定のみを行うＰＰＧを単独で使用するだけでは、組織の完全な分類はなし得ない場合もある。また、マルチスペクトル撮像（ＭＳＩ）は皮膚組織における差異を識別するために使用されてきたが、この技術では組織の完全な分類はなし得ない。現在のＭＳＩ技術では、肌タイプ、体の異なる領域の皮膚の違い、および考えられる傷の前処理による差異を埋め合わせることは、困難である場合が多い。ＭＳＩ単独では、皮膚の状態に関する全般的な評価をなし得ない可能性があるが、これは、ＭＳＩ技術が、皮膚の外観および皮膚の構成のみを測定し、組織に対する栄養や酸素の供給可能性といった、皮膚の分類にとって重要な動的変数を測定しないことによる。
【０１７１】
本明細書に記載されるいくつかの代替案では、皮膚の分類の迅速性、信頼性、および正確性を改善するために、ＭＳＩとＰＰＧとが組み合わされる。本明細書に記載される該代替案では、例えば、皮膚の構造および機能（外傷を受けた皮膚とは対照的な正常な状態であるように正しく機能するか）をより正確に評価するために、画像データを使用して、血液、水、コラーゲン、メラニン、および他のマーカーの寄与を測定することができる。さらに、本明細書に記載される代替案では、皮膚から反射される光の変化を経時的に検出することで、重要な生理学的情報を取得する。これによって、臨床医が組織の生存率および機能、例えば組織のある部位における血液灌流および酸素化等を迅速に評価することが可能となる。
【０１７２】
図７に、いくつかの代替案においてプローブ１００、コントローラ／クラシファイヤ／プロセッサ１１２およびディスプレイ／ＵＩ１１４として使用することができる（必須ではない）システムを示す。図７のシステムについては後に説明するが、ＭＳＩ技術とＰＰＧ技術とが組み合わされていることにより、これまでのシステムと比べて、より小さい面積の組織領域をより高い精度で解析して分類するために使用することができ、必ずしも上記した全身解析のシステムおよび方法と関連付けて使用する必要はない。
【０１７３】
図７のシステムにおいて、プローブ４０８は、１以上の光源と１以上の高分解能マルチスペクトルカメラを含む。このカメラは、高精度な組織分類を実行するために、時間的、空間的なスペクトル分解能を維持しつつ、ターゲットである組織領域４０９を複数の画像で記録する。プローブ４０８は、複数のカメラ、撮像装置、プリズム、ビームスプリッタ、光検知器、フィルター、およびマルチスペクトルバンド光源を含んでもよい。このカメラは、当該組織領域について、異なる波長の光の散乱、吸収、反射、透過、および／または蛍光を経時的に測定することができる。このシステムは、また、ディスプレイ／ＵＩ４１４と、プローブ４０８の動作を制御し、ユーザからの入力を受信し、ディスプレイの出力を制御し、画像の画素の解析および分類を実行するコントローラ／クラシファイヤ／プロセッサ４１２とを含む。
【０１７４】
データセット４１０は、プローブ４０８の出力例であり、撮像された空間的位置における異なる時間、異なる波長の反射光に関するデータを含む。撮像された空間的位置における異なる波長の光に関するデータの例を、データサブセット４０４に示す。データサブセット４０４は、当該組織領域の複数の画像を含んでいてもよく、それぞれの画像は、選択された異なる周波数帯において、該組織領域から反射された光を測定したものである。データサブセット４０４の複数の画像は、同時に取得されたものであってもよく、本質的に同時に取得されたものであってもよい。「本質的に同時に」とは、時間差が１秒以内であることを意味する。撮像された空間的位置における、異なる時間の組織領域からの反射光に関するデータの例を、データサブセット４０４に示す。データサブセット４０２は、１秒より長い時間、一般的には２秒より長い時間をかけて、異なる時間に撮像された複数の画像を含む。データサブセット４０２の複数の画像は、選択された１つの周波数帯で取得されたものであってよい。場合によって、データサブセット４０４の複数の画像は、１秒より長い時間、一般的には２秒より長い時間をかけて撮像されてもよく、データサブセット４０２の複数の画像は、複数の周波数帯で撮像されてもよい。しかしながら、サブセット４０４およびサブセット４０２を含む、組み合わされたデータセットは、異なる時間および異なる周波数帯のいずれにも対応する画像を含む。
【０１７５】
データサブセット４０４の画像を収集するために、いくつかの代替案では、前記１以上のカメラは、パスバンドの異なる複数のフィルターを備えたフィルターホイールに連結される。該１以上のカメラが対象の組織領域の画像を取得する際、フィルターホイールが回転する。フィルターホイールの回転に応じて、フィルターの位置に同期した画像を取得することによって、該１以上のカメラは、異なるスペクトルバンドで対象を記録することができる。このようにして、カメラは、組織領域の各画素で反射された、異なる周波数帯の光を受光する。実際に、多くの場合、本明細書に記載される装置は、これらのフィルターの使用によって、ヒトの目では識別できないスペクトルの光を解析できるようになる。多くの場合、これらの様々なスペクトルにおいて反射および／または吸収される光の量により、対象の組織または特定の組織領域の化学的組成および物理的組成についての手がかりが得られる。フィルターを使用して得られたデータが３次元データアレイを形成する場合もあり、このデータアレイの１つの次元はスペクトルであり、２つは空間的次元である。２つの空間的次元における各画素は、取得された各スペクトルバンドにおける反射光の強度によって特定されるスペクトルシグネチャーによって特徴付けることができる。様々な波長の光の強度は、ターゲットの組成についての情報を与える。これは、組成が異なれば、様々な周波数の光の散乱、吸収、反射、透過、および／または蛍光発光が異なることによる。これらの様々な波長の光を測定することによって、プローブ４０８は、画像の各画素に対応する個々の空間的位置における組成情報を捕捉する。
【０１７６】
データサブセット４０４とするために複数のスペクトルバンドで画像を取得する特定の代替案において、前記１以上のカメラは、ハイパースペクトルライン走査撮像装置を含む。ハイパースペクトルラインスキャナは、フィルターホイールの各フィルターの分離したバンドの代わりに連続したスペクトルバンドを有する。このハイパースペクトルラインスキャナのフィルターは、ＣＭＯＳ画像センサーと一体化されていてもよい。場合により、該フィルターは、モノリシックに一体化された光学干渉フィルターであり、複数のフィルターが階段状に配置されている。場合により、該フィルターは、くさび状および／または階段状の形状である。場合により、４００〜１１００ｎｍの波長（４００ｎｍ、５００ｎｍ、６００ｎｍ、７００ｎｍ、８００ｎｍ、９００ｎｍ、１０００ｎｍ、もしくは１１００ｎｍ、あるいはこれらの値のいずれか２つの間にある波長等）に対応する数十から数百のスペクトルバンドが存在することもある。撮像装置は、それぞれのフィルターラインを使用して組織を走査し、組織からの反射光を、それぞれのフィルターを通して検出する。
【０１７７】
また別の代替案では、異なるスペクトルバンドの光のフィルタリングを行うための別のフィルターシステムを使用することができる。例えば、いくつかの代替案ではファブリペローフィルターが使用される。他のフィルター構成も、例えば、フィルターをタイル構造に配置したり、ベイヤーアレイまたはマルチセンサアレイのようなパターンでフィルターを画像センサー（ＣＭＯＳ、ＣＣＤ等）上に直接配置したりして、使用することができる。
【０１７８】
いずれの場合も、フィルターのパスバンドは、得ようとしている情報のタイプに基づいて選択される。例えば、熱傷の部位および周囲の組織における血液、水、コラーゲン、およびメラニンの寄与を捉えるために、熱傷の部位は、壊死組織除去の各段階において、４００〜１１００ｎｍの波長（４００ｎｍ、５００ｎｍ、６００ｎｍ、７００ｎｍ、８００ｎｍ、９００ｎｍ、１０００ｎｍ、もしくは１１００ｎｍ、あるいはこれらの値のいずれか２つの間にある波長等）で撮像されてもよい。重症度の異なる中間層熱傷を観察するための、ブタ熱傷モデルを使用した特定の実験において、壊死組織除去プロセスをガイドするためには、約５１５ｎｍ、７５０ｎｍ、および９７２ｎｍの波長の吸収スペクトルが所望され、一方、深達〜中間性中間層熱傷と、深達性中間層熱傷とを識別するためには、約５４２ｎｍ、６６９ｎｍ、および９６０ｎｍの波長の吸収スペクトルが所望された。
【０１７９】
別の実験では、中間層熱傷を有するミニブタの成体の撮像を行った。健康な皮膚、充血、移植可能、血液、重度でない熱傷、および重度の熱傷として組織を分類するために、健康な皮膚のサンプル、熱傷サンプル、および熱傷からの切除片のサンプルを使用した。実験において、「健康な皮膚」には、熱傷に関連する傷を有さない皮膚領域を含めた。「充血」は、灌流の多い領域に相当し、これは一般に、治療をせずとも治癒することが期待されるＩ度の熱傷に相当するものであった。「移植可能」のカテゴリーは、一般に、点状出血を有する淡いピンク色の皮膚に相当するものであった。この組織は、一般に、皮膚移植に望ましいものであった。「血液」のカテゴリーは、分類すべき組織を血液が覆っているために、溜まった血液を除去して再度撮像する必要のある、やや広い領域に相当するものであった。「重度でない熱傷」のカテゴリーは、灌流が減少しているうっ血領域ではあるが、救済の可能性のある組織に相当するものであった。「重度の熱傷」のカテゴリーは、タンパク質が凝固して不可逆的な組織の喪失が生じ、切除が望ましい領域に相当するものであった。
【０１８０】
本開示の代替案を用いて、組織サンプルから反射された光を、４００〜１１００ｎｍの範囲にある様々な波長（４００ｎｍ、５００ｎｍ、６００ｎｍ、７００ｎｍ、８００ｎｍ、９００ｎｍ、１０００ｎｍ、もしくは１１００ｎｍ、あるいはこれらの値のいずれか２つの間にある波長等）で測定し、種類の異なる組織間で反射光の量の差が大きくなる波長のセットを求めた。このような差は、組織のクラスを、少なくとも健康な皮膚、充血、移植可能、血液、重度でない熱傷、および重度の熱傷のカテゴリーへと効果的に分類するために使用できる可能性がある。最適なセットは、時には、重複の最も少ない、最も示差的な波長を含む波長セットとして特定された。これに関連して、最も示差的な波長は、特定の組織クラスを他のクラスから効果的に識別できる波長として見出された場合もあった。最小の重複は、同じ情報を測定した複数の波長のうち１つのみを含めることによって見出された場合もあった。波長のセットを用いて組織サンプルを分類した後、この分類を医師による組織サンプルの正確な評価と比較した。
【０１８１】
分類の精度を試験するために、異なる実験にわたるデータ分割を行った。実験の第１のセットでは、４７５ｎｍ、５１５ｎｍ、５３２ｎｍ、５６０ｎｍ、５７８ｎｍ、８６０ｎｍ、６０１ｎｍ、および９４０ｎｍの波長の測定を行った。実験の第２のセットでは、４２０ｎｍ、５４２ｎｍ、５８１ｎｍ、７２６ｎｍ、８００ｎｍ、８６０ｎｍ、９７２ｎｍ、および１０６４ｎｍの波長の測定を行った。実験の第３のセットでは、４２０ｎｍ、５４２ｎｍ、５８１ｎｍ、６０１ｎｍ、７２６ｎｍ、８００ｎｍ、９７２ｎｍ、および８６０ｎｍの波長の測定を行った。実験の第４のセットでは、６２０ｎｍ、６６９ｎｍ、６８０ｎｍ、７８０ｎｍ、８２０ｎｍ、８３９ｎｍ、９００ｎｍ、および８６０ｎｍの波長の測定を行った。
【０１８２】
第１の実験セットと第２の実験セットにおいて、組織の分類に最良の変動を示した波長は、８３％の精度で組織を分類するために使用された。これらの波長は、（相対的な重みの順に）７２６ｎｍ、４２０ｎｍ、５１５ｎｍ、５６０ｎｍ、８００ｎｍ、１０６４ｎｍ、９７２ｎｍ、および５８１ｎｍであった。同様に第３の実験セットと第４の実験セットにおいて、組織の分類に最良の変動を示した波長は、７４％の精度で組織を分類するために使用された。これらの波長は、（相対的な重みの順に）５８１ｎｍ、４２０ｎｍ、６２０ｎｍ、８６０ｎｍ、６０１ｎｍ、６８０ｎｍ、６６９ｎｍ、および９７２ｎｍであった。これらのセットのいずれにおいても、その精度は、臨床判断のための現在の標準的な信頼性（熱傷の深さを６７〜７１％の精度で判定する）よりも高かった。さらに、８６０ｎｍの波長は、ＭＳＩのアルゴリズムにもＰＰＧのアルゴリズムにも特に効果的であり、したがって、これらを組み合わせた装置にも効果的であることがわかる。これらの実験のセットから、４００〜１１００ｎｍの範囲にある波長（４００ｎｍ、５００ｎｍ、６００ｎｍ、７００ｎｍ、８００ｎｍ、９００ｎｍ、１０００ｎｍ、もしくは１１００ｎｍ、あるいはこれらの値のいずれか２つの間にある波長等）は、効果的な組織分類に使用可能であることがわかる。前述の通り、他の波長セットも同様に有効でありうる。例えば、実験において有効であった波長セットを用いると、重複は最小限に抑えられた。したがって、他の波長も、組織のいくつかの特徴を効果的に分類するために使用できる。また、上記した実験を用いて、熱傷および／または本明細書に記載した他の組織状態を効果的に分類する他の波長を見出してもよい。
【０１８３】
概して言えば、上記の実験により、４００〜９００ｎｍの範囲にある波長（４００ｎｍ、５００ｎｍ、６００ｎｍ、７００ｎｍ、８００ｎｍ、もしくは９００ｎｍ、あるいはこれらの値のいずれか２つの間にある波長を含む）は、熱傷の撮像に特に有効であることが見出された。さらに詳しくは、この範囲において、熱傷を撮像するための波長セットを構成することができ、このセットにおいて、少なくとも１つの波長は５００ｎｍ未満であり、少なくとも２つの波長は５００〜６５０ｎｍの間にあり、かつ少なくとも３つの波長は７００〜９００ｎｍの間にあった。このセットは、熱傷を撮像し、撮像された熱傷組織を複数のカテゴリーに分類することにおいて効果的であった。
【０１８４】
また、この実験に基づいて、試験した各波長を、分類における見かけの有意性の順に並べ、以下のランキングとして示す。
【表１】
2019502418.tif 000003
【０１８５】
データサブセット４２０の画像を収集するために、前記１以上のカメラは、患者の生理学的事象または状態に相当する組織領域の動きに起因する反射光強度の経時的変化を測定できるような十分に短い時間間隔で、選択された数の画像を取得できるよう構成されている。場合によって、時間を置いて取得された複数の画像から得られるデータは３次元データアレイを形成するが、このデータアレイは、時間的次元を１つ、空間的次元を２つ有している。３次元アレイ内の各画素は、反射光強度の時間ドメインにおける変化によって特徴付けることができる。この時間ドメイン信号は、血圧、心拍数、血管抵抗、神経刺激、心臓血管の健康、呼吸数、体温および／または血液量に関連する異なる周波数成分において異なるエネルギーを有している。特定の代替案においては、ノイズを除去するために、フィルターを使用してもよい。例えば、室内における周囲光の主たる波長スペクトルに相当する光の波長を除去するために、８６０ｎｍのバンドパスフィルターを使用してもよく、これにより、取得される画像は、プローブ４０８の光源に由来する反射光に応じたものとなる。このようにすることで、交流電源ラインの周波数に起因して周囲光に存在する６０ヘルツの揺らぎのような、周囲光の揺らぎによる偽信号を低減および／または防止できる。
【０１８６】
画像取得および信号処理の有利な手順についてのさらなる詳細を、図８を参照しつつ説明する。この図は、図７の装置で実行されうるプロセスを示す。図８は、組織を分類するためのいくつかの代替案において使用されるプロセスを例示するフロー図６００である。ブロック６０２および６０３は、いくつかの代替案において、例えば、プローブ４０８を使用して、複数のマルチスペクトル画像や時間分離画像（例えば、動画）が取得されることを示している。時間分離画像、例えば、データサブセット４０２において、全体としてノイズが少なく、信号対ノイズ比の高い信号を得るためには、比較的長い露出時間が望ましいことがわかった。特定の場合において、捕捉時間は２７秒とされたが、これは従来のＰＰＧ撮像プロセスにおける捕捉時間である７秒よりも長い。したがって、いくつかの代替案において望ましい捕捉時間は、少なくとも８秒、９秒、１０秒、１１秒、１２秒、１３秒、１４秒、１５秒、１６秒、１７秒、１８秒、１９秒、２０秒、２１秒、２２秒、２３秒、２４秒、２５秒、２６秒、２７秒、２８秒、２９秒、３０秒、３１秒、３２秒、３３秒、３４秒、３５秒、３６秒、３７秒、３８秒、３９秒、４０秒、４１秒、４２秒、４３秒、４４秒、４５秒、４６秒、４７秒、４８秒、４９秒、５０秒、５１秒、５２秒、５３秒、５４秒、５５秒、５６秒、５７秒、５８秒、５９秒、もしくは６０秒であるか、これらよりも長いか、またはこれらの値のいずれか２つの間の時間である。この捕捉時間中に撮像装置が捕捉する１秒当たりのフレーム数を、設定してもよい。状況によっては、１秒当たり３０フレーム（３０ｆｐｓ）または１秒当たり６０フレーム（６０ｆｐｓ）が、組織の撮像において効果的である。３０ｆｐｓで２７秒間であれば、撮像装置は約８１０枚の画像を取得する。６０ｆｐｓで２７秒間であれば、撮像装置は約１６２０枚の画像を取得する。いくつかの代替案では、取得する画像の枚数は、（例えば、ヒトの心拍を捕捉するために）必要とされるデータの分解能に依存することもある。例えば、ＣＭＯＳカメラの場合、２０〜１２０ｆｐｓが使用されてもよい。これは、２０ｆｐｓ、３０ｆｐｓ、４０ｆｐｓ、５０ｆｐｓ、６０ｆｐｓ、７０ｆｐｓ、８０ｆｐｓ、９０ｆｐｓ、１００ｆｐｓ、１１０ｆｐｓ、もしくは１２０ｆｐｓまたはこれらの値のいずれか２つの間にあるサンプリングレートを含む。
【０１８７】
また、特定の代替案では、光の強度が高く、信号が飽和してパルス波形がマスクされる場所である照射スポットのために、光源の位置決めが重要であった。いくつかの代替案では、この問題は、散光器および他のフロントエンドハードウェア技術を用いることで解決できた。しかしながら、フロントエンド技術によって照射スポットを除去できない場合、いくつかの代替案では、照射スポットを除去するために、信号処理を行った。実際に、信頼性のある組織病理画像を作成するために、ノイズが除去される一方で、信号は望ましく保存され、表示される。このプロセスは、照射スポットに関するノイズおよび他の無関係な信号を除去することを含む。
【０１８８】
ブロック６０４において、時間分解型画像シーケンス（例えば、データサブセット４０２）は、処理のために、コントローラ／クラシファイヤ／プロセッサ４１２に送信され、ここでは、組織領域における血液灌流を計算するためのＰＰＧアルゴリズムが使用される。このプロセスは、ノイズを除去し、目的の信号の部分を取り出して、信号対ノイズ比を押し上げるために、増幅、線形化、信号の平均化、相関、および／または１以上のフィルター（例えば、バンドパス、ハイパス、もしくはローパス）を含むことができる。過度のフィルタリングは不可欠なデータを除去することになり、フィルタリングが不十分であると信号の解析が困難になるため、フィルターの選択は重要である。相互相関および自己相関も、ノイズを除去するために使用することができる。いくつかの代替案では、後述するように、サンプル信号を使用してノイズを除去することもできる。次いで、この信号は周波数ドメインに変換される。例えば、いくつかの代替案では、高速フーリエ変換（ＦＦＴ）が使用される。ＦＦＴの実行後、信号は周波数によって解析される。複数の時間分離画像にわたる、各画素での反射光強度の時間ドメインにおける変動は、様々な周波数において信号エネルギーを有している。これらの周波数、およびそれらが対応している生理学的事象は、画素によって撮像された組織位置におけるそのような生理学的事象の発生と強度の影響の指標となる。例えば、ヒトの安静時の心拍の周波数にほぼ等しい１．０ヘルツ付近のバンドに存在する画素の信号強度は、画像中の画素の位置にある組織への、あるいはその近傍での血流を評価するために使用することができる。
【０１８９】
いくつかの代替案では、関連する信号は極大値を見ることにより特定することができる。例えば、心拍数は、最も高いピークの周波数近傍のバンドにおける信号のエネルギーに注目し、該ピークが心拍に誘導される血圧の変化の一部であると仮定することによって見出された。しかしながら、この方法では、実際の心拍数の信号よりも高いピークを有すノイズを特定できないかもしれない。そのような場合、他の代替案では、ノイズ信号、ホワイトノイズ信号および他の信号の実例または参照データベースに基づいてコンピュータ学習やコンピュータトレーニングを行う信号処理が用いられる。このコンピュータは、当該信号をノイズから識別することを習得するために、関連する信号およびノイズの例について解析を行う。例えば、血流に関する信号を特定する場合、心拍と同じ周波数成分を有する信号であれば、関連している可能性がある。コンピュータ学習では、心拍をノイズから識別するために、心拍信号の例を利用したり、心拍信号の参照用データベースを参照したりする。コンピュータ学習プロセスは、そのような基準点およびデータベースを利用して、ホワイトノイズ、擬似心拍信号、および心拍信号よりも高いピークを有するノイズ信号を解析することもできる。コンピュータ学習は、周波数、振幅、信号対ノイズ比、ゼロ交差、代表的形状、または他の信号特性等の特徴に基づいて、信号を特定することができる。
【０１９０】
いくつかの状況では、信号を特定するために、さらなる比較が行われる。例えば、いくつかの代替案では、精選された臨床病期信号の編集が行われる。次いで、測定された信号を目的の信号またはノイズとして分類するために、精選された臨床病期信号と測定された信号との比較が行われる。実施されたさらなる技術的進歩は、エッジ効果の除去であった。いくつかの代替案において、画像の端部に粒状ノイズが見られ、目的の領域を所望の通りに際立たせることができない場合もあった。エッジ効果を除去すると、目的の領域は、より高い信号強度を示した。いくつかの代替案では、エッジの除去は、平均化、膨張と収縮、エッジの検出と強調を含む画像処理によって達成された。
【０１９１】
別の技術的な進歩は、動きアーチファクトの自動的な除去であった。動きアーチファクトは、患者の呼吸、患者の動き、または画像に歪みをきたす可能性のある、カメラもしくは患者の周囲の一般的な振動に関連する動きを含む。これらの動きアーチファクトを除去するために、信号の「ウィンドウ」処理を行った。これは、周囲の部分よりもはるかに大きく、かつノイズの多い時間ドメインの領域を特定し、それらの領域を「動き」として特定するものである。次いで、これらのセグメントを時間ドメインから切り取ることにより、動きアーチファクトのない修正信号が得られる。ノイズおよびそれ以外の不要な信号の部分を除去するために、別のフィルターや選択方法が使用されてもよい。この処理の後、所望の周波数（たとえば、一般に約１ヘルツ）において計算された信号エネルギーによって、組織領域（例えば、２次元の画素位置それぞれ）を、その画素位置における血液灌流を特徴付けるカテゴリーに分類することができる。
【０１９２】
いくつかの代替案では、ブロック６０２および６０４と実質的に同時に、さらにブロック６０３および６０５が実行される。ブロック６０３では、マルチスペクトルデータキューブ（例えば、図７のデータサブセット４０４）を形成する画像の取得が行われる。このデータキューブは、ＭＳＩスペクトルバンドのそれぞれについての２次元画像を含む。このような代替案において、ブロック６０５では、次いでデータを分析するためにＭＳＩアルゴリズムが適用され、ブロック６１４では、システムによって、組織領域のそれぞれ（例えば、２次元の画素位置それぞれ）に組織組成のカテゴリーが割り当てられる。
【０１９３】
ブロック６１６は、ＭＳＩとＰＰＧの両方のデータに基づいて組織分類をするために、血液の潅流とブロック６０３および６０４からのＭＳＩデータを組み合わせる。
【０１９４】
例えば、説明のために言えば、８枚のバンドパスフィルターの使用により、撮像された各画素に対して、選択されたスペクトルバンドにそれぞれ対応する８つの反射率値が生成されるようにしてもよい。また、赤外光または近赤外光波長（例えば、８４０ｎｍ、８５０ｎｍ、８６０ｎｍ、８７０ｎｍもしくは８８０ｎｍ、またはこれらの値のいずれか２つの間にある波長を含む、８４０ｎｍ〜８８０ｎｍの近傍）に中心波長を有するフィルターを使用して、１秒当たり３０フレームの撮像を２７秒間行うことで、８１０枚の画像を取得してもよい。これら８１０枚の画像に対して、上述したように周波数ドメインにおける解析を行い、撮像された各空間位置における血液潅流を特徴付け、撮像された各画素の潅流値を生成するＰＰＧデータを得てもよい。このように、撮像された組織領域の各画素は、８枚のバンドパスフィルターのそれぞれを用いて取得された測定値に対応する測定値と、局所的な血流に対応する値とを有する。したがって、各画素の測定値は合計９つとなる。これらの９つの測定値を使用して、画素を異なるカテゴリーに分割（例えば、分類）することができる。当業者であれば理解できるであろうが、各画素について任意の数（例えば、２つ、１０、２０、もしくはこれらのいずれか２つの間にある任意の数、またはそのいずれかよりも大きな数）の測定値を取得することができ、そのような測定値によって画素を分割してもよい。
【０１９５】
様々な分割法／分類法を使用できるであろう。一般に、クラシファイヤは、測定パラメータおよび適切な分類が既知である「トレーニング」データセットを使用してトレーニングされる。トレーニングされたクラシファイヤは、次いで、やはり測定パラメータおよび適切な分類が既知であるが、クラシファイヤのトレーニングには使用されなかった「テスト」データセットによってテストされる。クラシファイヤの質は、そのクラシファイヤがテストデータセットをどの程度正しく分類するかによって評価することができる。いくつかの代替案では、所定の数のカテゴリーを使用して、画素をそれら所定のカテゴリーへと分類することができる。例えば、トリアージ環境において熱傷を分類するために、健康な皮膚、充血、重度でない熱傷、および重度の熱傷のカテゴリーを使用してしてもよい。
【０１９６】
他の代替案では、カテゴリーの数は未知であり、プロセッサ１１２のようなプロセッサが、画素のグループ化、およびそれらの相対的な特徴に基づいてカテゴリーを作成する。例えば、プロセッサは、特定の波長において血流量がかなり少なく、正規化された画素強度がかなり低い組織領域を、周囲の測定値と比較したそれらの測定値を根拠として、重度の熱傷と関連があるものとして特定することができる。
【０１９７】
いくつかの代替案では、画素は、各カテゴリーにあらかじめ設定された値の範囲に基づいて分配される。例えば、光反射率の値の特定の範囲は、健康な皮膚と関連付けられてもよい。データがその範囲内にあれば、その組織は健康な皮膚として特定される。あらかじめ設定された範囲は、システム４１２上のメモリーに保存されていてもよく、ユーザによって入力されてもよく、またはシステム学習もしくは適合アルゴリズムによって自動的に決定されてもよい。いくつかの代替案では、カテゴリーは、データアップリンク、クラウド（本明細書で後述される）、または他の任意のデータソースのような外部のソースによってシステムに伝達される情報によって定義される。他の代替案では、各カテゴリーの値の現在の範囲は未知であり、プロセッサは、各画素における測定値を相互に比較し、それに基づいてカテゴリーの適合化を行う。
【０１９８】
いくつかの代替案では、適合アルゴリズムを使用して、共通の特徴を有するグループに画素を分類し、それらのグループを特定してもよい。例えば、グラフ理論を使用して、最小カットのようなグラフカットを見出すことによって、画素をカテゴリーに分類することができる。他の分割方法を使用してもよく、例えば、閾値化、クラスタリング（例えば、ｋ平均法、階層的クラスタリング、ファジィクラスタリング）、流域アルゴリズム、境界検出、領域拡張、統計的グルーピング、形状認識、形態学的画像処理、コンピュータトレーニング／コンピュータビジョン、ヒストグラムベース法、およびデータをグループに分類するための当業界で既知である任意の分割法を使用することができる。
【０１９９】
いくつかの代替案では、分割にさらに情報を加えるために病歴データを使用してもよい。病歴データは、当該患者が以前に得たデータおよび／または他の患者から得られたデータを含んでいてもよい。特定の代替案では、皮膚の色、人種、年齢、体重、性別、および他の生理的な要因のような他のデータが、分割プロセスにおいて考慮される。いずれの場合にも、データはアップロードされてもよく、クラウドから得てもよく、別の方法でシステムに入力されてもよく、ＵＩ１１４が使用されてもよい。特定の代替案では、患者データの動的ライブラリが解析される。ｔ−検定、ｆ−検定、ｚ−検定、またはその他任意の比較のための統計的手法を含む統計的手法を用いて、以前に特定された画像と取得した画像とを比較してもよい。このような比較は、例えば、測定された画素強度、画素の、画像内の他の画素に対する相対的測定値、および画素の分布を考慮して行うことができる。
【０２００】
特定の代替案では、組織の分類を支援するために、熱傷のような組織の状態の典型的な画像で動的ライブラリが更新されてもよい。別の代替案において、それらの画像は、どのような組織状態を示しているか、またそれをどの程度明確に示しているかによって、指定され特定されてもよい。撮像された皮膚の状態における角度、質、および状態の差異を考慮するために、動的ライブラリには、異なる角度から撮られた様々な画像が含まれていることが望ましい。
【０２０１】
図８に戻るが、様々な出力データが、ユーザに提示されうる。そのようなデータとしては、ＰＰＧデータに基づくＰＰＧ潅流画像６２０、ＭＳＩデータに基づくＭＳＩ分類画像、通常のＲＧＢデータに基づく白色光照射画像、およびＭＳＩデータとＰＰＧデータの組み合わせに基づく分類を示すＭＳＩ／ＰＰＧ融合画像６２２が挙げられる。例えば、図１〜図６を参照しつつこれまでに説明したトリアージ装置において、図３のディスプレイの出力２１２、２１４、２１６、および２１８は、組み合わせによるＭＳＩ／ＰＰＧ融合分類画像６２２であってもよい。このような画像において、対象の組織領域（例えば、画素）はそれぞれ、上記した通り、健康、充血、重度の熱傷、および重度でない熱傷のような熱傷のカテゴリーに分類される。これに加えてあるいはこれに代えて、図３に示すような、各カテゴリーにおける％ＴＢＳＡ等の出力データがユーザに提示されることもある。
【０２０２】
組織を分類する際に組成および生存率データの両方を用いることは、先行技術に対して大きな進歩である。図９Ａ、図９Ｂ、図９Ｃ、および図９Ｄは、熱傷分類におけるそのような利点のいくつかを示すものである。ある実験では、中間層熱傷を有するミニブタの成体の撮像を行った。図９Ａは、実験に使用した５つの組織サンプルの例である。図９Ａは、通常の写真用カメラを用いて撮影したものである。これらの画像は、受傷前（例えば、熱傷前）の組織表面、熱傷後の表面、ならびに熱傷に対して接線方向に３回の切除（１回目の切除、２回目の切除および３回目の切除）を行い、その表面を撮影したものである。同じ５つの組織サンプルを使用して、ＰＰＧの結果、ＭＳＩの結果、および本明細書に開示される特定の代替案による、組織をＰＰＧアルゴリズムとＭＳＩアルゴリズムの両方に基づいて分類する新しいシステムの結果を比較した。この実験の画像は、医師が独立して解析することのできる組織を撮影したものであるため、これらの撮像装置の結果を比較することによって、組織の分類における異なる撮像技術の効果を評価することができる。
【０２０３】
図９Ｂは、画像の各画素におけるＰＰＧ撮像のデータのみを示す５つの画像の例である。画像は、ＰＰＧデータのみに基づいて組織を正しく分類することには限界があることを示している。このデータから容易に特定できるのは、血流が最少である、最も重度の熱傷組織のみである。組織領域８０８、８１０、８１２、および８１４は、血流が最少であるそのような組織領域の例であり、評価の結果、他の領域よりもかなり暗い色で示されている。これら以外の領域は、そのスペクトルにおいて、血流の読み取り値が最大と最小の間のいずれかの場所にあり、分類は困難である。
【０２０４】
図９Ｃは、画像の各画素におけるＭＳＩ撮像のデータのみを示す５つの画像の例である。画像は、このＭＳＩデータのみに基づいて組織を正しく分類することにも限界があることを示している。受傷前の画像において、実際には「健康な皮膚」であるべき組織の多くが「充血」として分類されている。熱傷の画像において、領域８１６は、重度の熱傷として正確に特定されている。しかしながら、領域８１８のようないくつかの領域は、「健康な皮膚」であるところを「重度の熱傷」として誤って分類されている。１回目の切除において、領域８２０のような領域は、「移植可能な創傷床」として分類されるべきであるところを「重度でない熱傷」として誤って特定されている。同様に、３回目の切除の領域８２０もまた、「移植可能な創傷床」として分類されるべきであるところを「重度でない熱傷」として誤って特定されている。
【０２０５】
図９Ｄは、本明細書に開示される特定の代替案による、少なくともＰＰＧアルゴリズムとＭＳＩアルゴリズムをいずれも利用する新しいシステムから得られたデータを示す、同じ５枚の画像の例である。この新システムは、受傷前の組織を「健康な皮膚」として正しく特定する。熱傷の画像において、新システムは、領域８２６の「重度の熱傷」である組織を囲む「充血」組織のリングとして領域８２４を正しく特定する。このリングは、ＰＰＧやＭＳＩでは正しく特定されなかった。熱傷の画像において、新システムはさらに、実際には健康な皮膚であるところを「重度の熱傷」とする誤りを減少させた。同様に、１回目の切除の画像および３回目の切除の画像において、新システムは、移植可能な創傷床を正しく特定したが、これはＭＳＩ画像やＰＰＧ画像ではなされなかった。すなわち、ＭＳＩ撮像装置は、「移植可能な創傷床」とされるべき領域８２０および８２２を、「重度でない熱傷」として誤って分類した。新システムは、領域８２８および８３０として示されるこれら同一の領域を、「移植可能な創傷床」として正確に特定する。
【０２０６】
この実験の結果からわかるように、組成および生存率の両方に基づいて組織を分類する新しいシステムは、ＰＰＧ単独およびＭＳＩ単独を含む先行技術よりも適切に、壊死組織除去の異なる段階における熱傷を分類した。このように、新システムは、先行技術における他のシステムおよび方法に対する、予想外の大きな進歩をもたらすものである。
【０２０７】
本明細書に記載されるいくつかの代替案の臨床用途の１つは、熱傷の分類である。図１０に、熱傷治療の流れを簡略化して示す。組織７００は、組織に熱傷があることを示している。皮膚層７０２は、皮膚の表面に熱傷があることを示している。熱傷は、しばしば、皮膚の変色や表皮の喪失につながる。皮膚層７０２の下には、血液が供給されない変性した皮膚である組織層７０４が存在する。これは、時として凝固部、凝固壊死部、または焼痂と呼ばれる。これは、死んだ組織である。組織層７０４の近傍またはその周囲は、熱傷の程度に応じて、血流に変化をきたした別の組織でありうる。このような組織は、時としてうっ血部と呼ばれるが、うっ血部とは、凝固部の周囲に存在うる、細胞障害の程度が軽度な領域である。凝固部からさらに離れた、うっ血部の外側に存在するのは、組織が回復の可能性を有する充血部である。熱傷は、Ｉ度からＩＶ度に分類され、Ｉ度の熱傷は表面に最も近く最も軽い熱傷であり、ＩＶ度の熱傷は筋肉や骨に達する最も重度の熱傷である。
【０２０８】
重症度の異なる熱傷の間の微妙な違いは、識別が可能であったとしても、肉眼での識別は困難なことがある。実際に、早期の段階では、熱傷の全体的な影響は皮膚の奥深くに隠されており、外科的介入なしには、熱傷の程度、さらには熱傷組織の有無さえ、ほとんど判断できない。しかしながら、重症度の違いにかかわらず、熱傷の治療では、時間が最も重要である。実際に、早期の治療により、熱傷の回復に大きな差が出ることがある。
【０２０９】
いくつかの代替案は、熱傷の重症度の評価および特定に有効である。実際に、本明細書に記載された装置は、熱傷の物理的位置を把握し、熱傷の重症度（例えば、熱傷の程度、およびそれが表皮熱傷であるか、浅達性中間層熱傷であるか、深達性中間層熱傷であるか、または全層熱傷であるか）を含む特徴を判定し、かつ熱傷の総体的％ＴＢＳＡまたは重症度ごとの％ＴＢＳＡを見出すことができる。上述の通り、皮膚組織の性質や特性は熱傷後に変化する。その結果、組織の様々な層が光を吸収し、反射する様子は、組織の種類によって、また熱傷の程度によって異なることとなる。このような場合、本明細書に記載のいくつかの代替案の高分解能マルチスペクトルカメラであれば、これらの差異を捉え、それを用いて皮膚の組成を評価し、熱傷の種類および熱傷の重症度を特定することができる。しかしながら、この情報だけでは、熱傷の重症度の評価が不完全となることがある。先に述べたように、熱傷の重症度は、現時点での皮膚の損傷の程度のみならず、組織への血流の有無にも関連する。したがって、いくつかの代替案で用いられる高分解能マルチスペクトルカメラは、望ましいことに、組織領域への血流を測定することもでき、皮膚組成および血流の情報を組み合わせることによって、熱傷の有無および熱傷の重症度をより詳細かつ正確に判断することができる。
【０２１０】
メス７０６は、熱傷の処置を行う方法の一例である。壊死組織除去術によって、死んだ組織、損傷組織、感染組織、壊死組織、または壊死しかかっている組織を切除し、残った健康な組織の治癒を改善し、促進する。実際、先にも述べたように、組織の切除の過不足によって生命が脅かされる結果となることがある。熱傷の切除が不十分であると、失活した組織に移植片を載せることになり、移植片の生着が悪くなる。熱傷の切除が不十分であると、さらに、感染症のリスクの増加および／または治療が長引くことにつながる。一方、過度に切除してしまうと、過剰な失血や切除面からの出血につながることがあり、移植片の生着不良を招きうる。本明細書に記載の装置は、健康な組織と切除する必要がある組織との境界を定量的に特定する方法を提供する。これは、組織の評価に関して専門家の主観的な意見に依拠している当技術分野の現状に対する進歩である。
【０２１１】
この例では、熱傷７０８を切除し、創傷床７１０を残す。死んだ組織を除去した後、きれいになった創傷床７１２は、移植の準備のできた状態となるが、この移植は、健康な組織を切除領域に移植し、組織の回復を助けるものである。実際に、本明細書に記載された装置および手法の利点は、外科的介入および移植の前に、熱傷の非専門家が非侵襲的なツールを用いて熱傷の重症度を迅速に評価できることである。
【０２１２】
図１１は、本明細書に記載の装置のいくつかが移植片の生存率評価に使用される応用例を示す。いくつかの代替案で使用される移植片は、組織または再生細胞の移植物であり、幹細胞、内皮細胞、内皮細胞前駆体、および／または単離、富化、もしくは濃縮された形態にあるこれらの細胞の混合物、または補綴物、支持物、もしくは医療装置を包含しうる。いくつかの代替案で使用される移植片は、足場、補綴物、または医療装置とともに、組織および／または上記細胞を含んでもよい。組織の移植時に血液供給が得られない場合、移植が成功すれば、移植片を支持する周囲の組織によって新たな血液供給がなされるであろう。いくつかの用途は、幹細胞、内皮細胞、内皮細胞前駆体、および／または単離、富化、もしくは濃縮された形態にあるこれらの細胞の混合物を包含しうる再生細胞の導入を含み、この移植片は、前記細胞が、例えば血管新生または動脈形成によって新たな血液供給を直接的または間接的に生じる能力によって血液を供給することができる。いくつかの用途は、移植片および／または再生細胞の利用を含み、該再生細胞は、幹細胞、内皮細胞、内皮細胞前駆体、および／または単離、富化、もしくは濃縮された形態にあるこれらの細胞の混合物を、単独で、またはＦＧＦ、ＨＧＦ、もしくはＶＥＧＦのような１以上の成長因子が補充された足場、補綴物、もしくは医療装置と組み合わせて含んでもよい。本明細書に記載の装置は、移植片がうまく取り込まれたか否か、または移植片が拒絶されて壊死組織になるか否かによって、移植片を分類することができる。画像９００は、本明細書に記載の代替案によって生成した画像であり、組織領域は、異なる時間および異なる周波数帯域のいずれにも対応するよう撮像されている。画像上の色は、血液が供給されている健康な組織の存在を示している。これとは対照的に、画像９０２は、血液が供給されていない不健康な組織を示しており、移植に失敗したことがわかる。
【０２１３】
本明細書に記載される装置の別の臨床用途は、圧迫潰瘍または床ずれとしても知られる褥瘡潰瘍の分類である。この創傷は、組織に圧力が加わることによって生じ、その結果、組織への血流が妨げられる。この閉塞の結果、組織の壊死および喪失が起こる。これにより、多くの場合、後の段階になって組織の色が目に見えて変化する。褥瘡潰瘍は、喪失した組織の量に関連してＩ度からＩＶ度に分類されることもある。
【０２１４】
褥瘡潰瘍の特定が困難であるのは、閉塞の初期には、組織の表面から容易には認められない組織の変化が生じうることによる。本明細書に記載の装置は、進行の早期の段階にある褥瘡潰瘍の特定に効果的であり、これにより、早期の予防的処置が容易になる。図１２に、褥瘡潰瘍の存在または誘導を特定し、異なる段階にある褥瘡潰瘍を分類するための、本明細書に記載の装置の応用例を示す。画像８００は、皮膚組織に組織分類データを重ね合わせた図である。色のついた部分は、表面下に褥瘡潰瘍があることを示す。本明細書の記載の通りに製造した装置を用いて、異なる時間および異なる周波数帯域で光反射率を読み取ることによって分類を行ったところ、組織の組成における差異および組織への血流の差異を検出することができた。画像８０６は、１３日後の組織表面の写真であり、この患者はＩＩ度の褥瘡潰瘍を有している。
【０２１５】
組織への血流が妨げられる褥瘡潰瘍とは対照的に、組織に存在する血液が多過ぎることもある。充血は、紅斑として現れることもあるが、組織への血流が増加するものである。これは、腫れ、変色、および壊死につながることがある。また、毛細血管および静脈のうっ血、組織における過剰なヘモジデリン、および線維症を伴うこともある。本発明の代替案は、充血している組織を初期段階に特定し、評価する上で有効である。ここでもまた、組織への血流とともに、組織の性質や特性の変化を検出できるという組み合わせにより、これらの代替案では、充血している組織の重症度を容易に特定し、評価することができる。
【０２１６】
本明細書に記載される代替装置は、組織の分類および評価が必要とされる医療分野において、他にも多数の用途がある。熱傷、褥瘡潰瘍、および充血と同様に、他の種類の創傷もまた、本発明の代替装置によって分類し、評価することができる。そのような創傷には、擦過傷、断裂、出血、裂傷、穿刺、穿通創傷、慢性創傷、または組織への血流の変化に伴って組織の性質および特性が変化する任意の種類の創傷が含まれる。本明細書に提示する代替装置は、組織の生存率に関する生理学的情報を、単純な画像フォーマットで医療従事者に提供する。創傷部位における血液灌流および酸素化等の情報は、創傷治癒の重要な指標である。皮膚の下に隠されたこれらの血行動態特性を画像化することにより、医師は、創傷治癒の進行をよりよく知ることができ、得た知識に基づいてタイムリーな患者ケアの決定を下すことができる。同時に、本明細書に記載されたいくつかの装置によって、皮膚の状態を表す皮膚組成に関する情報を得ることができる。
【０２１７】
本明細書に記載のいくつかの装置の使用は、損傷組織が存在する用途に限定されるものではない。実際、いくつかの代替装置は、健康な組織を検出して、該健康な組織を壊死組織や壊死しかかっている組織と識別するものであってもよい。
【０２１８】
健康な組織が分類され、評価されうる場の１つは、創傷や皮膚の疾患との比較にある。例えば、熱傷に伴い、該熱傷に関連して、あるいは該熱傷と並んで、健康な組織の領域が存在するかもしれない。健康な組織と、壊死組織または壊死組織となる運命にある組織との境界がどこにあるかを特定できることは、熱傷の診断および治療のいずれにも有用である。異なる時間および異なる周波数帯域の両方で皮膚を撮像し、皮膚の組成ならびに当該組織部位での血液灌流および酸素化を評価することにより、健康な皮膚を特定することができる。
【０２１９】
本明細書に記載される代替案では、移植組織または再生細胞移植物としての成功の見込みに基づいて組織を分類してもよい。この分類では、レシピエント組織の性質および特性に加えて、レシピエント組織が新たな血液供給を受け入れる能力も考慮される。代替案では、組織が移植片または再生細胞移植物のために新たな血液供給を形成する可能性、および皮膚が全般的にどの程度健康であるかに基づいて、受容組織を分類することもできる。移植組織と受容組織、いずれの分類においても、本明細書に記載のいくつかの装置は、異なる時間および異なる周波数帯域に対応する複数の画像を解析することができる。
【０２２０】
単に組織の健康状態を分類することに加えて、本明細書に記載される代替案では、皮膚のある領域における厚さのような、組織の様々な態様を測定してもよく、皮膚の肉芽組織を評価してもよい。別の例では、本明細書に記載の装置を用いて、縫合箇所の周囲組織の健康状態および縫合箇所の治癒状態を、監視して評価することができる。
【０２２１】
本明細書に記載のいくつかの装置の別の用途は、組織の治癒を監視することである。本明細書に記載される装置は、創傷がどのように変化するか、または健康な組織がどのように形成されるかを監視するために、多数の時点において複数の画像を取得することもできる。場合によっては、ステロイド、肝細胞増殖因子（ＨＧＦ）、線維芽細胞増殖因子（ＦＧＦ）、抗生物質、幹細胞および／もしくは内皮細胞を含む単離もしくは濃縮された細胞集団、または組織移植片のような治療剤を、創傷または他の疾患を治療するために使用してもよく、本明細書に記載の装置を使用してそのような治療を監視することもできる。いくつかの代替案では、特定の治療の実施前、実施中または実施後の組織の治癒を評価することによって、治療剤の有効性を監視することができる。いくつかの代替案では、異なる時間および異なる周波数帯で複数画像を取得することにより、これを行う。これらの画像により、皮膚から反射された光を用いて、組織の性質および特性ならびに組織への血流を評価することができる。その結果、本明細書に記載の装置は、組織がどのように治癒しているか、ならびに治療剤が治癒過程を促進する効果および速度についての貴重な情報を与えることができる。
【０２２２】
いくつかの代替案を使用して、左心室補助装置（ＬＶＡＤ）の導入、およびそのような移植を行った後の治癒プロセスを監視してもよい。ＬＶＡＤの流量が増加すると、拡張期圧は上昇し、収縮期圧は一定のままであり、脈圧は減少する。収縮期圧と拡張期圧の差である脈圧は、左心室の収縮性、血管内容積、予負荷、および後負荷圧、および送出速度の影響を受ける。したがって、動脈血圧値および波形の評価は、ＬＶＡＤと心臓血管系との生理学的相互作用に関する貴重な情報を提供する。例えば、不十分な左心室機能は、脈動性を示さない動脈波形に関連する。本明細書に記載の代替案は、ＬＶＡＤ移植後の患者における脈動流の戻りの監視に使用することができ、患者の回復を監視して支援する上での強力なツールを提供することができる。
【０２２３】
特定の代替案は、整形外科手術における組織の移動および再建処置の術中管理を提供するために使用されてもよい。例えば、乳癌患者の治療において、全乳房切除およびその後の乳房再建が必要となることがある。乳房再建に伴う合併症は５０％もの高い比率で起こることが報告されている。本明細書に記載の装置により、移植片を受け入れようとしている組織と移植組織自体とをいずれも評価することが、容易になりうる。このような代替案における評価は、上記の手法を使用して、組織の健康状態および質、ならびに血液灌流および酸素化を注視するものである。
【０２２４】
特定の代替案を、慢性創傷の治療の解析を容易にするために使用してもよい。慢性創傷の患者は、費用のかかる先進医療を頻繁に受けるが、その効果を測る尺度はない。本明細書に記載される代替案では、上述の撮像技術を用いて慢性創傷の画像化を行い、創傷の大きさ、創傷の深さ、創傷組織の存在、および健康な組織の存在を含む、慢性創傷の定量的データを得ることができる。
【０２２５】
本明細書に記載される特定の代替案は、四肢の退行を特定する際に使用されてもよい。このような用途では、画像から四肢の末梢灌流が識別される。これを使用して、正常な四肢の健康状態の監視のみならず、成長因子（ＦＧＦ、ＨＧＦ、またはＶＥＧＦ）および／または再生細胞の導入のような特殊な治療が必要となりうる、四肢における末梢血流不全（例えば、四肢虚血または末梢血管疾患の領域）を検出することもできる。再生細胞としては、幹細胞、内皮細胞前駆体、内皮初原細胞、またはこの種の細胞を含む濃縮または単離された集団が挙げられるが、これに限定されるものではない。これにより、早期の治療が可能となり、四肢の切断が避けられる場合もある。その他の、より重篤な症例において、医療専門家が十分な情報に基づいて四肢切断の必要性の有無を決定するためのデータを提供する場合もある。
【０２２６】
本明細書に記載の装置の別の用途は、血管攣縮（すなわち、血管の狭窄）を起こした患者に生じるレイノー現象の治療に関する。血管攣縮は、典型的には、指に血液を供給する指動脈で起こるが、足、鼻、耳、および唇にも現れることが知られている。いくつかの代替装置は、レイノー現象を有する患者を正確に特定することができ、これは診断のどの段階においても有用である。
【０２２７】
いくつかの代替装置は、がん細胞の存在、がん細胞の増殖、転移、腫瘍負荷、またはがんのステージの特定、分類、または評価のために、また、治療後におけるがん細胞の存在、がん細胞の増殖、転移、腫瘍負荷、またはがんのステージにおける低減の特定、分類、または評価のために使用されてもよい。このような代替装置は、組織から反射された光を測定して皮膚の組成を決定するが、皮膚の組成は、がん細胞に関連する異常な組成を反映しうるものである。代替装置はまた、異なる時間に取得された複数の画像を評価することによって、がん細胞への血流を測定することができる。血流は、がん細胞の存在、がん細胞の増殖、転移、腫瘍負荷、またはがんのステージに関連する、組織への異常な血流を示しうる。がん細胞を除去した後、本発明の代替装置を用いて回復の監視を行ってもよく、監視対象には、健康な組織の増殖およびがん細胞の再発が含まれる。
【０２２８】
前述の代替装置の特徴は、研究室や診療所においても試験され、良い結果が出ている。例えば、脈動性血流に起因する組織の動的変化を機械的に模倣する光学組織ファントムを用いた実験において、本明細書に記載の装置は、レーザードップラー撮像よりも光透過が大きく、また、組織ファントム材料の下で鼓動する流体の流れを正確に検出した。この実験では、４０〜２００ｂｐｍ（０．６７〜３．３３Ｈｚ）の範囲の脈動流を試験することで、安静時から運動時または労作時の早い速度に至る、ヒトの心拍数の全範囲を試験した。
【０２２９】
また、ブタの熱傷モデルで実施した、様々な重症度の熱傷を撮像した実験では、本明細書に記載の代替装置が生成した画像を、参照ライブラリおよびコンピュータトレーニングとともに用いることにより、健康な皮膚、充血、１．０ｍｍを超える熱傷、１．０ｍｍ未満の熱傷、血液、および健康な創傷床に相当する領域が正確に特定された。これらは、壊死組織除去術を実施する際に外科医が遭遇する種類の組織であった。
【０２３０】
さらに、上記の状態のいくつかについて、本明細書に記載の装置を用いて臨床試験を実施した。この試験の参加者は、心胸郭の手術後に撮像された。選定基準は、以下の通りであった。１８歳以上；現在、心胸郭手術後の入院中であるか、またはその予定がある；除外対象でない大きさの創傷を有するか、または創傷の発生につながるリスクを有している。リスク因子には、循環不良、組織の機械的ストレス、温度、湿度、感染症、投薬、栄養、疾患、年齢、および体型が含まれていた。選定基準を満たす創傷としては、皮弁による創傷、熱傷による創傷、院内発生創傷、褥瘡潰瘍、足の糖尿病性潰瘍、および末梢血管機能不全の症例が含まれる。対象は、最長３か月間にわたって、定期的に実施される３０分間のセッションにおいて撮像された。組織の変化の速度を監視するために、週に最高３回の撮像を行った患者もあった。以下に、本試験で行われた観察の一部をまとめる。
【表２】
2019502418.tif 000004
【０２３１】
本明細書に記載されるいくつかの代替案の特徴は、当該装置を、組織の状態の１以上の参照点を含む動的ライブラリと連結できることである。場合により、動的ライブラリは、健康な皮膚組織に関する情報を含む基点画像を含んでいてもよい。動的ライブラリは、さらに、創傷または皮膚疾患の進行および／または治癒を確認するための比較点として、創傷または皮膚疾患の様々な画像を含んでいてもよい。動的ライブラリは、さらに、正常心拍数、異常心拍数、ノイズ信号、健康組織に相当する信号、および不健康な組織に相当する信号のサンプル等、関連する信号のサンプル信号を含んでいてもよい。
【０２３２】
いくつかの代替案では、動的ライブラリ内の画像は、本明細書で記載される装置によって撮られた別の画像またはデータである。いくつかの代替案では、動的ライブラリは、本発明の態様ではない装置によって撮られた画像および／またはデータを含む。これらの画像は、対象を評価したり、または治療したりするために使用することができる。
【０２３３】
動的ライブラリの一例を図１３に示す。図１３において、撮像装置１０００は、クラウド１００２に接続されている。撮像装置１０００は、本明細書で記載されるような装置であってもよく、動的ライブラリに接続された他の任意のコンピュータまたはユーザ装置であってもよい。場合により、クラウド１００２は、複数のデータセンターを含むプログラム実行サービス（ＰＥＳ）を含んでいてもよく、各データセンターは１以上の仮想デスクトップを実行するよう構成可能な１以上の物理的コンピュータシステムを含み、各仮想デスクトップは１以上のアプリケーションを実行するよう構成可能なオペレーティングシステムを含むコンピュータ環境に関連付けられ、ＰＥＳのユーザのコンピュータ装置は、ネットワークを介して各仮想デスクトップにアクセスすることができる。クラウドは、計算と記憶とを同期させるための他のアプローチを含んでもよい。
【０２３４】
データパス１００４は、撮像装置１０００とクラウド１００２との双方向接続を示す。クラウド１００２自体が処理コンポーネント１００６を有し、処理コンポーネント１００６は、クラウド１００２が信号を受信し、データを処理し、ソートアルゴリズムを実行し、動的ライブラリが１以上のコンピュータ装置と同期されるべきか否かを示すメタデータを生成するものである。
【０２３５】
いくつかの代替案では、データ解析および分類はクラウド内で実行される。そのような解析は、得られた信号と比較するためのサンプル信号に関するデータの収集を含みうる。そのようなサンプリングは、得られた信号の組織領域を分類する際に使用することができる。他の代替案では、処理コンポーネントは、データ収集サイトでローカル処理を実行するために、撮像装置１０００に搭載されていてもよい。
【０２３６】
動的ライブラリのデータの収集と解析に加えて、処理コンポーネントは一般的な誤差データおよび計算結果を含んでいてもよい。誤差は、ローカルサイトで計算してクラウドに集約したり、クラウドで計算したりすることができる。状況によっては、特定の分類モデルの誤差閾値を確立することができる。閾値は、第一種過誤および第二種過誤（すなわち、偽陽性および偽陰性）の結果ならびに臨床的信頼性の基準を考慮したものである。
【０２３７】
処理コンポーネント１００６は、また、データの解析を行ってもよい。クラウド１００２はまた、データコンポーネント１００８を有し、データコンポーネント１００８は、動的ライブラリ自体の情報を含み、またアップデートを受け取る。データコンポーネント１００８と処理コンポーネント１００６は、互いに連結されている。
【０２３８】
別のソースおよびレポジトリがクラウドに接続されていてもよい。この例では、エンティティ１０１２もまたクラウド１００２に接続されている。エンティティ１０１２は、クラウド１００２に接続されたシステム１０００のような任意の装置またはシステムのシステム機能を向上させるためのアップデートおよびアルゴリズムを提供することのできるエンティティである。学習と経験を通じて各段階の方法をアップデートすることにより、全体の誤差を低減させてもよい。エンティティ１０１２は、複数の分類アルゴリズムの変更を同時に迅速に評価し、全体的な向上を図ってもよい。また、新たな臨床用途のための新たなデータセットおよびモデルをアップロードしてもよい。また、エンティティ１０１２は、システム１０００、またはクラウド１００２に接続された任意の装置またはシステムをアップデートして、例えば、凍傷を解析する等の新たな治療用途のためにデータを取得し、該データを解析することができる。このようにして機能を拡張し、科学的知識の向上にシステムを適応させることができる。
【０２３９】
さらに、本明細書に開示された様々な態様は、組織ファントムおよび動物モデルを用いた実験において、その有効性が実証されている。これらの実験により、本明細書の代替案は、少なくとも熱傷の治療に有効でありうることが実証された。以下の非限定的な実施例は、説明を目的として提示される。実施例は、実施した実験のさらなる詳細を提供するものである。
１．実験
１．１  実施例１：組織ファントムおよび動物モデルにおける、スポットライト照射および平面照射を使用した実験
１．１．１  材料および方法
【０２４０】
この研究におけるＰＰＧシステムは、３つの機能モジュール、すなわち、照射、センサー（ＣＭＯＳカメラ）、および撮像ターゲットからなる。照射モジュールおよびセンサーモジュールは、ターゲットに対して同じ側に配置される（すなわち反射モード；図１４Ａ−１４Ｃ）。オブジェクトに入射する光ビームはターゲット内で散乱し、後方散乱された光信号がカメラによって捕捉される。不透明な媒質中に埋没した撮像ターゲットは経時的な変化を示し（すなわち、脈動性血流によって血管の容積が変化する）、後方散乱光の強度に変調が起きる。
１．１．１．ａ．  照射モジュール
【０２４１】
３つの異なる照射モジュールを比較する：１）単一波長のＬＥＤダイオードを用いたスポットライト照射；２）広いスペクトルのタングステン電球を用いた平面照射；３）高出力単一波長ＬＥＤエミッタを用いた平面照射。３つの照射モジュールには、時間当たりの強度振動が１％未満である高安定性ＤＣ電源によって電力が供給される。
【０２４２】
図１４Ａ−１４Ｃは、反射モードで動作するベンチトップシステムを示す。図１４Ａのダイアグラム１４００は単一波長ＬＥＤスポットライトを示し、図１４Ｂのダイアグラム１４０１はタングステン電球を示し、図１４Ｃのダイアグラム１４０２は高出力ＬＥＤエミッタを示す。照射下のオブジェクトは光学的に不透明な媒質であり、より不透明なオブジェクトが深さ＝ｄに埋没している。
１．１．１．ａ．ｉ．  単一ＬＥＤ
【０２４３】
８５０ｎｍの単一ＬＥＤダイオード（例えば、ＫＣＬ−５２３０Ｈ、Ｋｏｄｅｎｓｈｉ  ＡＵＫ）を、オブジェクトの表面（例えば、ダイアグラム１４００）からの距離Ｄ１＝１８ｃｍのＣＭＯＳカメラ（例えば、Ｎｏｃｔｕｒｎ  ＸＬ、Ｐｈｏｔｏｎｉｓ  ＵＳＡ）と並べて固定した。ＬＥＤの全放射角１２度は、センサーの視野内で、中心のずれた直径約３．８ｃｍのスポットサークルを生成する。円形照射スポットの中心はＦＯＶ内にあるが、ターゲットの中心からわずかにずれている。
１．１．１．ａ．ｉｉ．  タングステン電球
【０２４４】
タングステン−ハロゲン電球（例えば、ＶｉＰ  Ｐｒｏ−ｌｉｇｈｔ、Ｌｏｗｅｌ  Ｉｎｃ．）を、オブジェクト（例えば、ダイアグラム１４０１）からの距離Ｄ２＝６０ｃｍのカメラ（例えば、ＢＭ−１４１ＧＥ、ＪＡＩ  Ｉｎｃ）に隣接するよう取り付けた。電球の投影指向性を低減させ、より均一にターゲットを照らすために、擦りガラスディフューザ（例えば、モデル：ｉＰ−５０、Ｌｏｗｅｌ  Ｉｎｃ．）を２枚、電球の正面に取り付けた。照射領域は、カメラのＦＯＶよりも広く、照射の空間的均一性は、スポットＬＥＤよりも良好であった。
１．１．１．ａ．ｉｉｉ．  高出力ＬＥＤエミッタ
【０２４５】
４つの高出力モノリシックＬＥＤエミッタ（例えば、ＳＦＨ４７４０、ＯＳＲＡＭ）を、同軸モードでセンサー（例えば、Ｎｏｃｔｕｒｎ  ＸＬ、Ｐｈｏｔｏｎｉｓ  ＵＳＡ）と同じ平面に取り付けられた２×２アレイに配置した。ＬＥＤエミッタアレイは、ターゲットの表面（例えば、ダイアグラム１４２０）からＤ３＝３０ｃｍの位置に、カメラとともに配置された。空間強度の変化は１５％未満に低減された。カメラのＦＯＶは光学レンズによって制御され、照射領域よりもわずかに狭かった。
１．１．１．ｂ．  システムの構成
【０２４６】
ＬＥＤスポットライトまたはＬＥＤエミッタを使用するシステムでは、モノクロームＣＭＯＳカメラ（例えば、Ｎｏｃｔｕｒｎ  ＸＬ、Ｐｈｏｔｏｎｉｓ  ＵＳＡ）を検出器として使用した。これは、暗騒音が低く、ダイナミックレンジ高いものである。１０ビットのＡＤＣ分解能によって得られる信号対ノイズ比は６０ｄＢである。タングステン光照射システムの場合、カメラ（例えば、ＢＭ−１４１ＧＥ、ＪＡＩ  Ｉｎｃ．）は、同等のダイナミックレンジ（５８ｄＢ）およびＮｏｃｔｕｒｎ  ＸＬカメラと同じ１０ビットのＡＤＣ分解能を提供する。これら２台のカメラで撮影された画像は、１２８０×１０４０（アスペクト比５：４）にトリミングされた。タングステン照射システムは、ＦＯＶを制御するために望遠レンズ（例えば、Ｄｉｓｔａｇｏｎ  Ｔ＊２．８／２５  ＺＦ−ＩＲ、Ｚｅｉｓｓ  Ｉｎｃ．）を利用したが、これは、タングステン光の撮像距離が、タングステン電球によって生じる熱のために、他の２つの構成よりも長いことによる。
【０２４７】
これら３つのシステム構成において、カメラは垂直下向きに、オブジェクトの表面に対面するよう取り付けた。システム間の比較のために、２０×１６ｃｍの共通ＦＯＶの制御を行った。各システム構成におけるカメラの露出時間は、反射率参照標準（例えば、反射率９５％の標準パネル；Ｓｐｅｃｔｒａｌｏｎ  ＳＧ３１５１、ＬａｂＳｐｈｅｒｅ  Ｉｎｃ．）を用いて較正した。露出時間は、各カメラのダイナミックレンジの全範囲を利用するように調整された。
１．１．１．ｃ．  ファントム
【０２４８】
図１５は、ペトリ皿に入った組織ファントムと、ヒトの脈動血流をシミュレートするためのファントム装置とを示す。組織ファントム１５００はペトリ皿の中にあり、この均質なファントムの下には弾性チューブがあり、皮膚の下の血流を模倣している。ファントム装置１５０１は、実験室内でヒトの脈動性血流をシミュレートするように設計されている。蠕動ポンプが運動流体を送り出し、ゼラチン−イントラリピッド組織状ファントムマトリックスの８．０ｍｍ下で脈動する弾性ファントム血管を通過させる。チューブの弾力性により、ヒトの動脈と同様、ファントム血管における約２％の容積膨張が、蠕動ポンプの各サイクルで生じる。
【０２４９】
皮膚の表面下を流れる血液を模倣するように、組織状ファントムモデルを設計した。組織ファントムマトリックスは、Ｔｈａｔｃｈｅｒらに従って作製した（図１５）。簡単に説明すると、トリス緩衝生理食塩水（例えば、ｐＨ７．４，Ａｌｆａ  Ａｅｓａｒ）中の１０（ｗ／ｖ）％のゼラチン（例えば、Ｂタイプ、ＪＴ  Ｂａｋｅｒ）を、滅菌したＩｎｔｒａｌｉｐｉｄ脂肪乳剤（例えば、２０（ｗ／ｖ）％、Ｂａｘｔｅｒ）と混合する。Ｉｎｔｒａｌｉｐｉｄの終濃度が２０％となるように調節した。さらに、組織の吸収特性を模倣するよう、０．２％の運動標準（例えば、ポリスチレンビーズと墨汁との混合物）をゼラチンマトリックスに加えた。この混合物をペトリ皿（例えば、Ｎｏｖａｔｅｃｈ、直径１５０ｍｍ）に注ぎ、均質なバックグラウンド媒質を形成した。血管を模倣する内径１．５８ｍｍのＳｉｌａｓｔｉｃチューブ（例えば、Ｄｏｗ−Ｃｏｒｎｉｎｇ）を、表面からｄ＝８ｍｍ下に配置した。ポンプサイクルごとに、内径は約２％拡大するが、これは心臓周期における末梢動脈の直径の変化を模倣するものである。
【０２５０】
脈動性心臓周期を模倣するために、チューブ内の吸収性血液状流体を、４０ヘルツの２ローラー蠕動ポンプ（例えば、Ｗａｔｓｏｎ  Ｍａｒｌｏｗ、Ｍｏｄｅｌ＃ｓｃｉＱ３２）によって送り出した。これは、ヒトの正常な心拍数８０ｂｐｍを模倣している（図１５）。ファントム血管を通るこの脈動流がＰＰＧ信号を生成し、ＰＰＧ撮像装置による測定の対象となる。
１．１．１．ｄ．  動物モデル
【０２５１】
図１６は、円形状の動物の皮膚におけるインビボ熱傷と壊死組織除去術モデルを示す。ハンフォードブタは、その皮膚がヒトの皮膚と解剖学的に類似していることから、動物モデルとして選択された。このブタの表皮の厚さは３０〜４０μｍであり、これはヒトの表皮の５０〜１２０μｍに近い。さらに、血管構造および細胞外マトリックス組成物が、ヒトの皮膚と似ている。この動物の取り扱いは、「実験動物の人道的取り扱いと使用に関する公衆衛生局（ＰＨＳ）方針」に従った。処置は、設備の整った大動物手術室で実施した。この熱傷モデルおよび研究プロトコルは、動物実験委員会（ＩＡＣＵＣ）によって承認された。
【０２５２】
温度と圧力を制御した黄銅棒を用いて、熱傷モデルを準備した。黄銅棒をオーブンに入れて１００℃に加熱し、ブタの背中の皮膚に０．２ｋｇ／ｃｍ２の圧力で６０秒間押し付けた。この方法により、深達性中間層熱傷が生じた。創傷部位は、直径３．６ｃｍの深達性中間層熱傷を含んでいた（図１６）。照射の均一性およびＰＰＧ信号強度を比較するために、各撮像システムを用いて、熱傷の画像を収集した。
１．１．１．ｅ．  画素による比較
【０２５３】
図１７は、時間分解されたＰＰＧ信号の抽出を示す。ダイアグラム１７００は、８００個の偶発フレームから順次抽出された画素（ｘ，ｙ）における強度を示す。ダイアグラム１７０１は、ＰＰＧ信号を定量化するための処理方法を示す。
【０２５４】
１秒当たり３０フレームのフレームレートで、８００枚の一連の画像を取得し、非圧縮のＴＩＦＦファイルとして保存した。ＰＰＧ信号強度は、画素ごとに計算した。ＰＰＧ信号および画像を処理するための重要なステップは、次の通りである（図１７）。（１）ＤＣワンダリングを除去する、トレンド除去；（２）データ量を縮小するための、時間ドメインにおけるダウンサンプリング；（３）信号のフィルタリング；（４）時間分解信号を周波数ドメインに変換する高速フーリエ変換（ＦＦＴ）；（５）スペクトルパワー、特に心拍数に相当する周波数におけるスペクトルパワーの抽出；（６）高周波数帯域（ノイズとみなす）における強度の合計に対する心拍帯域における強度の合計の比を信号対ノイズ比（ＳＮＲ）として計算；（７）ＰＰＧ画像出力では、カラーマップを使用して、各画素のＰＰＧ  ＳＮＲを表示。その色は、単一の画像内で最低の信号から最高の信号まで直線的にマッピングされている。
【０２５５】
信号処理は、ＭＡＴＬＡＢ（バージョン２０１４ａ，ＭａｔｈＷｏｒｋｓ，Ｉｎｃ．，ＵＳＡ）を用いて行った。
１．１．２．  結果
１．１．２．ａ．  照射パターンの評価
【０２５６】
３つの照射モジュールの光パターンを特徴付けるために、拡散反射パネル（ＳＰＥＣＴＲＡＬＯＮ（登録商標），ＬａｂＳｐｈｅｒｅ  Ｉｎｃ．）をカメラおよび光源の下に配置した。パネル面はカメラに対して垂直とした。
【０２５７】
図１８Ａ−１８Ｃは、平坦な反射パネルを撮像ターゲットとして用いた場合の、ＬＥＤスポットライト（不均一照射）（図１８Ａの画像１８００）と、タングステン光（均一照射）（図１８Ｂの画像１８０１）と、ＬＥＤエミッタ（改善された均一照射）（図１８Ｃの画像１８０２）との空間照射強度の比較を示す。
【０２５８】
照射パターンの画像は、３つの照射モジュール間で異なっていた（図１８）。ＬＥＤスポットライトの反射パターン（画像１８００）では、ＦＯＶ内に非常に明るいスポットがあり、高輝度領域であることを示すが、その周囲の領域は、光源から遠ざかるほど暗くなっている。単一のＬＥＤを使用すると、ＬＥＤエンクロージャ構造の存在に起因するさらなる影がターゲット上に現れる。影の存在は、照射の均一性をさらに低下させる。タングステン光（画像１８０１）を用いると、照射パターンはスポット照射よりも均一になり、ＦＯＶ内の影の影響は除去された。ＬＥＤエミッタ（画像１８０２）では、照射強度の差は最小であることが観察された。空間的変動は１５％未満に制御され、時間的安定性もよく制御されて、変動は１％未満であった。
【０２５９】
図１９は、３つの照射パターン間の強度プロファイル線の比較を示す。ＳＰＥＣＴＲＡＬＯＮ（登録商標）パネルからの、スポットライト（画像１８００参照）、タングステン光（画像１８０１参照）、およびＬＥＤエミッタ光（画像１８０２参照）における対角強度プロファイル線である。
【０２６０】
これら３つの照射パターンを横切る対角強度プロフィル線は、強度の変動を際立たせるものである（図１９）。スポットライトのＦＯＶが、スポット領域（平坦な最上部）、周囲の薄暗いリム（肩部）を実際の有効領域として、また有用性の低い離れた領域にも彩度を得るためには、フルダイナミックレンジのカメラ（例えば、１０ビット、強度値０〜１０２４の）を必要とすることは明らかである。タングステン光とＬＥＤエミッタ光は、空間的な均一性を向上させ、高ダイナミックレンジのカメラを用いる必要性を低減する。
１．１．２．ｂ．  ファントムにおける結果
【０２６１】
図２０Ａ−２０Ｃは、ＬＥＤスポットライト（図２０Ａの画像２０００）、タングステン光（図２０Ｂの画像２００１）、およびＬＥＤエミッタ（図２０Ｃの画像２００２）を使用して、組織ファントムおよびその下にある脈動性ファントム血管を撮像した結果を示す。撮像結果に、ファントムの画像を重ねている。
【０２６２】
組織状のファントム撮像ターゲットを、これら３つの照射モジュールの下に置き、慎重に制御されたベンチテストを行って、照射強度の変動および照射パターンの、ＰＰＧ信号に対する影響を調べた（図２０）。ＬＥＤスポットライト（画像２０００）の場合、ファントム血管は視野の薄暗い領域に配置された。全体的に、ファントム血管の位置を判別することができた。ファントム血管の位置は正確であり、実験した配置とよく一致する。しかしながら、ファントム血管（左端）がスポット中心（ＦＯＶの左上隅）に近づくにつれて撮像結果は徐々に薄れ、一方、他端に向かっては、照射強度が視野の端に沿って低下するにつれてファントム血管の幅が広くなっている。ペトリ皿の縁が周縁部に暗い影を落として有効ＦＯＶを減じ、ユーザが画像を解釈することが困難になる。
【０２６３】
タングステン光の照射（画像２００１）の場合、入射ビームは、カメラの軸からわずかに離れる方向に向かい、小さな入射角が生じる。次いで、タングステン電球の指向性により、ファントムの表面にわずかに光沢のある（すなわち、鏡面反射）領域ができる。この効果が画素を飽和させ、ＰＰＧ信号の検出を妨げる。ファントム血管の位置は、その真の位置からずれる。加えて、タングステン光源から放出される光は、その大部分が赤外光であるため、オブジェクトの内部で大量の熱が発生し、ゼラチン質の組織状ファントムを急速に変性させる。表面の温度は、室温から急速に上昇し、３０分間で３０〜４０℃に達する（ここでは示さず）。
【０２６４】
高出力ＬＥＤエミッタ照射（画像２００２）の場合、撮像結果のカラー出力は連続的であり、ファントム血管の幅は一定に保たれた。ＰＰＧ信号の位置は、ファントム血管の実際の位置と一致している。画像のコントラストは適切であった。これはタングステン光およびスポットライトよりも画質が優れていることを示している。また、ファントム内での熱の蓄積はなかった。３０分間の温度変化は０．１℃未満であり、これは無視できる。
【０２６５】
３つの照射方法の評価に続いて、ファントムモデルを照射強度試験に供し、測定されたＰＰＧ信号の強度に対する照射強度の影響を調べた。この研究の目的は、視野全体の照射の均一性に加えて照射強度も最大にする必要があることの実証であった。組織状ファントム装置と、高出力ＬＥＤエミッタ照射を有するＤｅｅｐＶｉｅｗシステムと組み合わせて用い、ＬＥＤエミッタへの入力電圧を変化させることによって入射光の強度条件が様々に変化するよう制御して、ベンチテストを実施した。入力電圧を変化させることによって、撮像装置が正確に解像できる最大絶対放射照度を示す飽和点まで、照射強度を上げることができた。この飽和点に達したのは、エミッタへの入力電圧が１２．９５Ｖの時点であったが、これは絶対放射照度値としては約０．００４Ｗ／ｍ２に相当する。この飽和点は、最大値の２０％の増分で強度閾値を確立するための基準として用いられた。
【０２６６】
図２１は、組織状ファントムの脈動領域におけるＰＰＧ信号のパワースペクトル密度と、撮像装置の飽和点（放射照度０．００４Ｗ／ｍ２）以下でのＬＥＤエミッタモジュールからの光の最大強度のパーセンテージとの関係を示す。データポイントは、３つの組織状ファントムレプリカからサンプリングされた５画素の平均値を反映している。対数回帰（Ｒ２＝０．９９９５）であり、エラーバーは平均値に対する標準偏差を表す。
【０２６７】
照射レベル０％から１００％のそれぞれにおいて画像を記録し、ＤｅｅｐＶｉｅｗ独自のアルゴリズムで処理した（図１７）。処理した画像からの情報を利用して、いくつかの画素を、ファントムチューブに沿った高脈動領域から手動で選択した。選択した画素を抽出し、個々に処理して、兆候を示しているそれらの点におけるＰＰＧ信号の強度を決定した。ＰＰＧ信号の強度を評価するために使用した尺度は、周波数間の信号電力の分布の指標であるパワースペクトル密度（ＰＳＤ）であった。この脈動周波数でのパワースペクトル密度について、サンプル間、レベル間での比較を行い、検討した。このプロセスを、３つのファントムの複数の画素について繰り返した。すなわち、各レベルでサンプリングを行い、ＰＳＤ値は、各レベルの値が反映されるよう平均値を求めた（図２１）。その結果、受信したＰＰＧ信号の強度は強度値の全域にわたって常に増加し、明確な対数傾向を示している。
【０２６８】
これらの結果から、照射強度の最大化が重要なパラメータであることが示され、また、辺縁に沿った暗い領域は有用なＰＰＧ信号の信号強度の損失を引き起こすため、視野全体にわたる均一な照射が必要であることが確認された。
１．１．２．ｃ．  動物における結果
【０２６９】
図２２は、ＰＰＧ信号強度に基づく、健康なブタの皮膚における領域内の画素の分類を示す。画像２２０１およびグラフ２２０２は、ＬＥＤスポット照射（画像２２００に示す）の結果である。画像２２０４およびグラフ２２０５は、ＬＥＤエミッタ照射（画像２２０３）の結果を反映するものである。
【０２７０】
ＬＥＤスポットおよびＬＥＤチップを照射源として用いて、ブタの皮膚に入射する光の強度を測定した。ＬＥＤスポット照射の場合、光が組織に入射した領域の画素は完全に飽和していた（画像２２００参照）。画像中の残りの画素における照射は、カメラの感度範囲の５０％以下であった。一方、全視野照射では、撮像領域のブタの皮膚の大部分が、カメラの感度範囲の７０〜９０％という多量の光を反射していることがわかる（画像２２０３参照）。飽和している画素はほとんどなく、真っ暗な画素は全くない。ＬＥＤエミッタの均一性により、照射強度の変動がよく抑制され、隣り合う画素間での比較が可能なＰＰＧ信号を得ることが期待される。
【０２７１】
一様なＬＥＤチップ照射方式によって得られる血流が比較により有利であることを確認するために、ＬＥＤスポットライトタイプから得たＰＰＧ信号およびＬＥＤエミッタ照射タイプから得たＰＰＧ信号について検討した。この検討のために、血流が全体にわたって均一であると推定可能な、１種類の均一な組織からなるブタ皮膚の一領域について評価を行った。この組織の種類としては、健康な皮膚を選択した。健康な皮膚であれば、ブタの背中の広い範囲で容易に得ることができ、この組織に存在する血流は、ブタの背中のどの点においても同様である可能性が高いからである。予想通り、均一な照射を行うことで、出力画像における健康な皮膚からのＰＰＧ信号もより均一に現れることがわかった。目的の領域（画像２２０１および２２０４の枠内）からのＰＰＧ信号をヒストグラムとしてプロットしたところ、均一照射を使用した場合、ＰＧＧ信号の分布はよりガウス分布に近くなり、この領域から収集されたＰＰＧ信号を欠く画素はないことがわかる。ＬＥＤスポット照射の構成（図２２）では、ＰＰＧ信号を収集しない画素が多く、ＰＰＧ信号を有する組織領域は散在的かつ不均一であった。医師がこのデータを解釈するのは困難であろう。
【０２７２】
創傷内の血流は治癒および組織生存率の評価における重要な因子であることから、動物の熱傷モデルを用いて、これらの照射パターンを熱傷の評価に適用することの妥当性を評価した。中間層熱傷では、組織全体に血液を運ぶ動脈構造に損傷がある。この損傷部位には、血流がほとんどあるいは全くないことが予想される。したがって、熱傷を受けた皮膚からは、ＰＰＧ信号がほとんどあるいは全く得られないであろう。
【０２７３】
図２３Ａ−２３Ｆは、ブタの皮膚上の熱傷への様々な照射パターンおよび対応する画像を示す。具体的に言えば、図２３Ａ−２３Ｃは、ＬＥＤスポットライト（図２３Ａ）、タングステン光（図２３Ｂ）、およびＬＥＤエミッタ光（図２３Ｃ）を用いた照射パターンを示している。対応する撮像結果（例えば、図２３Ｄ−２３Ｆ）はそれぞれ、熱傷および健康な組織を検出する性能を示す。
【０２７４】
ＬＥＤスポット照射（図２３Ａ）の場合、ファントム実験と同様、熱傷は照射スポットの中心から４．０ｃｍ離れていた。熱傷の円の半分は薄暗い周縁部にあり、残りの半分は画像の暗い領域にあった。撮像結果（図２３Ｄ）では、円形の熱傷領域の端部はなお判読可能であるが、中心部は周囲の健康な皮膚組織と区別がつかない。この画像において、照射が組織に直接入射する領域は完全に飽和し、ＰＰＧ信号は検出されなかった。同様に、光スポットとは対照的な周辺領域は、暗過ぎるため撮像装置による評価ができない。暗領域およびスポット領域内にあるこれらの非熱傷組織では、生理学的に健康な組織であるにもかかわらず、撮像結果に血流信号は現れない。
【０２７５】
タングステン光照射モジュール（図２３Ｂ）では、ＦＯＶはほぼ均一に照射された。撮像結果（図２３Ｅ）では、熱傷の端部、形状、および領域が解像された。ＳＮＲコントラストも適切であり、照射によって周囲の健康な組織から十分なＰＰＧ信号が得られることがわかる。入射ビームの指向性のため、ＦＯＶの右半分の照射強度は左半分よりも弱い。それに応じて、撮像結果（図２３Ｅ）において、画像の右半分は左半分よりもＳＮＲコントラストが高く、血液灌流に関して、ＦＯＶの右半分は左半分よりも生存率が高いという誤った解釈が誘導される。
【０２７６】
ＬＥＤエミッタモジュール（図２３Ｃ）の場合、ＦＯＶ内の照射はタングステン光源よりも均一であり、ＰＰＧ画像もさらに良好になっている。撮像結果（図２３Ｆ）は、実際の組織に対応する熱傷の端部、形状、および領域を示している。撮像結果において、熱傷の周囲の健康な組織も均質な画像として示され、熱傷部位との対比は明らかである。画像の最下部では、剃り残された毛の端部が線として画像の結果に現れているが、毛の下の健康な組織（血液灌流を伴う）はなお、均質な背景と同じコントラストを示している。
１．１．３．  結論
【０２７７】
照射機能は、ＰＰＧシステムにおいて重要な役割を果たす。この研究は、ＬＥＤスポットライト、タングステン光、およびＬＥＤエミッタアレイを使用して、ＰＰＧ撮像における強度と均一性を含む照射の違いを調べるものである。組織状ファントムに基づく予備評価ではＰＰＧ信号が照射強度の関数であることが示されており、撮像設定において正確なＰＰＧ信号を得るには、均一な照射が理想的であるように思われる。動物モデルでは、照射強度の変化が、生理学的に類似性の高い領域である健康な皮膚組織から受信されるＰＰＧ信号に影響を与えることを示し、組織のファントムでの結果を確認した。熱傷の存在下では、組織の損傷により血流が弱まっているため、ＰＰＧ信号の低減が予想される。均一照射はさらに、熱傷領域の検出精度向上という点においても、他の２つのパターンよりも有利である。タングステン光およびＬＥＤ光は、いずれも均一な照射パターンをもたらすが、ＬＥＤ光源は、臨床環境において他にも多くの利点を有している。ターゲットの表面に大きな温度変化をもたらさず、信頼性が高く、電力要件は低い。患者の血液灌流の評価を行うことができるＰＰＧ撮像装置のような、高感度、非侵襲、かつ安全な装置は、創傷ケア環境における臨床医にとって非常に価値があると考えられる。視野全体で高強度かつ均一な光を達成する能力がより高い、本明細書で提示するエミッタアレイのような照射モジュールを用いれば、これらの臨床用途は、ＰＰＧ撮像技術によって正確かつ精度高く実現されるであろう。
１．２．  実施例２：ブタ熱傷モデルを用いた壊死組織除去における、マルチスペクトル撮像による順次特徴付けに関する実験
【０２７８】
ブタの熱傷モデルを用いて、様々な重症度の中間層熱傷について調べた。ミニブタの背中に４×４ｃｍの熱傷を８つ作製した。４つの熱傷はそのまま試験に供し、他の４つは接線方向に順次切除を行った。４００〜１０００ｎｍの波長で、これらの熱傷部位の撮像を行った。
【０２７９】
組織構造によって、様々な中間層熱傷が得られたことを確認した。スペクトル画像の解析から、ＭＳＩが、健康な組織、浅達性中間層熱傷、および深達性中間層熱傷のスペクトルプロファイルにおける顕著な差異を検出することがわかる。５１５ｎｍ、５４２ｎｍ、６２９ｎｍ、および６６９ｎｍの吸収スペクトルは、浅達性中間層熱傷と深達性中間層熱傷との識別において最も正確であり、９７２ｎｍの吸収スペクトルは、壊死組織除去プロセスのガイドにおいて最も正確であった。
【０２８０】
非専門家が様々な重症度の中間層熱傷を識別し、患者に外科手術が必要か否かを評価する能力は、臨床環境におけるＭＳＩ装置の使用により改善できる可能性がある。
１．２．１．  材料および方法
【０２８１】
この動物実験で用いた方法は、Ｂｒａｎｓｋｉら、Ｇｕｒｆｉｎｋｅｌら、およびＳｉｎｇｅｒらの方法の変法であった。この熱傷モデルおよび研究プロトコルは、動物実験委員会（ＩＡＣＵＣ）によって承認された。
１．２．１．ａ．  熱傷モデルおよび研究のプロトコル
【０２８２】
体重４７．５ｋｇの雄性ハンフォードミニブタの成体（月齢７．２）を使用した。この動物の取り扱いは、「実験動物の人道的取り扱いと使用に関する公衆衛生局方針」に従った。処置は、設備の整った大動物手術室で実施した。このミニブタを、麻酔前に一晩絶食させた。麻酔は、テラゾール（約２．２ｍｇ／ｋｇ，ＩＭ）とキシラジン（約０．４４ｍｇ／ｋｇ，ＩＭ）の併用により誘導した。動物に挿管し、イソフルラン（０．１〜５％、１００％酸素と混合）を用いて麻酔を維持した。実験中に監視および記録を行ったバイタルサインとしては、心拍数、血圧、呼吸数、およびＰＰＧ波形が挙げられる。実験の終わりに、ペントバルビタールナトリウム（３９０ｍｇ／ｍＬ）を１．０ｍＬ／４．５ｋｇ体重の最小用量で用い、動物を安楽死させた。
【０２８３】
１００℃に設定された金属アルミニウム棒を用いて、ミニブタの背中に４×４ｃｍの熱傷を８つ作製した。加熱した棒を当てる時間を変えることにより、様々な深さの熱傷を得た：健康な皮膚（０秒）；浅達性中間層熱傷（３０秒）；深達性中間層熱傷１（ＤＰＴ１；４５秒）；深達性中間層熱傷２（ＤＰＴ２；９０秒）。各タイプにつき２つの熱傷を作製し、４つを１ブロックとし、２つのブロックが隣接するようにした。図２４は、ブタの背中の熱傷の位置を示す。数字はブロックを表し、文字は処置を表す（「１」はブロックＩ、「２」はブロックＩＩ、「ａ」は対照、「ｂ」はＳＰＴ、「ｃ」はＤＰＴ１、「ｄ」はＤＰＴ２）。図２５は、ブロックＩ（左）およびブロックＩＩ（右）における組織の大きさを示す。
【０２８４】
ブロックＩの熱傷の撮像は、熱傷前、熱傷直後、および熱傷の１時間後に行った。次いで、これらの熱傷を５ｃｍ×４ｃｍ×１ｃｍの組織塊（図２５）として切除したが、その際、熱傷全体をそのまま採取するために、周囲の健康な組織も帯状に含まれるようにした。ブロックＩを、「熱傷分類実験」と呼ぶ。
【０２８５】
ブロックＩＩの熱傷については、熱傷を深さ１ｍｍごとに層状に切り出すために、電動デルマトームセット（例えば、ジンマー社、インディアナ州ワルソー）を用いて、接線方向の切除を連続的に行った。例えば、図２６に、壊死組織除去のプロセスの例を示す。組織を５ｃｍ×５ｃｍ×０．１ｃｍの連続した薄片として切除し（図２５）、創傷部位の下に点状の出血が観察されるまでこれを続けた（図２６）。ブロックＩＩの熱傷の撮像は、熱傷前、熱傷直後、および各切除の後に行った。このブロックを「熱傷壊死組織除去実験」と呼ぶ。
【０２８６】
組織サンプル（組織塊および接線方向に切除された層）はそれぞれ、１０％中性緩衝ホルマリン中に保存し、組織病理学検査に送った。各サンプルを薄片化し、ヘマトキシリンおよびエオシンで染色した。接線方向の切除を行ったブロックＩＩの熱傷については、生きた組織に到達した切除層がどれであるかを、それぞれが別施設に所属する病理学者２名が正確に判定した。熱傷の全体的な重症度は、皮膚の損傷のパーセンテージによって判定した。皮膚の損傷が２０％未満であれば浅達性中間層熱傷、２０％を超えて１００％未満の皮膚損傷は深達性中間層熱傷とみなした。
１．２．１．ｂ．  機器およびデータの解析
【０２８７】
ＭＳＩはすべて、Ｓｐｅｃｔｒａｌ  ＭＤの創傷評価プロトタイプによって行った。このカメラは、画素数１３９２（ｈ）×１０４０（ｖ）のシリコン電荷結合素子（ＣＣＤ）を有している。交換可能な８枚のフィルターを有する回転ホイールが装置内で回転することで、高速ＭＳＩが可能になる。有効面積は１０．２ｍｍ×８．３ｍｍである。２５０Ｗのタングステン光源を使用して視野を照射した（ＬｏｗｅＰｒｏ）。８枚のフィルターの波長は、４５０ｎｍ、５１５ｎｍ、５４２ｎｍ、６２０ｎｍ、６６９ｎｍ、７５０ｎｍ、８６０ｎｍ、および９７２ｎｍであった（半値全幅１０ｎｍ）。取得後の処理はすべてＭＡＴＬＡＢ（ｖ２０１３ｂ）によって行った。
１．２．１．ｃ．  統計的解析
【０２８８】
組織学的所見をガイドとして用いて、熱傷の画像それぞれにおいて特定の領域を選択し、それらの領域を構成する信号の分類を行った。異なる熱傷深度からの信号を、双方向ＡＮＯＶＡおよび多重比較（Ｔｕｋｅｙ−Ｋｒａｍｅｒ）によって比較した。壊死組織除去の解析は、３要因のＡＮＯＶＡおよび多重比較（Ｔｕｋｅｙ−Ｋｒａｍｅｒ）を用いて行った。ｐ値の計算にはＢｏｎｆｅｒｏｎｎｉ法を用いたが、これは、ｐ値が０．０５を検定数で除した値よりも小さい場合に有意とみなすものである。
１．２．２．  理論
【０２８９】
組織は、血液、メラニン、水、脂肪、およびＥＣＭの独特の組み合わせから構成されている考えることで単純化できる。上記成分のうち１種で全体が構成されているファントムから反射した白色光を測定すると、各ファントムの吸収スペクトルには固有のピークまたは優位な波長のあることがわかる。図２７Ａ−２７Ｅは、様々な組織成分の吸収スペクトルを示す。これらの優位な波長で生じる変化に注目することにより、熱傷の種類による変化をよりよく認識することができる。浅達性中間層熱傷と深達性中間層熱傷とを識別する上で、血液のスペクトルが重要であろうという仮説を立てた。これは、深達性中間層熱傷では浅達性中間層熱傷よりも血管の損傷やうっ血が多いであろうという推測に基づくものである。したがって、プロトタイプには、血液の吸収ピークの範囲である４５０〜６６９ｎｍの波長を含めた。また、深達性中間層熱傷では浅達性中間層熱傷よりも、理論的に多くのＥＣＭが損傷することから、ＥＣＭの波長も含めた。
【０２９０】
波長４５０ｎｍ、５５０ｎｍ、６５０ｎｍ、および８００ｎｍを見ると、従来の臨床的判断のみに頼る場合と比較して、熱傷の深さの分類が改善されることがわかる。皮膚組織成分の光学特性についての検討を終えた後、先に確立されたこれらの波長を中心として、上記したように熱傷評価の助けとなる可能性の高い８つのさらなる波長の試験を試みた。試験した波長は、４２０ｎｍ、５１５ｎｍ、５４２ｎｍ、６２９ｎｍ、６６９ｎｍ、７５０ｎｍ、８６０ｎｍ、および９７２ｎｍである。
１．２．３．  結果
１．２．３．ａ．  組織学
【０２９１】
ブロックＩおよびブロックＩＩにおける病態生理学的変化を、盲検の組織病理学者が層ごとに解析し、その熱傷組織を深さによって分類した。合計で、３つが浅達性中間層熱傷、３つ深達性中間層熱傷、２つが健康な対照と判定された。図２８に、接線方向の切除（層としての切除）を行った熱傷の組織構造を示す。黒い線は熱傷の全範囲を示し、黄色の線は熱傷の影響が最も深刻な領域を示す。
【０２９２】
壊死組織として除去した組織を解析し、デルマトームのみを用いた連続的切除によって熱傷組織をどの程度効率的に除去できるかを確認した。組織構造から、それぞれの部位において、最大４回の切除によって熱傷組織がすべて除去されたことがわかった。それぞれの部位における最後の切除では、熱傷の境界にある深部の健康な組織も除去された。時折、最後の切除片が健康な創傷床のみを含む場合があり、これは、１段階前で除去を停止できたことを意味している。図２９に、動物実験の壊死組織除去において接線方向に連続的に切除された組織片を示す。最も上の切片は真皮の表層であり、その下に続く層は真皮のより深い部分である。矢印は組織片の表層を示す。黒い線は熱傷の全範囲を示し、黄色の線は熱傷の影響が最も深刻な領域を示す。
１．２．３．ｂ．  熱傷の分類実験
【０２９３】
Ｓｐｅｃｔｒａｌ  ＭＤの創傷評価プロトタイプは、ブロックＩにおける各種の組織を、健康、ＳＰＴ、ＤＰＴ１、またはＤＰＴ２として正しく分類することができた。図３０は熱傷直後のＭＳＩデータのプロットであり、熱傷の種類によって当初の反射スペクトルが異なることを示す。すべての熱傷部位と健康な対照から得られた４つの反射スペクトルを示す。多重比較に基づく統計的解析により、４２０ｎｍを除くすべての波長が、ＳＰＴの熱傷とＤＰＴ１／２の熱傷を識別する上で有効であることが確認された。多重比較からさらに、４２０ｎｍ、５４２ｎｍ、６６９ｎｍ、および８６０ｎｍの波長を用いたＭＳＩによってＤＰＴ１とＤＰＴ２とを識別できることが示された。以下の表は、熱傷の分類における多重比較を示しており、ｐ値１はＳＰＴ対ＤＰＴ１に対応し、ｐ値２はＳＰＴ対ＤＰＴ２に対応している（この実験における有意なｐ値は、０．０５／６＝０．００８未満である）。
【表３】
2019502418.tif 000005
【０２９４】
したがって、ＭＳＩは、様々な深さの熱傷を、光のいくつかの主要な波長における固有のスペクトルシグネチャーによって、受傷直後に識別することができる。
【０２９５】
次いで、受傷の１時間後に収集した画像データを同じ様式でプロットし、重症度の識別の再現性を調べた。図３１は、各種の熱傷の、受傷直後および受傷１時間後のスペクトルを示す。ＭＳＴがＳＰＴとＤＰＴとを識別できるか否かを判断するために、データ解析にＤＰＴ２を使用した。臨床的関連に注目するため、１時間後のデータにおけるＤＰＴ１対ＤＰＴ２の多重比較は実施しなかった。評価プロトタイプによる測定の結果、熱傷の種類ごとに異なる反射スペクトルが得られた。この実験では、ＳＰＴの熱傷とＤＰＴの熱傷とを識別する上で、すべての波長が有効であった。
【０２９６】
１時間後についての多重比較の結果は、以下の通りである（この実験における有意なｐ値は、０．０５／１５＝０．００３未満である）。
【表４】
2019502418.tif 000006
１．２．３．ｃ．  熱傷壊死組織除去実験
【０２９７】
第２の実験では、創傷評価プロトタイプが、健康な組織とＤＰＴ熱傷とを識別する能力を利用して、壊死組織除去の停止に適な層を特定できるか否かを試験した。ここでは、ＤＰＩ１の創傷とＤＰＴ２の創傷をともに切除することを考えた。この実験の目的が、ＭＳＩが創傷の深さによらず壊死組織から生きた組織を特定できるか否かを試験することにあったからである。一般的に、接線方向の切除はＳＰＴの熱傷には行われないため、この壊死組織除去の解析にＳＰＴデータは含めなかった。この模擬壊死組織除去プロセスでは、９７２ｎｍの波長が壊死組織除去の解析に最も有用であった。多重比較において、当初の熱傷部位と１回目の切除の後の創傷床との間に、差は認められなかった。２回目の切除の後の熱傷部位と健康な対照との間に、統計的な差はなかった。３回目の切除の後の熱傷部位も、健康な対照との比較において、差はなかった。以下の表は、これらの結果をまとめたものであり、壊死組織除去に関する多重比較による解析結果を示している。
【表５】
2019502418.tif 000007
【０２９８】
表中、ＨＷＢ＊は「健康な創傷床」を意味し、健康＊は「ＨＷＢ」を意味し、健康＊＊は「切除した深さに位置する健康な創傷床」を意味する。この実験における有意なｐ値は、０．０５／４５＝０．００１未満である。「†」は、予測されるｐ値が、組織病理学検査および組織サンプルの分類によって決められたことを示す。測定されたｐ値はいずれも、予測された値と一致した。
【０２９９】
これらの結果は、壊死組織除去の２回目の切除によって熱傷組織の最後の縁が除去されたことを確認した組織学的評価と一致している。５１５ｎｍ、６６９ｎｍ、および７５０ｎｍの波長では、健康な創傷床と過剰な除去を行った後の創傷床（熱傷組織が既に除去された後の創傷床）に統計的な差異は見られなかった。図３２に、各切除層の全波長の反射スペクトルを示す。これは、健康な対照の反射スペクトル、一度切除した健康な対照の反射スペクトル、各切除時の熱傷組織のスペクトルの平均、および各切除時の創傷床スペクトルの平均をプロットしたものである。
１．２．４．  考察
【０３００】
Ｓｐｅｃｔｒａｌ  ＭＤの創傷評価プロトタイプは、様々な重症度の中間層熱傷を識別することができ、熱傷壊死組織除去が適切な切除深さで行われたのがいつであるかを判定することができる。多重比較統計により、以下の差異の解像に最適である波長が見出された：ＳＰＴ対ＤＰＴの損傷、ＤＰＴ１の損傷対ＤＰＴ２の損傷、および壊死熱傷組織対生存創傷床。
【０３０１】
ＤＰＴ１とＤＰＴ２とを識別することによって外科的介入の全体的治療計画が変更されることはないが、この分解能で熱傷の重症度を分類できることは、プロトタイプに機能が追加されることになる。今後研究が進めば、ＭＳＩを使用して深さを測定するアルゴリズムを作成することができる。この情報は、その後、大きな熱傷全体にわたってすべての深さを含む総合的熱傷等高線図を作成するために使用されてもよく、これは、臨床医が熱傷領域全体の壊死組織除去計画を作成する助けとなる。吸収スペクトルと熱傷の正確な深さとを関連付けるアルゴリズムをさらに開発するために、さらなる研究が行われてもよい。
【０３０２】
「理論」のセクションで仮定したように、５１５ｎｍ、５４２ｎｍ、６２９ｎｍ、および６６９ｎｍの波長は、熱傷直後および熱傷の１時間後のＳＰＴ損傷とＤＰＴ損傷との識別に有用であった。４２０〜６６９ｎｍの波長範囲は、血液の吸収スペクトルに関連している。熱傷の深さによってうっ血の程度は様々であることから、このような波長の光が組織にどのように扱われるかは、その組織が属する熱傷の分類によって異なるため、ＭＳＩによる識別が可能となる。同様のスペクトル（４２０ｎｍ、５４２ｎｍ、６６９ｎｍ、および８６０ｎｍ）によってＤＰＴ１の創傷とＤＰＴ２の創傷とを識別することができ、この考えはさらに支持される。
【０３０３】
ＥＣＭの吸収ピーク（７５０ｎｍ、８６０ｎｍ、９７２ｎｍ）、水の吸収ピーク（９７１ｎｍ）、および脂肪分の吸収ピーク（９３０ｎｍ）と関連する波長もまた、熱傷の種類の識別に有用であった。ＳＰＴの熱傷はＤＰＴの熱傷よりも皮膚の損傷が少ない。したがって、ＳＰＴではＤＰＴと比べて損傷のないＥＣＭが多く存在し、水分はより均一に分布しているため、ＭＳＩによってＳＰＴとＤＰＴとを識別できると仮定できる。一方、ＤＰＴ１の熱傷とＤＰＴ２の熱傷はいずれも全層熱傷ではないため、これらの熱傷の間に、深さによる皮膚脂肪含量の差はなさそうである。得られた結果は、これらの予測と一致している。
【０３０４】
この研究では、ＭＳＩ技術を使用して熱傷壊死組織除去の適切な深さを判定する可能性もまた示されている。５１５ｎｍ、６６９ｎｍ、７５０ｎｍ、および９７２ｎｍの波長を使用して、部分的に壊死組織を切除した熱傷と生存創傷床の反射スペクトルにおける差異を特定することができた。５１５ｎｍおよび６６９ｎｍの波長は、血液の吸収ピークに相当する。７５０ｎｍおよび９７２ｎｍの波長は、ＥＣＭの吸収スペクトルに相当し、９７２ｎｍは水の吸収ピークにも相当している。これらの結果は、健康な組織と熱傷組織とを比較するとき、組織成分としての血液、ＥＣＭ、および水の変化が最も大きいことを示唆している。熱傷はＥＣＭと血管を破壊するため、これは合理的である。９７２ｎｍの波長は、どの実験においても、組織分類に臨床的に有用であることが示された。これは、熱傷が組織内の水の分布を乱すことによって説明できるかもしれない。この乱れによって、健康組織と熱傷組織との間にＭＳＩで検出することのできる顕著な差が生じることとなり、その差を利用して壊死組織除去をガイドすることができる。
１．２．５．  結論
【０３０５】
Ｓｐｅｃｔｒａｌ  ＭＤによる創傷評価プロトタイプは、ブタの熱傷モデルにおける熱傷を分類し、壊死組織除去をガイドするデータを提供する。これは、熱傷のトリアージおよび壊死組織除去術の助けとなる臨床装置の開発の可能性を示している。この技術を、早期の熱傷ケアにおける日常的な使用のために実施できれば、緊急時にケアチームが容易に利用できる、なじみ深いものとなるであろう。
【０３０６】
この装置を熱傷の自動分類に適合させるために、将来的な実験には、この実験で得られた有効波長等が組み入れられるであろう。現在の、Ｓｐｅｃｔｒａｌ  ＭＤによる創傷評価プロトタイプは、研究者が解析し、組織の分類を目的として解釈するデータを取得しているに過ぎない。目標とするのは、ＭＳＩデータを解析し、自動分類を行い、見やすく理解しやすい出力を生成するアルゴリズムの設計である。そのために、この実験で得られたデータをスペクトル参照データベースに加え、分類アルゴリズムのトレーニングに使用する。今後もブタの熱傷実験は必要になるであろうが、ブタの熱傷データベースを強力な土台として、最終的には臨床環境においてプロトタイプを試験する予定である。
１．３．  実施例３：ブタ深達性中間層熱傷モデルにＰＰＧおよびＭＳＩを用いた実験
【０３０７】
熱傷壊死組織除去術は、切除の範囲と深さを特定するための訓練を要する難しい技術であるが、どこをどの程度切除すべきかについて外科医に合図できる装置があれば、恩恵を受けられるであろう。模擬熱傷壊死組織除去術において生存創傷床と熱傷組織を識別する能力について、迅速かつ非侵襲的な２つの光学撮像技術の調査を行った。
【０３０８】
ＰＰＧ撮像およびＭＳＩを使用して、深達性中間層熱傷における壊死組織除去の初期段階、中間段階、および最終段階の撮像を行った。ＰＰＧ撮像では、皮膚の微小循環における血流をマッピングすることができ、ＭＳＩでは、可視光波長および赤外線波長の組織反射スペクトルを収集して、参照ライブラリに基づいて組織を分類することができる。例えば、図３３は、創傷壊死組織除去の手法、および壊死組織と移植のための生存創傷床との間の相対血流を検出するＰＰＧ撮像装置を示している。このようなＰＰＧ撮像システムの構成要素の例を図３４に示す。ＭＳＩシステムの構成要素を図３５に示す。
【０３０９】
この実験では、ブタの深達性中間層熱傷モデルを作製し、深さ１．０ｍｍに設定した電動デルマトームを用いて、接線方向の切除を連続的に行った。切除された焼痂をヘマトキシリンおよびエオシン（Ｈ＆Ｅ）で染色し、壊死組織除去の各段階で残存している熱傷の程度を判定した。
【０３１０】
ＰＰＧ撮像装置では、熱傷組織が存在する場所での血流が顕著に少ないことが示され、ＭＳＩ法では、生存創傷床に残っている熱傷組織が創傷床と区別して描写されることが確認できた。これらの結果は、独立して実施された組織学的解析によって確認された。
【０３１１】
これらの装置は、切除の適切な深さを特定できるものであり、それらの画像は、創傷床において移植の準備が整ったかどうかについて、外科医に合図を送りうるものであることが見出された。これらの出力画像は、手術室における臨床判断を容易にすることが期待される。
【０３１２】
熱傷のケアにＰＰＧ撮像およびＭＳＩの技術を適用するために、科学者および技術者は、現行のケア標準を改善する能力を発揮しなければならない。壊死組織除去術中の既知の時点に得た画像を含む動物画像データベースを基に教師あり機械学習アルゴリズムを開発し、トレーニングすることを含む実験を行った。開発した分類アルゴリズムの精度が現行の臨床ケア標準を上回っていることを実証する。このアルゴリズムは、最終的には、ＰＰＧ撮像およびＭＳＩによって収集された撮像データを、切除および移植手術を行う医療提供者にとって不可欠な情報に翻訳するために適用されるであろう。
１．３．１．  方法
１．３．１．ａ．  フォトプレチスモグラフィ撮像装置
【０３１３】
ＰＰＧ撮像システムは、暗騒音が低くダイナミックレンジの高い１０ビットのモノクロームＣＭＯＳカメラ（Ｎｏｃｔｕｒｎ  ＸＬ、Ｐｈｏｔｏｎｉｓ  ＵＳＡ）から構成されている。１０ビットのＡＤＣ分解能によって得られる信号対ノイズ比は６０ｄＢである。この撮像装置の分解能は、１２８０×１０４０（アスペクト比５：４）に設定した。カメラは垂直下向きに、オブジェクトの表面に対面するよう取り付けた。システム間の比較のために、２０×１６ｃｍの共通視野（ＦＯＶ）の制御を行った。カメラの露出時間は、９５％の反射率参照標準（Ｓｐｅｃｔｒａｌｏｎ  ＳＧ３１５１、ＬａｂＳｐｈｅｒｅ  Ｉｎｃ．；ニューハンプシャー州ノースサットン）を用いて較正した。組織を照射するために、４つの高出力モノリシックＬＥＤエミッタ（ＳＦＨ４７４０、ＯＳＲＡＭ）を、同軸モードでセンサーと同じ平面に取り付けられた２×２アレイに配置した。ＬＥＤエミッタアレイは、ターゲットの表面１５ｃｍの位置に、カメラとともに配置された。ＬＥＤエミッタが選択されたのは、カメラのＦＯＶ内の組織を均一に照射できる（すなわち、空間強度の変化は１５％未満であった）ことによる。カメラのＦＯＶは光学レンズによって制御され、照射領域よりもわずかに狭かった。
【０３１４】
呼吸中に動物が動くことでＰＰＧ信号にノイズが入るため、ＰＰＩ撮像の当初の解析は困難であった。エンベロープ抽出と呼ばれる信号処理法を用いて、呼吸運動の影響を低減させることができた。画像の各画素に対し、ローパスフィルタを用いた信号の平滑化を行い、ノイズの多い信号の包絡線を抽出した。次いで、ノイズの多い信号をその包絡線で区分し、信号中の大きな動作スパイクを除去した。残りの明瞭な信号は、情報を示すものであり、これが処理されてＰＰＧ画像が得られる。
１．３．１．ｂ．  マルチスペクトル撮像装置
【０３１５】
マルチスペクトル画像の収集は、４００〜１１００ｎｍの間にある固有の波長を有する８枚の光学バンドパスフィルターを備えたフィルターホイールカメラ（ＳｐｅｃｔｒｏＣａｍ、Ｐｉｘｅｌｔｅｑ；フロリダ州ラルゴ）を使用し、Ｓｔａｒｉｎｇ法によって行った。我々のシステムに最も適したフィルターを選択するために、以前の研究で特定された２２枚のそれぞれ異なるフィルターを試験し、特徴選択と呼ばれる技術を使用して波長選択のためのデータ解析を行った。この研究では、透過ピークが５８１ｎｍ、４２０ｎｍ、６２０ｎｍ、８６０ｎｍ、６０１ｎｍ、６８０ｎｍ、６６９ｎｍ、および９７２ｎｍである波長フィルター（フィルター幅は、±１０ｎｍ；Ｏｃｅａｎ  Ｔｈｉｎ  Ｆｉｌｍｓ；フロリダ州ラルゴ）を使用した。撮像センサーのスペクトル応答の差を補償するために、正方形の９５％反射率参照標準（Ｓｐｅｃｔｒａｌｏｎ  ＳＧ３１５１、ＬａｂＳｐｈｅｒｅ  Ｉｎｃ．；ニューハンプシャー州ノースサットン）を用いて、システムの較正を行った。使用した光源は、撮像装置の視野内の照射プロファイルをより均一にするための擦りガラスディフューザを備えた、２５０Ｗのタングステンハロゲンランプ（ＬｏｗｅＰｒｏ）であった。このシステムでは、望遠レンズ（Ｄｉｓｔａｇｏｎ  Ｔ＊２．８／２５  ＺＦ−ＩＲ、Ｚｅｉｓｓ  Ｉｎｃ．；ＵＳＡ）を利用した。
１．３．１．ｃ．  ブタモデル
【０３１６】
この動物実験で用いた方法は、Ｂｒａｎｓｋｉら，２００８、およびＧｕｒｆｉｎｋｅｌら，２０１０の方法の変法であった。体重約４０ｋｇのハンフォードブタの成体を、手術前に馴化させた。適切な麻酔および鎮痛の下、ブタの背中の正中線近くに、深達性中間層熱傷を作製した。創傷を作製するために、１００℃に熱した黄銅棒を、皮膚に６０秒間押し付けた（圧力０．２４ｋｇ／ｍ２）。黄銅棒の直径３．６ｃｍであり、生じた創傷の寸法は同一であった。それぞれのブタに合計６つの創傷を作製したが、このとき、円形の熱傷それぞれに隣接する健康な組織を無傷の対照組織として使用するために、創傷と創傷との間隔が保たれるようにした。
【０３１７】
適切な切除深さとなるよう撮像装置を較正するために、接線方向に鋭い切除を行うための標準モデルを開発した。接線方向の切除とは、一様かつ連続的に繰り返して行われる、熱傷の部分的切除である。これは、深さ１．０ｍｍ（幅６．０ｃｍ）に設定した電動デルマトームセットを、生存創傷床の深さに至る熱傷全体が切除されるまで、熱傷上を複数回通過させることによって達成された。
【０３１８】
下方にある生存創傷床を露出させるために、デルマトームを３回通過させることによって深達性中間層熱傷を切除した。実験では、点状出血が現れる点まで組織を除去できれば、壊死組織除去が成功したとみなした。円形の熱傷それぞれに隣接する健康な組織を、無傷の対照組織として使用した。データ収集を行った時点は、０）受傷前、１）受傷直後、２）３層の壊死組織それぞれの除去時点であった（図３６）。それぞれの時点において、ＰＰＧ画像、ＭＳＩ画像、ならびに心拍数、呼吸数、および血圧を含む生理学的データを収集した。接線方向の切除を行う度に、組織構造を調べる目的で、切除した組織を保存した。
１．３．１．ｄ．  生存創傷床の特定
【０３１９】
研究の詳細を知らされていない組織病理学者が、組織学とカラー写真とを基にして、生存創傷床の組織が露出した深さを判定した。組織学的検討は、Ｇｕｒｆｉｎｋｅｌら，２０１０に従って実施された。簡単に言えば、接線方向に切除された各組織サンプルを１０％中性緩衝ホルマリン（ＮＢＦ）で固定し、認定組織病理学者による処理および検査（Ａｌｉｚｅｅ  Ｐａｔｈｏｌｏｇｙ、メリーランド州サーモント）に送付した。各試料から代表的な生検材料を採取し、ヘマトキシリンおよびエオシン（Ｈ＆Ｅ）を用いて染色した。生存創傷床に到達したのが、接線方向のどの切除であったかを判定するために、組織病理学者は、組織の薄片の中で最も重度の熱傷を受けた領域の境界を特定し、形態計測解析を用いてこの熱傷の深さを見出した。研究の各時点において、熱傷のデジタル写真も撮影した。色の標準化のために、創傷の横に色基準片を置いた。
１．３．１．ｅ．  マルチスペクトル撮像のための分類アルゴリズム
【０３２０】
生のＭＳＩデータキューブ内の画素の分類を自動化するために、分類アルゴリズムおよび熱傷組織スペクトル参照データベースを作成した。データベースの作成は、以下の３つの手順を踏んだ。第１に、動物実験データによって得られた画像から特定の画素を選択するために技術者が使用できるプログラムを書いた。第２に、動物実験によって得られた接線方向に切除した組織サンプルを認定組織病理学者が処理して解析し、各組織片における熱傷の位置および重症度を特定した。第３に、経験豊富な外科医がカラー写真を観察し、壊死組織除去として切除した組織における点状出血の位置および生存組織と非生存組織を特定した。これらのステップが完了した後、技術者２名が約１２０枚のＭＳＩ画像から手作業による画素の選択を行った。
【０３２１】
先のステップで作成した参照データに基づいて画素を６つの異なる生理学的クラスに分類する機械学習アルゴリズムを構築した。クラシファイヤアルゴリズムとしては、二次判別分析（ＱＤＡ）を使用した。アルゴリズムの精度は以下のように判定した。各ＭＳＩ画像の画素が組織学より適切なクラスに分類された後、６つのクラスそれぞれにつき、２４の熱傷部位にわたる２０００画素を用いて、分類アルゴリズムのトレーニングを行った。次いで、トレーニング画素は換えずに、各クラスにつき新たに２０００の画素を無作為に選択し、分類アルゴリズムの効率を試験した。分類の精度は、ＳｏｋｏｌｏｖａおよびＬａｐａｌｍｅに従って計算した。
【０３２２】
実験で使用した６つの生理学的クラスとその説明を、以下に示す。
【０３２３】
健康的な皮膚：ほとんどすべての画像に存在する一般的な組織である。
【０３２４】
充血：１９４７年にＪａｃｋｓｏｎにより記載された熱傷の３区分の１つである。血管系が拡張されているが、完全な回復が期待される。
【０３２５】
創傷床（移植可能）：移植可能な創傷床組織は、皮膚移植片の適用に理想的な表面である。白色またはピンク色であり、点状出血が見られる。
【０３２６】
血液：表面に多量の血液が溜まっており、血液を吸引して当該領域を再度撮像するよう外科医に指示すべき状態である。
【０３２７】
重度でない熱傷：２週間以内に自然に治癒するであろう軽度の熱傷を伴う組織。
【０３２８】
重度の熱傷（移植不可能）：壊死および回復不可能な熱傷が起きた凝固部であり、自然に治癒することはなく、皮膚移植片も受け付けない。
１．３．１．ｆ．  統計および画像処理
【０３２９】
画像の処理および統計は、すべてＭＡＴＬＡＢ（ｖ２０１３ｂ）上で行われた。
１．３．２．  結果
１．３．２．ａ．  熱傷の作製およびその深さ
【０３３０】
４匹のミニブタを用いて、２４箇所の深達性中間層熱傷を作製した。２４箇所の創傷のうち１６箇所（６７％）は、圧力制御された高温の棒による面積の等しい創傷であることがわかった。それぞれの熱傷から接線方向に３回の切除が行われ、各切片における熱傷の程度が、組織病理学者によって判定された。７２の切片それぞれについて形態計測による解析を行い、熱傷深さの一貫性とデルマトームによる接線方向の切除の一貫性を定量化した。デルマトームによる切除の平均厚さは１．３６±０．１６ｍｍ（標準偏差１２％、図３７）であった。
【０３３１】
熱傷組織は、熱傷により何らかの影響を受けた領域と、熱傷により重度の影響を受けた領域に区別された。熱傷組織全体の平均深さは３．７３±０．５８ｍｍ（標準偏差１６％）であり、重度熱傷である部分の深さは約１．４９±０．５９ｍｍ（標準偏差±３９％）であった。これらの結果を図３７にまとめて示す。後者の計測値は分散が非常に大きいが、これは、重度熱傷の領域と何らかの熱傷を有する領域とを区別する際に、組織病理学者がより主観的に組織の変化を判断したことに関連している可能性がある。
【０３３２】
接線方向に切除された熱傷組織について、デルマトームが３回通過したことにより生存創傷床に到達したことを、組織学的に確認した。点状出血が現れる点まで組織を除去できれば、壊死組織除去が成功したとみなした。２４の創傷のうち２４箇所（１００％）において、組織の除去により、全体的に均一かつ点状出血を有する創傷床が出現した。これは、デルマトームの３回またはそれ以下の回数の通過で、重度の熱傷を受けた組織がすべて除去されたことを示す組織構造によって確認された（図３８）。点状出血という証拠があるにもかかわらず、組織学的には、２４の創傷のうち８箇所（３３％）において、熱傷により何らかの影響を受けた組織すべてが完全に除去されたわけではないことが示された。しかしながら、撮像データを見ていない認定外科医が、壊死組織除去後の創傷床のカラー写真を検討し、熱傷の影響が軽度であるこのような組織に移植を行うことは許容範囲内であること、また、そのような組織が重度の創傷に変化する見込みはないことを確認した。
１．３．２．ｂ．  フォトプレチスモグラフィ撮像
【０３３３】
画像に存在する３種類の組織、すなわち健康な皮膚組織、熱傷組織、および創傷床組織からのＰＰＧ信号の差異を調べた。熱傷組織からのＰＰＧ信号の信号対ノイズ比は、他の２種類の組織と比較して顕著な差があることがわかった（健康な皮膚：６．５±３．４ｄＢ、生存創傷床：６．２±４．１ｄＢ、熱傷組織：４．５＊±２．５ｄＢ、＊ｐ＜０．０５）。これらの結果には再現性があった。２４の熱傷部位のうち２０箇所から収集したＰＰＧ画像を用いて、切除の適切な点を特定することができた。
【０３３４】
熱傷の深さ全体にわたるＰＰＧ信号の変化を明らかにするために、１つの創傷についての一連の画像を提示する（図３９）。当初のＰＰＧ信号は、無傷の皮膚全体にわたって比較的均一である。この信号は、熱傷が生じた場所に相当する画像の中心部で劇的に低下する。皮膚の最初の１．０ｍｍの層を除去しても、創傷床における熱傷組織は依然として顕著であり、相対ＰＰＧ信号が低いことは、この組織の存在と関連している。およそ２〜３ｍｍの深さ（２回目の切除後）では、創傷床のＰＰＧ信号に戻っている。
１．３．２．ｃ．  マルチスペクトル撮像
【０３３５】
外科医および組織学者の監督下で選択された画素のラベル付データベースから、２４の熱傷すべてから無作為に選択された２０００画素を組み合わせてテストデータセットとした。このテストセットを、事前トレーニングを行ったＱＤＡアルゴリズムによって分類し、実際のクラスラベルと比較して混同行列を生成した（図４２）。この行列では、行列の中央に位置する対角線上に、正確な分類の数が示されている。不正確な分類は、対角線から外れた要素に示されている。全体的な分類精度は８６％であることがわかった。当該アルゴリズムによって、創傷床からの「血液」は、９２％の成功率という、６つのクラス中最高の精度で分類することができた。他の５つのクラスも同様の精度で分類され、分類精度が最も低い「重度の熱傷」の成功率は８１％であった。混同行列から、重度の熱傷組織を健康な皮膚とみなし、健康な皮膚を重度の熱傷とみなす誤分類が起こりがちであることがわかる。また、充血組織を血液とみなす誤分類やその逆も多いことを見出した。
【０３３６】
分類されたＭＳＩ出力画像は、熱傷の位置およびその境界を良好に示している（図４０）。ＭＳＩは、デルマトームを使用して熱傷領域をより深く切除しようとする際に、生存創傷床を明確に特定することができた。これらの画像においても、先の混同行列の解析の際に述べた画素の誤分類が見られる。この空間表現から、誤差は典型的にはランダムではなく、画像の特定の領域に高い頻度で発生することがわかる。例えば、創傷床が健康な皮膚として分類される誤りの多くは、図４０の１回目の壊死組織除去の図の上部のみで生じている。
【０３３７】
同一の創傷内に深さの異なる熱傷が含まれる場合、これは一般的な臨床シナリオであるが、ＭＳＩ画像の結果から、より重度の熱傷領域を特定することができた（図４１）。これは、受傷直後および切除プロセスにおいて該当する。これらの画像は、このツールが手術計画を立てる上で、特に経験の浅い外科医にとっていかに効果的であるかを示すために提供されている。
１．３．３  結論
【０３３８】
ＰＰＧ撮像データの結果から、熱傷組織は健康な組織と比較してＰＰＧ信号が顕著に少ないことがわかる。臨床的観点から言えば、これは、熱傷の疑いがあるものをＰＰＧ撮像技術の助けを得て特定できることを意味する。外科医が組織を切除する際、壊死組織を除去して生存創傷床を露出させるにつれ、それに応じてＰＰＧ撮像信号が増すことが期待できた。信号が生存組織に特有の強度に達したとき、ＰＰＧ撮像装置は、創傷床に適度な血流があること、また組織が移植片を支持可能であることを外科医に示すであろう。
【０３３９】
ＭＳＩ撮像の結果も有望である。この研究で用いた８つの波長で、様々な組織クラスの分類において平均して８６％の精度が得られた。熱傷組織を分類するための現在のケア標準は、経験を積んだ熱傷外科医の臨床判断である。切除および移植における外科医の分類精度についての研究報告はないが、経験豊富な外科医による初期の熱傷深さ評価の臨床研究では、６０〜８０％の精度が示されている。初期評価における外科医の精度は、必ずしも熟練した外科医の手術の精度を示すものではないが、熱傷の手術中に最適切除深さを正しく判断するという課題の達成は、初期評価と同様に困難であると考えられる。したがって、この調査で示されたＭＳＩ撮像の精度は、最も熟練した専門家と同等であることが確信でき、また、ＭＳＩが経験の浅い外科医の臨床的意思決定を改善する可能性を有することに疑いの余地はない。
【０３４０】
ＰＰＧデータから計算された特徴は、ＭＳＩデータ解析のために既に確立されている、同じ機械学習技術を用いた反射スペクトルデータと組み合わせることができる。ＰＰＧとＭＳＩの生データキューブはいずれも同一の光学的ハードウェアを用いて収集できるため、各システムから得られる、クラシファイヤの式に含めるべき顕著な特徴を決定することは、統計解析の問題である。ＭＳＩ単独でも熱傷の境界を効果的に特定できるが、ＰＰＧ信号から得られる動的血流情報をＭＳＩの反射率データをと組み合わせることで、組織の生存率に関する重要な情報を含めることができると考えられる。
【０３４１】
切除および移植の際に熱傷を適切に分類することは、熱傷患者のケアを最適化する上で不可欠である。ＰＰＧ撮像とＭＳＩは、壊死組織除去術をガイドすることにおいて熱傷外科医および専門外の外科医のいずれにとっても助けとなる２つの技術である。ＰＰＧ撮像は、血流を検出することによって、血液含量が特徴的に高い健康な組織を識別する。ＭＳＩは、主要な波長の反射光を集め、組織クラスそれぞれに固有の反射スペクトルを生成して分類する。ブタの熱傷モデルを用いて、臨床応用におけるこれらの技術の実行可能性および実用性を示した。ＰＰＧ撮像およびＭＳＩを個別にまたは組み合わせて使用することは、医療提供者の診断精度を向上させ、皮膚移植手術中の壊死組織除去プロセスを最適化する助けとなる。
１．３．３．ａ．  実務への適用可能性
【０３４２】
外科的壊死組織除去を適切に行うために、医師は何年もの訓練を受ける。多数の負傷者が発生する状況下で複数の手術を行う必要が生じた場合、経験の乏しい外科医は数え切れないほどの障害に直面する。組織の切除の過不足はいずれも、重度の合併症につながる。熱傷の切除が不十分であると、失活した組織に移植片を載せることになり、移植片の生着が悪くなり、感染症のリスクが増す。一方、過度に切除には過剰な失血のリスクがあり、これもまた移植片の生着不良を招きうる。手術を技術的に実施することに加えて、外科医は、周術期における体液および血液の適切な管理を指示できなければならない。さらに、タイミングが重要であり、わずか４８時間が経過しただけでも、創傷の切除を受ける患者は、それより２４時間早く手術を受けた同様の患者と比較すると２倍量の血液を失うことになる。最後に、深さの異なる複数の熱傷が熱傷領域の全体にわたって存在する場合、熱傷ケアの提供はさらに複雑になる。このような熱傷の切除および移植において、生存可能な皮膚の切除を最小限に抑えつつ非生存組織を最大限に除去するように計画を立てることは、困難である。
【０３４３】
熱傷外科医と熱傷が専門ではない外科医とのギャップを低減するためには、支援ツールが必要とされる。理想的な解決策は、切除すべき領域を特定し、切除の適切な深さを判定し、患者の治療管理をガイドする生命兆候を監視するものである。臨床応用のためのさらなる要件は、診断精度の向上、患者の現実的な条件への適応、および治療チームへの有用なデータの即時提供である。さらに、最適な解決策は、多数の負傷者が発生する事故のような、熱傷専門家に比べて患者が圧倒的に多い状況下で、非専門家を支援するために容易に採用できるものである。
【０３４４】
上述のように、この問題に対する有望な解決策として、いくつかの撮像モダリティが提案されている。ほとんどの技術は、理由は様々であるが、臨床診療において実用的でないことがこれまでに判明している。外科医が自力で行う臨床判断と比べて精度が低い技術もある。他の解決策は、患者が長時間じっと横たわっていることを要したり、データの取得に何日もかかったり、正確な診断のために侵襲的処置を要したりする。このような制限を伴う臨床ツールは、医療提供者が容易に採用できるものではない。
【０３４５】
ＭＳＩおよびＰＰＧ撮像は、本明細書で概説した実験も含めて、熱傷ケアを改善するためのこれらの要件を実際に満たしうる技術であることが示されている。これらの技術をベッドサイドで利用できる臨床ツールに転換する作業を行うことにより、米国の熱傷犠牲者の生活の質を向上させることができる。
【０３４６】
この解決策は世界的な影響を与えるであろう。発展途上国の貧しい人々は、調理や照明をたき火に頼っている。このような生活環境により、女性や子どもは、重度熱傷の高いリスクに曝されている。例えば、南アジアでは、ＨＩＶ／エイズやマラリアに感染して死亡する女性や子どもよりも、重度の熱傷で死亡する女性や子どものほうが多い。医療へのアクセスの欠如は、比較的軽度の熱傷が恒久的な障害となることを意味するが、この恒久的な障害は、熱傷治療支援装置の利用によって治療を施す際に高度な技能が必要とされなくなれば、予防できるものである。
１．４．  実施例４：外れ値の検出と除去によって熱傷診断撮像装置の精度を改善するための実験
【０３４７】
この実施例４に記載される方法、システム、アルゴリズム、技術、および／または開示、ならびに実質的に類似したバージョンおよび／または変形は、本開示に記載される任意の方法または装置における計算に使用することができる。
【０３４８】
この実験では、熱傷の壊死組織除去を計画し実施する熱傷外科医を支援する熱傷診断装置を開発するために、マルチスペクトル撮像（ＭＳＩ）を使用した。モデルを構築するには、熱傷組織を正確に代表するトレーニングデータが必要となる。正確なトレーニングデータを取得することは困難であるが、その理由の一部として、生のＭＳＩデータを適切な組織クラスに分類する際に誤りが生じやすいことが挙げられる。トレーニングデータセットから外れ値を除去することによってその困難を乗り越えることができ、分類精度の改善につながると仮定した。最初のＭＳＩトレーニングデータベースを構築し、熱傷に存在する臨床的に重要な組織を分類する我々のアルゴリズムの能力を調べるために、ブタの熱傷モデルを開発した。ブタの画像からグラウンドトゥルースのデータベースを作成した後、トレーニングデータセットの外れ値を計算するために、Ｚ検定および単変量解析に基づく多段階法を開発した。１０倍交差検定を用いて、トレーニングの都度、外れ値の有無にかかわらずアルゴリズムの精度を比較した。この外れ値除去法によって、波長空間におけるトレーニングデータの分散を低減できることが示された。外れ値をトレーニングデータセットから除去することで、試験の精度は６３％から７６％に改善され、より良い出力が得られた。トレーニングデータを調整するためのこの簡単な方法の確立により、我々のアルゴリズムの精度は、熱傷評価における現在のケア標準と同等のレベルまで向上した。熱傷外科医や熱傷治療施設が国内にほとんどないことを考えると、この技術は、専門施設へのアクセスが十分でない熱傷患者のための熱傷のケア標準を改善するものと期待される。
１．４．１．  マルチスペクトル撮像の応用
【０３４９】
カメラ技術の開発とともに、ＮＡＳＡによる天文学、農業、防衛、地質学、医療撮像アプリケーション等の様々な異なる技術から生まれたマルチスペクトル撮像（ＭＳＩ）およびハイパースペクトル撮像（ＨＳＩ）の技術。
【０３５０】
熱傷の解析のための、ＭＳＩ技術の応用について紹介する。熱傷を治療するためには、最初の創傷の深さの判定が重要である。浅達性中間層熱傷として知られている浅い熱傷は、外科的治療を必要とせず、典型的には支援療法で治癒する。深さに応じて深達性中間層熱傷または全層熱傷として分類される、より重度の熱傷は、移植手術の土台となる生存創傷床を露出させるために、壊死組織をすべて外科的に切除しなければならない。現時点では、熱傷を分類するためのゴールドスタンダードは、熟練した熱傷外科医による臨床判断である。しかしながら、そのような専門家の正確さは６０〜８０％に過ぎないと推定されており、非専門家の正確さは５０％以下である。熱傷治療に関する臨床上の意思決定を改善するためには、熱傷の分類精度を、特に熱傷の専門家のいない医療センターにおいて向上させるための技術的解決策が必要である。ＭＳＩは、熱傷組織を潜在的に高い精度で異なる臨床カテゴリーに分類することができ、これにより、外科医は適切な治療手段をより頻繁に、より迅速に選択することができる。重度の熱傷から壊死組織を除去する際、外科医は、健康な組織の過剰な除去を最小限に抑えようとする。ＭＳＩは、さらに、術中に熱傷組織を分類して熱傷と健康な創傷床とを区別し、健康な組織の不必要な切除を防ぐことで外科的切除を支援する可能性を有している。
【０３５１】
ヒトの皮膚は、複数の発色団成分からなる多層組織であり、その中に血液、水、メラニン、および脂肪という４つの重要な成分が存在する。様々な皮膚層の血液、水、メラニン、および脂肪は、特定の波長の光、特に可視帯域および近赤外帯域の光照射に対して、確立されたスペクトル応答を示す。ＭＳＩを用いて複数の特徴的な入射波長に対する異なる組織の応答を捕捉し解析することにより、例えば、他の組織の間に存在する血液を、その固有のスペクトル応答によって特定することができる。入射光に対する組織応答は、その吸光度によって定量化される。ＭＳＩにより、特定の波長範囲にわたる吸光度データを収集することで、組織クラスのそれぞれに存在する組織成分の相対量に基づいて、異なる種類の組織を分類することができる。
【０３５２】
ＭＳＩは様々な種類の組織から、固有のスペクトルデータを捕捉することができるが、新しいスペクトル画像を解釈し、組織を正しく特定するためには、分類モデルを開発する必要がある。このモデルを開発する際には困難が生じるが、これは、後に分類に使用されるものと同種のデータから、機械学習と呼ばれるプロセスを通じて、構築されなければならないことによる。したがって、最初のモデルを構築する際、まず「トレーニング」データセットを収集し、「グラウンドトゥルース」として手動で分類する必要がある。グラウンドトゥルースを確立することは、どのような機械学習アプリケーションにおいても重要なステップであり、したがって、このようなアプリケーションの開発において、最も吟味される段階の１つである。正確な分類モデルを構築するには、極めて正確なグラウンドトゥルースが必要である。グラウンドトゥルースを確立する方法は、構成される分類モデルが何を評価するためのものであるかによって異なる。しかし、いずれの事例においても、必要な情報を収集するためには、現在のゴールドスタンダードを使用している臨床専門家によって、グラウンドトゥルースの確立がなされなければならない。熱傷の場合、組織分類のゴールドスタンダードは組織病理学的評価である。グラウンドトゥルースを確立するための、我々の技術の詳細を提示する。
【０３５３】
その後、トレーニングセットを使用して分類モデルを作成し、次いで、さらに収集したデータによって分類モデルの試験を行い、グラウンドトゥルースに対する精度を判定する。グラウンドトゥルーストレーニングデータセットから分類モデルを構築するための様々なアルゴリズムが開発されている。例えば、サポートベクターマシン（ＳＶＭ）アルゴリズムは、ハイパースペクトル撮像データ解析のためのカーネルベースの機械学習において、これまでに使用されている。
【０３５４】
結局のところ、グラウンドトゥルースを確立するには、トレーニングデータに対して手作業による境界設定がなされるため、結果として得られるモデルには分類誤差に起因する潜在的な偏りがある。例えば、健康な皮膚がトレーニングデータにおいて血液として不適切に分類された場合、結果として得られるモデルでは、健康な皮膚と血液とを正確に分類することが困難になる。トレーニングデータは分類モデルを構築するために使用されるサンプル空間であるため、そのような偏りを減らすことは、モデルの精度を改善するための鍵である。
【０３５５】
どのようなトレーニングセットによっても避けられない偏りのために、開発後の試験におけるモデルの精度は低くなる。分散を低減し、モデルの精度を向上させるためには、トレーニングデータセットの「外れ値」を特定して除去することが有用である。外れ値は、他の観測変数と統計的に異なる観測変数として定義される。外れ値検出（異常検出または特異点検出とも呼ばれる）は統計的パターン認識調査の重要な要素であり、クレジットカード詐欺、センサイベント、医療診断、およびネットワークセキュリティ等の分野で応用されている。外れ値検出には、確立された方法がいくつか存在する。一般に実施されている外れ値検出技術の１つは、モデルベースのアルゴリズムである。
【０３５６】
モデルベースのアルゴリズムでは、統計的検定により、サンプル分布のパラメータが推定される。例えば、ガウス分布は、平均と標準偏差という２つのパラメータによって記述される。これらのパラメータは、最尤推定または最大事後確率推定によって決定される。単変量ガウス分布において、外れ値とは、Ｚスコア（標準スコア）によって定量化されるモデルパラメータ内に含まれる確率が両極端である（高いまたは低い）点を言う。従来、確率が０．９５よりも大きい、あるいは０．０５よりも小さいサンプルは、単変量解析において外れ値とみなされる。
【０３５７】
モデルベースのアルゴリズムは、多くの場合に外れ値を正しく識別する。しかし、これらのモデルを定義するパラメータは、最初に計算される時点で、潜在的な外れ値の影響を受けることに注意しなければならない。すなわち、外れ値を特定して除去することが可能になる前に、サンプルセット全体を使用してパラメータが生成される。したがって、これらのアルゴリズムが分類モデルを生成する前に外れ値を特定して除去することによって、モデルの精度を高めることができる。この研究では、外れ値除去の概念を適用した、医療空間における機械学習アルゴリズムを提供する。ＭＳＩ撮像データはまず、確立されたブタの熱傷モデルから捕捉した。次いで、マルチスペクトル画像の評価を行い、熱傷の画像に存在する異なる組織を分類するために設計されたモデルの分類精度を定量的に改善するための統計的解決手段を提供した。
１．４．２  外れ値の検出および除去
【０３５８】
外れ値の検出および除去は、統計およびパターン認識の領域では重要な一領域であり、クレジットカード詐欺、興味深いセンサイベント、医療診断、ネットワークセキュリティ等の様々な分野で広く使用されている。外れ値の検出は、異常検出、特異点検出のような別名で呼ばれることもある。外れ値検出のほとんどが、モデルベースおよび近接度ベースで行われる。モデルベースのアルゴリズムでは、統計的検定を使用してサンプル分布のパラメータを推定することができ、サンプル分布は、例えば、中心極限定理（ＣＬＴ）に基づくガウス分布とみなすことができる。ガウス分布の場合、２つのパラメータは、平均値および標準偏差と考えることができる。これらのパラメータは、最尤推定または最大事後確率推定から得ることができる。モデルベースのアプローチにおいて、外れ値は発生確率の低い点であり、Ｚスコア（標準スコア）を計算することで推定できる。経験則として、確率の値が０．９５より大きい場合、または０．０５より小さい場合、そのようなサンプルは外れ値とみなされる。これは単変量解析に基づいている。多変量正規分布であれば、
【数１】
2019502418.tif 000008
となり、ここでμはすべての点の平均値、Σは平均からの共分散行列である。点ｘからμまでのマハラノビス距離を計算することができる。マハラノビス距離は、自由度ｄのχ２分布に従う（ｄはデータの次元である）。最後に、すべての点ｘに関して、マハラノビス距離がχ２（０．９７５）より大きければ、この点は外れ値であるとみなされる。統計的試験の考え方はほとんどの場合に有効であるが、しかしながら、パラメータプロセスを推定する際に、パラメータは潜在的な外れ値の影響を受けやすい。同時に、次元が高い場合、マハラノビスの距離は、自由度が大きいほど類似する。深さベースのアプローチでは、データ空間の境界において外れ値の探索がなされ、偏差ベースのアプローチでは、外れ値を除去することで分散が最小化される。
【０３５９】
近接度ベースの外れ値検出では、最近傍の考え方を用いて包含または除外の近似を生成することができる。まず、距離の概念が重要である。Ｎ個のサンプルとＭ個の変数がある場合、行列のサイズはＮ×Ｍであり、例えばユークリッド距離を使用することによって、サンプル空間における距離を
【数２】
2019502418.tif 000009
で定義される距離として計算することができる。クラスタリング法は、この距離の概念を採用する一般的な方法である。クラスタリングアルゴリズムでは、中心（重心）が特定されている任意の点群について、半径ωを定義することができる。新たな点がこの半径以下の距離にあれば、適切な点であるとみなされ、この新しいデータ点を含むように重心が更新される。Ｋ最近傍アルゴリズムの場合、その点からｋ個の最近傍点までの距離の合計である。しかし、データセットの次元が高い場合、この方法は「次元の呪い」のために機能しないかもしれない。
【０３６０】
中心傾向の別の定義に基づく方法は、他にも存在する。例えば、局所外れ値因子（ＬＯＦ）は密度に基づくものである。密度は、点のクラスタから推定できる。特定のクラスタまたは点群の密度が隣接するものよりも低い場合、このクラスタに含まれる点は外れ値の可能性がある。ここでも、データセットが高次元データであれば、これらのアルゴリズムは機能しないかもしれない。高次元のデータセットを扱うために、角度ベースの外れ値検出（ＡＢＯＤ）およびグリッドベースの部分空間外れ値検出が提案されている。
２．  手法
２．１  ハードウェアおよび撮像および動物モデル
【０３６１】
マルチスペクトル画像データは、自製ベンチトップ撮像構成を用いて取得した。図１に、この画像取得システムの概要を示す。照射源および画像捕捉モジュールはいずれも、ターゲットの表面から６０ｃｍの距離に、反射モードで配置した。タングステン光（ＶｉＰ  Ｐｒｏ−ｌｉｇｈｔ、Ｌｏｗｅｌ  Ｉｎｃ．）は、ＤＣモードでターゲット表面上に広域スペクトルを投影した。タングステン光の正面に擦りガラス（ｉＰ−５０、Ｌｏｗｅｌ  Ｉｎｃ．）を１枚取り付け、光を拡散させて空間照射の均一性を高めた。入射光のいくらかはターゲット表面を透過したが、一方で画像捕捉モジュールによって、後方散乱光信号を収集した。画像捕捉モジュールは、高性能ＩＲ強化光学レンズ（型式：Ｄｉｓｔａｇｏｎ  Ｔ  ＊  Ｆ−２．８／２５ｍｍ、Ｚｅｉｓｓ）、８スロットフィルターホイール、および１２ビットモノクロームカメラ（ＢＭ−１４１ＧＥ、  ＪＡＩ  Ｉｎｃ．）から構成されていた。光学バンドパスフィルターは、カメラのために、光から単一の波長を分離するように設計され、選択された。以下の８枚のバンドパスフィルターを、フィルターホイールに取り付けた。８枚のフィルターの中心波長（ＣＷＬ）および半値全幅（ＦＷＨＭ）は、４２０−２０、５４２−１０、５８１−２０、６０１−１３、７２６−４１、８００−１０、８６０−２０、および９７２−１０であった（ＣＷＬ−ＦＷＨＭ、いずれもｎｍ）。反射率ゼニスライトパネル（ＳｐｈｅｒｅＯｐｔｉｃｓ  ＧｍｂＨ）を用いて波長強度を正規化した。画素の最大値は４０９８（１２ビット）であった。実装された８つの波長は、各波長における既知の皮膚組織吸収挙動に基づいて、組織を正確に識別して有用な分類が行えるように選択された。フィルターホイールが回転する際、カメラは８枚のフィルターのそれぞれを通して、単一波長の画像を連続的に捕捉した。画像は、非圧縮形式でコンピュータに保存された。計算および統計はすべて、ＭＡＴＬＡＢ（登録商標）ソフトウェア（バージョン２０１４ｂ）を用いて実行した。
【０３６２】
図４３Ａ−４３Ｃは、ハードウェアシステム構成の一例を示す（図４３Ａ）。マルチスペクトル画像データは、自製ベンチトップ撮像構成を用いて取得した。図４３Ａに、この画像取得システムの概要を示す。図４３Ａ−４３Ｃの例ではタングステン光を用いたが、他の実施形態における光源は、任意の広域スペクトル照射源またはデータ解析に必要な所望の波長の光に一致する任意の照射源とすることができる。
【０３６３】
上記システムを使用し、動物実験委員会（ＩＡＣＵＣ）のもとで設計された熱傷モデル科学研究プロトコルに従って、動物のデータを収集した。ヒトの皮膚（表皮の厚さ：５０〜１２０μｍ）に近いものとするため、動物モデルとしては、雄性ハンフォードブタ（表皮の厚さ：３０〜４０μｍ）を選択した。
【０３６４】
ブタの背中に円形の熱傷（直径＝３．６ｃｍ）を作製した（図４３Ｂ、４３Ｃ）。この段階では、３種類の皮膚組織、すなわち健康、熱傷、および充血（受傷後の血液灌流の増加による皮膚の発赤）が視覚化された。壊死組織除去は、深さ１ｍｍの接線方向の切除により連続した切除層が得られるように実施され、それぞれの熱傷において、壊死組織除去を行う領域は６ｃｍ×６ｃｍであった（図４３Ｂ）。壊死組織除去中、６つの異なる皮膚組織、すなわち健康、中間層熱傷または全層熱傷（熱傷の重症度による）、血液、創傷床、および充血が認められた。接線方向に切除された層はそれぞれ、１０％中性緩衝ホルマリン中に保存し、組織病理学検査に送った。各サンプルを薄片化し、ヘマトキシリンおよびエオシン（Ｈ＆Ｅ）で染色した。組織学的検査の目的は、上記した種類の組織を識別する「ゴールドスタンダード」を得て、マルチスペクトル画像におけるそれらの位置を知ることであった。熱傷の損傷の深さ、および生きた組織に到達した切除層が正確にどれであるかを、病理学者２名が判定した。
【０３６５】
それぞれ６箇所に熱傷を有する３頭のブタを使用した。熱傷の箇所それぞれについて、８つの波長すべてを用いて、少なくとも５つの異なる時点において画像を取得した。すなわち、受傷前のベースライン画像、熱傷直後の画像、デルマトームによる最初の１ｍｍの接線方向の切除後の画像、およびさらに２回の接線方向の切除後の画像である。
２．２  トレーニングデータの収集および分類アルゴリズム
【０３６６】
分類モデルを生成するために教師あり学習法を実施した。６つの皮膚組織分類からなるトレーニングデータベースを構築するために、組織学的データを参照として使用して、取得した画像ごとに画素強度および６種類の組織それぞれの位置を抽出した。接線方向に切除された皮膚の各切片を、確立されたプロトコルに従って、認定病理学者によって決定された熱傷深さを示すように区分した（図４４）。また、健康、中間層熱傷、完全な熱傷、血液、創傷床、および充血の領域を示すための描画ツールを開発した。病理学者は、Ｈ＆Ｅ染色からこれらの領域を決定するために、以下のパラメータを使用した。焼痂は、最大の損傷を受けた全層熱傷である。コラーゲンおよび他の組織成分の凝固による不可逆的な組織喪失が存在する。組織学的に、この領域は、細胞全体の喪失を特徴とする。中間層熱傷では組織における灌流が低減し、血管閉塞の所見がある。コラーゲンは全般的にその構造的完全性を保持している。しかしながら、核濃縮を伴う細胞壊死の形跡が見られる。この組織区分は、回復の見込みがあると考えられる。健康な創傷床は、熱傷よりも深部に存在し、本質的に正常な組織学的所見の見られる場所として画定される。これらの領域は、先に取得されたスペクトル撮像データと関連付けられ、それによって、我々の分類アルゴリズムを判定するグラウンドトゥルースが確立される。
【０３６７】
サポートベクターマシン（ＳＶＭ）アルゴリズムとｋ最近傍（ＫＮＮ）分類アルゴリズム（図４９（Ａ２）および図４９（Ｂ２）参照）では、良好な結果を得られなかった。健康な状態であるＡ１の出力には健康な皮膚組織が存在するはずであったが、出力に創傷床が存在する等、他の組織の存在が観察された。熱傷の場合、生理学から、熱傷の周囲には充血が存在すべきであることがわかっていた。さらに、健康な皮膚は、出力において全層熱傷として分類されるべきではなかった（図４９（Ｂ２））。１０分割交差検証によるモデルの精度は６３％であり、これは期待した必要精度よりもはるかに低かった。この２つの結果から、検出を正当化し、小さなデータベースから外れ値を除去することができる。
２．３  外れ値の検出
【０３６８】
外れ値がモデルに及ぼす影響を低減するために、上述した確立された最尤推定を基に、２つの新規概念を利用した外れ値検出アルゴリズムを開発した。まず、サンプル空間の中央付近に位置するサンプルのサブセットを部分空間として取り出し、最尤推定を用いてモデルの平均値および標準偏差パラメータを計算した。この部分空間を「第１のウィンドウ」と呼び、新規な係数α１およびα２（０〜０．５、無名数）によってそのサイズを調整した。これらの係数は、当該サンプル空間の中央から左右それぞれの距離として定義される（したがって、第１のウィンドウの幅はα１＋α２に等しい）。サンプル空間全体の幅が１となるよう正規化すると、α１＝α２＝０．５の設定において、サンプル全体が第１のウィンドウとして選択されることになる。これらの係数を適切に調整することによって、分類モデルの分布パラメータ［ガウス分布における平均（μ）および標準偏差（σ）］を計算する前に外れ値を除去することができる。次に、第１のウィンドウ内の外れ値を検出するための閾値を生成するために、（Ｚスコアまたは他の分布関数による）確率を新しい特徴の重要度（ｗｉ）で重み付け（Ｗｉ）した。これらのステップの技術的詳細は以下の通りである。
【０３６９】
我々は、動物モデルから収集したスペクトルデータからなる大きなサンプル空間から始めた。アルゴリズムの基礎は、確立された最尤推定技術からなる。独立同分布のサンプルであれば、結合密度関数は
【数３】
2019502418.tif 000010
となる。
【０３７０】
ｘ１；ｘ２；ｘ３；．．．；ｘｎはサンプル、θはモデルのパラメータである。関数の尤度は
【数４】
2019502418.tif 000011
となる。
【０３７１】
実際に、対数尤度として知られる尤度関数の対数は、以下のように適用することができる。
【数５】
2019502418.tif 000012
【０３７２】
θ０を推定するには、次の方程式を最大にするθの値を計算する。
【数６】
2019502418.tif 000013
【０３７３】
最尤推定の方法により、パラメータθ０を計算することができる。サンプルの分布がガウス分布であれば、最尤推定パラメータを表す数学的方程式は
【数７】
2019502418.tif 000014
【数８】
2019502418.tif 000015
となり、ここでｘｉは中央付近のサンプルの値である。外れ値を検出して除去するための、我々の第１の新規な方法では、以下のように係数αｉによってこれらのパラメータを制御する必要がある。
【数９】
2019502418.tif 000016
【０３７４】
ここで、外れ値を検出して除去するための、第２の新規な方法を適用する。外れ値を検出する際に、確率を置き換える重みを指定する。まず、確率（ｐｉ）および特徴の重要度（ｗｉ）を決定する。確率ｐｉは、サンプル分布関数の分布パラメータを用いて計算することができる。例えば、ガウス分布であれば、ｐｉは標準Ｚスコアから生成され、Ｚスコアは
【数１０】
2019502418.tif 000017
として計算される。
【数１１】
2019502418.tif 000018
ここでμはサンプルの平均値であり、σはサンプルの標準偏差である。Ｚスコアから、ｐｉが以下のように決まる。
【数１２】
2019502418.tif 000019
【０３７５】
我々の外れ値検出アルゴリズムについては、下記に従って確率値ｐｉの調整を行った。
【数１３】
2019502418.tif 000020
【０３７６】
特徴の重要度ｗｉは、所望のアプリケーション２０、２１に依存して変わる可能性があり、任意のモデルの精度を改善するために調整することができる。我々の場合、特徴の重要度は、異なる組織クラスをそれぞれ区別するためにＭＳＩ装置に実装された８つの波長それぞれの相対的有用性によって決定した。機械学習の領域では、判別情報の多い波長ほど、高い重み値が付与された。
【０３７７】
上記のステップにおいて確率ｐｉおよび特徴の重要度ｗｉが計算されると、サンプルの重み（Ｗｉ）は次のように計算される。
【数１４】
2019502418.tif 000021
【０３７８】
最後に、データの「第２のウィンドウ」を生成するために、閾値の重み（Ｗｔｈｒｅｓｈｏｌｄ）が割り当てられる。与えられたサンプルのＷｉがＷｔｈｒｅｓｈｏｌｄより大きければ、このサンプルはトレーニングセット（第２のウィンドウ）に割り当てられる。さもなければ、このサンプル点は外れ値とみなされ、トレーニングセットから除去される。
【０３７９】
アルゴリズムの係数（α１，α２，ｗｉ、およびＷｔｈｒｅｓｈｏｌｄ）として有効な値を見出すために、実験を繰り返した。
３．  結果
３．１  外れ値の検出
【０３８０】
データを分類して外れ値を除去するためのアルゴリズムの実行に先立ち、フィルタリングされていないスペクトル撮像データをＳＶＭアルゴリズムおよびｋ最近傍（ＫＮＮ）分類アルゴリズムによって解析し、複数の熱傷分類モデルのトレーニングを行った。トレーニング後、これらのモデルに分類すべき試験データを与えた際、分類の平均精度は、グラウンドトゥルースに対して全体として６３％であった。熱傷モデルにおいてこのベースライン精度を確立した後、同じ分類アルゴリズムのトレーニングを行う前に、スペクトル撮像データセットに対してデータ分類外れ値除去アルゴリズムを適用した。
【０３８１】
実験を通じて、アルゴリズムの係数の実効値は、α１＝α２＝０．２、ｗ１＝ｗ２＝．．．＝ｗ８＝１、Ｗｔｈｒｅｓｈｏｌｄ＝７であることがわかった。これらのパラメータを割り当てた後、「第１のウィンドウ」の平均値および標準偏差のパラメータを、ＭＳＩに実装された８つの波長それぞれについて計算した。
【０３８２】
外れ値を検出して除去した後のデータ分類アルゴリズムの結果を、図４８Ａおよび図４８Ｂに示す。２次元特徴空間における６つのクラスを、図４８Ａでは外れ値を含めて示し、図４８Ｂでは外れ値を除去して示している。説明のために、サンプル空間（赤色）は２次元で示し、実装した８つの波長のうち２つのみを表示している。外れ値の検出および除去の後、熱傷分類モデルのトレーニングに使用される部分空間である第２のウィンドウ（青色）は、より均質かつ緊密なクラスタとなっており、理論的に、結果として得られるモデルは精度の高いものとなる。
【０３８３】
データ分類と外れ値検出を行うアルゴリズムの結果を８つのＭＳＩ波長すべてにわたって視覚化するために、外れ値を検出して除去する前と後の、組織分類のそれぞれにおいてすべての波長で収集したサンプルを表す箱ひげ図を描いた。最初のサンプル空間（図４６Ａ−４６Ｆおよび図４７Ａ、図４７Ｂ）では、組織分類はいずれも、特に血液は、相当数の外れ値を含んでいた。外れ値の検出および除去を行うと、部分空間内に残存する外れ値の数は、図４７Ｂに示すように大幅に減少した。
【０３８４】
６つの組織分類すべてのスペクトルデータを同時に表示した代表的な２次元サンプル空間を、図４８Ａおよび図４８Ｂに示す。図４７Ａおよび図４７Ｂの箱ひげ図のデータは、組織分類ごとに、８つの波長すべてについて、外れ値の検出および除去前（ａ）および後（ｂ）のサンプル空間を示している。箱は四分位範囲を表している。赤い＋の記号は、データの外れ値との境界を示す。外れ値の検出後、サンプル空間に残存する外れ値の数は、いずれの組織クラスにおいても有意に減少したが、とりわけ血液のクラスの減少が顕著であった。血液は明らかな例外であるとしても、様々な組織クラスのプロットは、概してクラスタ状であった。しかし、クラスタ間にはかなりの重複が認められた。外れ値の検出および除去を行うアルゴリズムを適用すると、組織クラス間の分離が、明らかに改善された。外れ値を除去した後、同じ分類アルゴリズム（ＳＶＭ、ＫＮＮ等）を使用して、新たな熱傷分類モデルを生成した。全体としての平均モデル精度は、６３％から７６％へと改善された。
【０３８５】
外れ値検出のプロセスを示した後の統計的な効果を、各バンドの箱ひげ図によって、図４６Ａ−４６Ｆならびに図４７Ａおよび図４７Ｂに示す。さらに、提案したアルゴリズムの効果を示すために、最も重要な２つの波長を使用して、２次元特徴空間を構築した。可視および近赤外バンドにおける血液の性質のため、サンプル空間全体に青色が広がる。我々のアルゴリズムの使用により、血液のクラスの収束が見られることは明らかである。赤色の健康のクラスについても、同じ説明が適用される。
３．２  動物モデルの結果
【０３８６】
図４９に、モデル分類精度の改善を示す。外れ値を除去する前の分類モデルは、健康な皮膚と、生理学的に熱傷を取り囲んでいる充血部とを正確に区別して検出することができなかった。このモデルでは、実際には健康な皮膚の存在する場所が、別のいくつかの組織クラスであると予測された。熱傷の周囲の充血部は、血液の存在として予測された。さらに、充血ゾーンの外側の健康な皮膚は、誤って全層熱傷として分類された。しかし、外れ値を除去した後のモデルは、対照の画像および熱傷の画像のいずれにおいても、健康な皮膚と、熱傷の周囲の充血部とを正確に分類した。
４．  結論
【０３８７】
この実験には、強調に価する点がいくつか存在する。まず、アルゴリズムの係数に割り当てられた値（α１、再帰的処理におけるアプローチ）である。これらの値は、本稿で提示する特定のＭＳＩアプリケーションにおいて効果的に精度を高めたことにより選択された。しかし、他のアプリケーションにおいては、望ましい結果を得るためにこれらの値を調整する必要があるだろう。
【０３８８】
興味深いことに、最適な特徴の重要度（ｗｉ）は、波長ごとに最適な値を特定するための実験を行った後に、全波長について１という値に設定された。特徴の重要度（ｗｉ）として、最終的にいずれも１が割り当てられたということは、ＭＳＩ装置に採用された８つの波長それぞれが、互いから独立して特有の分光情報を提供するよう選択されたという事実を反映している。この結果は、波長の選択が、先に記載した皮膚組織と熱傷組織の光学特性に従ってなされたのであれば、驚くには値しない。
【０３８９】
正確に分類することが最も困難な組織は血液であった。図４７Ａおよび図４７Ｂならびに図４８Ａおよび図４８Ｂに示されているように、血液として収集されたサンプル空間が不均一であることから、明らかである。血液を特徴付けるスペクトルデータの二峰性分布は、可視光バンドおよび近赤外光バンドにおける血液固有の吸光スペクトルの結果であり、これもまた二峰性である。他の組織クラスはそれぞれ単一の吸光度ピークを有し、スペクトルデータの分布は多少均質度の高いものとなる。
【０３９０】
最終的に、外れ値を検出して除去するアルゴリズムは、皮膚組織を分類するためのＭＳＩアプリケーションの精度を大幅に改善した。このアルゴリズムにより、各組織クラスのサンプル空間における分散を減少させることができた。このようにして分散を抑制することにより、それに対応してスペクトル特性の重なりが低減された。重なりが減少すると、分類モデルのトレーニングが改善され、分類精度の明らかな向上が認められた。最終精度７６％を達成したことで、少なくとも、熱傷組織の分類における現在の臨床基準（熱傷専門家による臨床判断）を満たすようにモデルを改善できたと言える。このモデルは、熱傷の専門家を容易には得られない環境において、熱傷の被災者を処置する医師の意思決定を支援する可能性を有している。
切断に関する例示的実施形態の概要
【０３９１】
上記したような、治癒の可能性を決定するための十分に正確な計測／試験および身体の創傷治癒能力に影響を与えることが知られている複数の因子の欠如は、評価の改善には診断に対する多変量法が必要であることを意味している。Ｓｐｅｃｔｒａｌ  ＭＤは、この問題に対処するための独特の位置にある。というのは、我々の装置は、組織の病理学的プロセスを分類するために、独立した複数の変数として情報を扱うよう設計されているからである。Ｓｐｅｃｔｒａｌ  ＭＤの撮像装置は、機械学習アルゴリズムを使用して、２つの光学撮像技術、すなわちフォトプレチスモグラフィ撮像（ＰＰＧ撮像）とマルチスペクトル撮像（ＭＳＩ）とを組み合わせることにより、糖尿病コントロールや喫煙等の患者の健康指標を用いて予後情報を生成する（図５０）。
【０３９２】
図５０に、本明細書の開示に従って患者の健康指標と組み合わせることで、予後情報を生成することのできる２つの光学撮像技術、すなわちフォトプレチスモグラフィ撮像（ＰＰＧ撮像）およびマルチスペクトル撮像（ＭＳＩ）を高度に概略化して示す。この装置をＤｅｅｐＶｉｅｗ（Ｇｅｎ２）と呼ぶ。ＤｅｅｐＶｉｅｗ（Ｇｅｎ２）は、血行障害性疾患の患者において適切なＬＯＡを選択するために必要な高感度および高特異性を保持するものとして期待されている。これら２つの光学撮像法は、動脈灌流および組織の酸素化を含む重要な組織特性を推定するように設計されている。これらの２つの尺度は、ＬＯＡの選択にとって重要な鍵となるが、これは、血行障害性疾患を有する患者における創傷治癒が、動脈潅流の深刻な欠如に起因する組織の酸素化の低下によって妨げられることによる（Ｎｏｒｇｒｅｎ，Ｈｉａｔｔ，Ｄｏｒｍａｎｄｙ，Ｎｅｈｌｅｒ，Ｈａｒｒｉｓ，＆  Ｆｏｗｋｅｓ，ＴＡＳＣ  ＩＩ  Ｗｏｒｋｉｎｇ  Ｇｒｏｕｐ．  Ｉｎｔｅｒ−Ｓｏｃｉｅｔｙ  Ｃｏｎｓｅｎｓｕｓ  ｆｏｒ  ｔｈｅ  Ｍａｎａｇｅｍｅｎｔ  ｏｆ  Ｐｅｒｉｐｈｅｒａｌ  Ａｒｔｅｒｉａｌ  Ｄｉｓｅａｓｅ（ＴＡＳＣ  ＩＩ），２００７）（Ｍｏｈｌｅｒ  ＩＩＩ，Ｓｃｒｅｅｎｉｎｇ  ｆｏｒ  Ｐｅｒｉｐｈｅｒａｌ  Ａｒｔｅｒｙ  Ｄｉｓｅａｓｅ，２０１２）。我々の方法を使用すれば、脚の広範囲にわたる組織レベルの灌流を同時に評価して、下肢の低灌流領域を特定することができる。これは、患者の病歴および診察と血管調査（患者の微小循環の詳細な評価を含むことはまれである）との組み合わせに基づいて観察者が適切なＬＯＡを評価しなければならない臨床判断のみに頼った当て推量とは対照的である。一方、ＤｅｅｐＶｉｅｗ（Ｇｅｎ２）は、創傷治癒の可能性に関して全身的影響を及ぼすような、患者の健康指標の評価も行う。組織の微小循環の局所評価と創傷治癒に影響を与える全身的要因の総合評価とを組み合わせることにより、ＤｅｅｐＶｉｅｗ（Ｇｅｎ２）は、単一の変数ではなく、創傷治癒に影響を与える複数の要因について説明するものである。
【０３９３】
ＤｅｅｐＶｉｅｗ（Ｇｅｎ２）システムでは、適切な予測解析のための多変量システムを調査することを目的として、機械学習と呼ばれる統計学的訓練規律を利用している。このアプローチは、創傷治癒に影響を及ぼす全身的要因（糖尿病、喫煙状況、年齢、栄養状態等）に、現在の技術では微小循環において容易に観察することができない局所的微小循環評価から得られるデータを組み込むことによって、患者の一次創傷治癒の全体的な可能性についての重要な情報を提供するものと考えられる。局所的要因および全身的要因はいずれも最終的な治癒の可能性に影響するため、これらの要因すべてを併せて考慮することによって、ＤｅｅｐＶｉｅｗ（Ｇｅｎ２）システムの精度が向上する。
【０３９４】
我々の装置は、研究レベルでは、切断後の一次創傷治癒の可能性予測において、少なくとも９５％の感度および９５％の特異性を有するであろう（第Ｉ相の実現可能性試験および第ＩＩ相の達成基準参照）。この感度および特異性で切断前の患者の日常的評価に使用されれば、ＤｅｅｐＶｉｅｗ（Ｇｅｎ２）は再切断率を６７％低下させることが期待される。これにより、年間の再切断数を１００００回減らすことができ、切断を受けた患者の生活の質が改善され、切断を受けた患者のケアに関する医療経費が削減される。現在、切断前のＡＢＩ検査に関して、メディケア（Ｍｅｄｉｃａｒｅ：高齢者向け医療保険制度）は患者１人当たり約１５０ドルの医療費を負担しているが、費用の大部分は検査を実施する技術者の時間および検査結果を解釈する医師の時間によるものである（Ｃｒｉｑｕｉ，ｅｔ  ａｌ．，２００８）。提案する装置は、現行の血管評価と同等の費用で賄えると予想されるため、ＬＯＡ評価の現在の費用に影響を与えることはない。現行のＬＯＡ試験とは異なり、我々の撮像システムは消耗品を必要としない。日常的な洗浄および点検の費用は、現在市販されているシステムの費用と同等である。費用については、「商業化計画」において詳述する。
【０３９５】
Ｓｐｅｃｔｒａｌ  ＭＤのＤｅｅｐＶｉｅｗ（Ｇｅｎ２）撮像技術は、我々の知る限り、フォトプレチスモグラフィ撮像（ＰＰＧ撮像）とマルチスペクトル撮像（ＭＳＩ）の光学撮像技術を融合させて設計された最初のシステムである。図５１に、２つの光学撮像技術、すなわちフォトプレチスモグラフィ撮像（ＰＰＧ撮像）およびマルチスペクトル撮像（ＭＳＩ）を融合させて設計された装置（ＤｅｅｐＶｉｅｗ）の例を示す。さらに、これは、我々の知る限り、患者の重要な健康指標をその評価アルゴリズムに組み込むことのできる最初の撮像技術である。このシステムの開発以前、Ｓｐｅｃｔｒａｌ  ＭＤは、プレチスモグラフィ波形の２次元画像を提供する、米国での販売に関してＦＤＡの認可を受けた最初の企業であった（第１世代（Ｇｅｎ１）技術））。第２世代（Ｇｅｎ２）の技術では、血流評価（すなわち、動脈パルス振幅）と組織の特徴付け（すなわち、スペクトル分析）とを組み合わせることができる。組織からこれらの測定値を同時に取得できれば、いずれかの測定値単独の場合と比べて、組織をより正確に評価することができる（下記の「予備的研究」を参照のこと）。
【０３９６】
特定のＬＯＡにおける治癒の可能性を判定するための研究から、切断が成功する部位と失敗する部位とでは、組織の酸素レベルに顕著な差があることがわかっている。これらの研究では、経皮酸素化測定（ＴＣＯＭ）を使用して、組織の酸素化についての調査が行われた。しかしながら、ＴＣＯＭは、数十年にわたって利用可能であったにもかかわらず臨床評価を超えるものとはなっていない。また、大規模な臨床試験でも、特定のＬＯＡにおいて切断の成功の予兆となる組織の酸素化に関する明確なカットオフ値は得られていない。専門家の評価によれば、ＴＣＯＭが臨床診療に採用されていないことには、いくつかの理由がある。何よりもまず、ＴＣＯＭでは、データは非常に小さな関心領域から収集される。また、ＴＣＯＭでは患者の皮膚を熱することが必要となり、これは、特に血行障害性疾患の患者において、時として皮膚の熱傷につながる。さらに、ＴＣＯＭの結果は、周囲温度の変動や局所的な組織浮腫の影響を受けるため、装置の経時的整合性が制限される。
【０３９７】
ＤｅｅｐＶｉｅｗ（Ｇｅｎ２）は、ＴＣＯＭや利用可能な他の装置の様々な制限を克服することで、選択されたＬＯＡにおける治癒の可能性を予知できるように設計されている。この装置は組織表面の広い領域のデータを捕捉するため、単独の領域ではなく表面全体にわたって組織の酸素化および灌流のばらつきに関する特徴付けおよびマッピングを行うことが可能となる。ＤｅｅｐＶｉｅｗ（Ｇｅｎ２）は、非侵襲かつ非接触であり、有害な放射線を放出することもないため、患者に害をなす重大なリスクを伴わない。この装置は、周囲温度が多少変動しても、その影響を受けない。しかしながら、最も重要であるのは、ＤｅｅｐＶｉｅｗ（Ｇｅｎ２）が、臨床的に重要な患者の健康指標（糖尿病の病歴、感染症の存在、喫煙状況、栄養状態等）を解析し、創傷治癒の可能性の包括的な評価をエンドユーザに提供することである。以前の技術では、局所的な組織の酸素化を評価することしかできなかった。
アプローチ
【０３９８】
提案する撮像装置の態様には、ＬＯＡの最適な選択を含む組織分類の様々な用途のための非侵襲的光学撮像が包含される。Ｓｐｅｃｔｒａｌ  ＭＤのＤｅｅｐＶｉｅｗ（Ｇｅｎ２）撮像システムは、組織灌流の測定および患者の健康指標に基づく診断画像を提供するポイントオブケア（ＰＯＣ）灌流撮像システムである。看護スタッフが撮像検査を行うためのトレーニングは、容易である。手足の撮像に要する時間は約１０分間であり、結果は、医師が検討できるように電子的に保存される。患者側から見れば、この検査には有害な副作用がなく、皮膚への接触がなく、不快感も生じないため、非常に受け入れやすい。
【０３９９】
この提案において研究すべき重要な革新的事項は、切断計画における創傷の治癒可能性についての診断精度を向上させるために、微小循環評価に患者の健康指標を追加することである。次のセクションで、ＤｅｅｐＶｉｅｗの各要素の個々の値を提示し、これら複数の変数をどのように組み合わせることで創傷の治癒可能性についての１つの予測を得ることができるか、簡単な考察を述べて締めくくることとする。
【０４００】
上述の通り、ＤｅｅｐＶｉｅｗ（Ｇｅｎ２）装置は、血流評価の２つの光学撮像法を同時に実行する。２つの撮像法のうち１つ目のＰＰＧ撮像は、心拍数、呼吸数、およびＳｐＯ２等のバイタルサインを捕捉するためのパルスオキシメトリで使用されている技術と同一であるが、ＤｅｅｐＶｉｅｗ（Ｇｅｎ２）は、組織の広い範囲にわたって１００万に及ぶ固有のＰＰＧ信号を捕捉することから、より進んだ技術であると言える（Ｓｅｖｅｒｉｎｇｈａｕｓ＆Ｈｏｎｄａ，１９８７）。ＰＰＧ信号は、光と血管組織における動的変化との相互作用の測定によって生成される。血管組織は、心拍周期の収縮期血圧波に合わせてその容積が約１〜２％の膨張および収縮を繰り返す（Ｗｅｂｓｔｅｒ，１９９７）。この血液の流入は、組織の容積を増し、光を強く吸収するヘモグロビンタンパクをさらに運び入れる。そのため、この組織における光の総吸収度は、心拍に合わせて規則的に変動する。この情報は、パルスオキシメータによって報告される生命信号に翻訳されうる。
【０４０１】
プレチスモグラムから画像を生成するために、組織を通る光路を利用する（Ｔｈａｔｃｈｅｒ，Ｐｌａｎｔ，Ｋｉｎｇ，Ｂｌｏｃｋ，Ｆａｎ，＆ｉＭａｉｏ，２０１４）。組織の表面に入射する光の一部は、組織内で散乱する。この散乱光の一部は、最初に入射したときと同じ表面を通って組織から出る（Ｈｕ，Ｐｅｒｉｓ，Ｅｃｈｉａｄｉｓ，Ｚｈｅｎｇ，＆  Ｓｈｉ，２００９）。高感度のデジタルカメラを用いて、組織のある領域におけるこの後方散乱光の収集を行うが、その際、撮像装置の各画素が、散乱光の強度の変化によって決まる固有のＰＰＧ波形を含むようにする。相対的な組織血流２次元ビジュアルマップを生成するために、固有の波形それぞれの振幅を測定する。精度を向上させるために、多くの拍動サンプルの平均振幅を測定する。
【０４０２】
ＤｅｅｐＶｉｅｗ（Ｇｅｎ２）が行う２つ目の光学的測定はＭＳＩである。この技術は、可視光と近赤外（ＮＩＲ）光（４００〜１００ｎｍ）の選択波長に関して、組織の表面からの反射率を測定するものである。物質のスペクトルによる特性評価は、主として地質探査や軍事標的の検出のためのリモートセンシング（例えば、衛星や飛行中の撮像）に使用されているが、この技術は、医療用途に進出しつつある（Ｌｉ，Ｈｅ，Ｗａｎｇ，Ｌｉｕ，Ｘｕ，＆  Ｇｕｏ，２０１３）。この方法は、ＰＡＤを含む多くの病態に関連する重要な皮膚特性の定量化に有効である。ＬＯＡの選択に関して、ＭＳＩは、ヘモグロビンの容積分率および酸素化されたヘモグロビンの存在を定量化することができる（Ｊｏｌｉｖｏｔ，Ｂｅｎｅｚｅｔｈ，＆  Ｍａｒｚａｎｉ，２０１３）（Ｚｏｎｉｏｓ，Ｂｙｋｏｗｓｋｉ，＆  Ｋｏｌｌｉａｓ，２００１）。この技術の他の用途については、後の「予備的研究」において記載する。
【０４０３】
ＤｅｅｐＶｉｅｗ（Ｇｅｎ２）のＭＳＩで使用する光の波長は、光と組織との相互作用の確立された特徴付けに基づいて選択される。角質層および表皮に存在するメラニンは、主として紫外波長および可視波長を吸収する。近赤外光波長（７００〜５０００ｎｍ）は、メラニンにほとんど吸収されず真皮を貫通するため、真皮の深さの測定には最良であることがわかっている。ヘモグロビンは、真皮を通る血管内に多く含まれ、その濃度によって、３２０ｎｍを超える波長が真皮に吸収される度合いが決まる。ヘモグロビンによる光の吸収は、分子が酸素化されているか否かによっても変化する。組織におけるメラニンおよびヘモグロビンの濃度ならびに酸素化されたヘモグロビンの割合が疾患状態の間に変化すると、ＭＳＩは結果として生じる反射スペクトルの変化を検出することができる。したがって、異常な皮膚組織は、その反射スペクトルの変化を健康な組織と比較することによって特定することができる。ＭＳＩは、より新しいハイパースペクトル撮像装置と比較すると、組織を特徴付けるための固有の波長数は少ないが、空間分解能、スペクトル範囲、画像取得速度、およびコストの組み合わせを総合的に考慮すると、より優れている（Ｌｕ＆Ｆｅｉ，２０１４）。
【０４０４】
ＤｅｅｐＶｉｅｗ（Ｇｅｎ２）が利用するデータの第３の要素は、日常的な患者の評価において収集された、関連する患者の健康指標である。創傷治癒に影響を及ぼす様々な因子が特定され、詳細に記載されている。通常、これらの因子（患者の年齢、糖尿病の診断、喫煙歴、感染症、肥満、投薬、栄養状態を含む）の多くまたはすべてが、血行障害性疾患により下肢切断を受ける患者に影響を与える。臨床医は現在、見込みのあるＬＯＡを評価する際に、これらの変数をゲシュタルト的に考慮するが、ＤｅｅｐＶｉｅｗ（Ｇｅｎ２）は、これらの指標を定量的に評価することにより、所定のＬＯＡにおける一次創傷治癒の可能性を予測することができる。患者の健康指標と光学撮像データとの統合は、ＤｅｅｐＶｉｅｗ装置の機械学習アルゴリズムによって実行される。医師は、撮像に際して、関連する患者の健康指標を装置に入力するだけでよい。このデータは、ＰＰＧ撮像およびＭＳＩによって収集された光学データと同様に、機械学習アルゴリズムには追加の変数として扱われる。機械学習アルゴリズムは、トレーニングにより、ＤｅｅｐＶｉｅｗ（Ｇｅｎ２）によって収集されたすべてのデータを評価した後、定量的な出力を生成する。定量的出力は翻訳されて、走査された組織表面の複数の領域が切断後に治癒する可能性の高い領域であるか低い領域であるかを特定できる画像となる。
【０４０５】
ＤｅｅｐＶｉｅｗ（Ｇｅｎ２）の装置は、ＤｅｅｐＶｉｅｗ（Ｇｅｎ１）のＰＰＧ撮像装置と、ＭＳＩカメラと、患者の客観的健康指標の入力とを組み合わせたものである（図５２）。図５２に、ＤｅｅｐＶｉｅｗ（Ｇｅｎ１）ＰＰＧ撮像装置、ＭＳＩカメラ、および患者の客観的健康指標の入力の組み合わせの例を示す。
予備的研究
【０４０６】
システムの設定およびアルゴリズムを調整することにより、異なる病理学的条件下で組織特性を評価することができるようにＤｅｅｐＶｉｅｗ（Ｇｅｎ２）を調整することができる。この提案の第Ｉ相におけるＬＯＡの研究に向けて、特定のアルゴリズムを開発し、一次切断後の創傷治癒を予測するためにパルス振幅および組織の酸素化の測定に合わせた特定の光学機器とフィルターを使用することとする（「実験の計画および方法」のセクションを参照のこと）。提案する技術に関して、可能性のある別用途のために一連のベンチトップ試験、前臨床試験、およびパイロット臨床試験を行い、成功を収めた。ＬＯＡを選択における本装置の使用をサポートするために、これらのテストの結果を提示する。
前臨床熱傷モデル
【０４０７】
熱傷の壊死組織除去における外科医をガイドするための使用を意図して、血流（すなわち、動脈パルス振幅）と組織構造の完全性（血液量、炎症、および壊死を含む）との組み合わせの検出（例えば、スペクトル解析）に特有の光学機器、フィルター、およびアルゴリズムを使用した。表皮の微小血管系の状態を評価するための、我々のＰＰＧアルゴリズムおよびＭＳＩアルゴリズムは、個別に用いても同時に使用しても、熱傷後の壊死組織を正確に特定することが続いて実証された。ＤｅｅｐＶｉｅｗ（Ｇｅｎ２）ＰＰＧ撮像システムの使用により、熱傷により壊死した組織における血流は周囲の健康な組織における血流と顕著に異なることを確認した。ＭＳＩカメラを用いて、ＩＡＣＵＣに承認されたブタ熱傷モデル実験において、外科的に除去する必要のある熱傷組織の存在を、組織病理学的なゴールドスタンダードに従って正確に特定できる（９６％の感度および８２％の特異性）ことを実証した。
【０４０８】
簡単に説明すると、熱した棒を圧力を制御しつつ４匹のミニブタに押し当て、２４箇所の深達性中間層熱傷を作製した。受傷の１０分後に、１．０ｍｍの壊死組織除去を、健康な組織に達するまで連続的に行い、除去直後のＰＰＧ信号およびＭＳＩ信号を得た。壊死組織を除去する都度、切除した組織サンプルを処理し、盲検法で評価を行う組織病理学者に提供した。ゴールドスタンダードである組織病理学的評価において、認定組織病理学者は、各切除片における健康な創傷床組織および非生存熱傷組織を特定した。さらに、認定外科医が熱傷のカラー写真を盲検的に観察し、健康な創傷床組織および非生存熱傷組織を特定した。我々は組織病理学者および外科医の解析結果を知ることなく独立して作業を行い、ＰＰＧおよびＭＳＩの評価結果を決定した。
【０４０９】
異なる組織クラス間のＰＰＧ信号強度の差異を特定することにより、我々のＰＰＧ撮像装置は、組織学的評価による判定と同様に、壊死組織除去の適切な点を特定することができた。一連のデータの収集は、熱傷を導入する前の関心領域におけるＰＰＧ信号の測定から開始したが、無傷の皮膚のＰＰＧ信号は、予想通りに一様に健康な組織を示した。しかしながら、熱傷が発生すると、熱傷が生じた場所に相当する画像の中心部のＰＰＧ信号は劇的に低下する。一方、周囲の組織はなお、健康な無傷の組織に一致する信号を示していた。
【０４１０】
図５３に、熱傷組織の信号と、壊死組織除去によって現れた健康な創傷床の信号の違いを示す。連続的な壊死組織除去に続いて処理された画像は、さらなる切除を必要とする熱傷組織の信号と、壊死組織除去によって最終的に現れた健康な創傷床の信号との顕著な違いを示している。熱傷組織の平均信号強度は２．８±１．８ｄＢであり、健康な皮膚および健康な創傷床組織の信号強度は、いずれもそれよりも相当大きく、それぞれ４．４±２．２ｄＢおよび４．２±２．６ｄＢであった（ｐ＜０．０５）。驚くには値しないが、ＰＰＧの所見と組織病理学者および外科医の所見とは、完全に一致していた。
【０４１１】
同じ実験を通して、ＭＳＩによる評価は、熱傷壊死組織除去中に存在する重要な生理学的組織クラスを、８２％の精度で正確に分類することができた。特に、熱傷壊死組織については、組織病理学的判定によれば、９６％の感度および８２％の特異性を達成した。このＭＳＩによる評価では、健康な皮膚、充血、創傷床、血液、軽度の熱傷、および重度の壊死熱傷の６つの可能な生理学的クラスが組み入れられた。図５４に、これら６つの例示的生理学的クラスを示す。熱傷部位の複数の相を通る一連のＰＰＧ信号と同様に、ＭＳＩの結果においても、熱傷発生前の健康な皮膚の均一性が最初に検出され、続いて、健康な創傷床に到達するまでの連続的な壊死組織除去の間、様々な種類の生存組織および非生存組織が、正確に識別された。
【０４１２】
最後のステップで、組み合わせされたＰＰＧデータとＭＳＩのデータの有効性を評価した。上述の通り、同一の熱傷におけるＰＰＧ信号とＭＳＩ信号を、１つの撮像システムで同時に収集した。組み合わせたデータおよび機械学習アルゴリズムを使用して、２つの測定を融合させる効果を試験した。このデータセットから、ＭＳＩ単独での精度は８２％であることがわかった。ＭＳＩデータを有するクラシファイヤにＰＰＧデータを含めると、全体の精度は８８％に向上した。図５５は、ＰＰＧデータ、ＭＳＩデータ、およびＰＰＧデータとＭＳＩデータとを組み合わせた結果を示す画像である。
パイロット臨床試験（実現可能性試験）
【０４１３】
図５６に、手、大腿、および足の領域におけるＰＰＧ信号の例を示す。ＤｅｅｐＶｉｅｗ（Ｇｅｎ１）ＰＰＧ撮像装置についても、様々な臨床応用において有用な血流データを提供するために、ＰＰＧ撮像の能力を確認するパイロット臨床試験を実施した。データには、褥瘡潰瘍、皮膚移植、および下肢虚血における組織生存率を決定するために心血管ＩＣＵの患者から収集した皮膚血流のＰＰＧ画像が含まれていた。パイロット臨床評価の一例として、大動脈解離により膝窩動脈の両側凝固および四肢への血流異常が生じている女性の症例を示す。血管外科医の臨床評価から、膝よりも遠位の脚部における血流減少が予測された。手、大腿（膝の近位）および足の脈動性血流の存在を測定した。得られた画像によれば、手および大腿部にはＰＰＧ信号（脈動性領域）が存在するが、足には脈動流が存在せず、この結果は、患者の既知の臨床状態と相関するものであった。これらの予備調査によって証明されたＤｅｅｐＶｉｅｗ技術の血流検出能は、ＬＯＡの選択をガイドする能力を有するＤｅｅｐＶｉｅｗ装置の重要な特徴である。
要約および考察
【０４１４】
ＰＰＧおよびＭＳＩの機能を備えた装置の使用により、熱傷モデルおよび患者の症例において血流および酸素含有量が不足している組織を特定できることを実証した。我々の技術の直接的な実現方法は、熱傷の分類とＰＡＤにおけるＬＯＡの特定とでは異なるが、プロセスの基本的な原理は同じである。臨床ユーザが熱傷を調査しているか、様々なＬＯＡにおける潜在的な一次創傷部位を評価しているかに関わらず、いずれの状況においても同じ物理的組織成分の測定を行う。熱傷の評価とＬＯＡの評価（または可能なその他の評価）で異なるのは、異なるアルゴリズムとフィルターセットが使用されることのみである。上で示したように、我々の技術では、ＰＰＧとＭＳＩをいずれも使用することにより、表皮の微小血管系および血液灌流の減少によって引き起こされる病理をより正確に調べることができる。我々の技術によれば、熱傷の調査で情報をもたらした原理と同じ原理に基づいて、所定のＬＯＡにおける治癒の可能性を予測することができる。創傷治癒の結果に影響を与える重要な患者の健康指標を追加することで、ＤｅｅｐＶｉｅｗ（Ｇｅｎ２）の精度はさらに向上するはずである。第Ｉ相試験において、この仮説を検証する。
実験計画および方法：第Ｉ相  パイロット臨床試験
【０４１５】
第Ｉ相での具体的な目的は、パイロット臨床試験における切断部位の治癒能力診断に我々の装置を使用することの実現可能性の試験である。この評価の一環として、様々な切断シナリオにおける治癒能力を診断するための機械学習診断アルゴリズムをトレーニングする目的で、多数の切断患者からデータを収集する。試験のこの段階では、ヒトが適切なモデルとなるが、これは、装置が迅速かつ非侵襲的であり、ベッドサイドや術前のような日常のケア環境で撮像による研究を実施できることによる。
【０４１６】
図５７に、機械学習診断アルゴリズムをトレーニングするプロセスの例を示す。機械学習診断アルゴリズムをトレーニングするには、それを最終的に使用する母集団からのデータが必要とされる（図５７）。重要であるのは、アルゴリズムの精度は、トレーニングデータの真の状態（この場合は、治癒しない切断グループと治癒する切断グループ）を特定するために使用される方法と同程度にしかならないことである。これに対処する目的で、結果を追跡し、分類するための標準切断治癒評価システムを作成した。試験対象についての結果が積み上がると、アルゴリズムを発展させ、解析する作業を開始できる。機械学習アルゴリズムの開発では、初期精度の決定、精度改善のための調査の実行、および新たな精度の評価が繰り返される。この実行可能性パイロット試験は、微小循環撮像と患者の健康指標とを組み合わせると、より大規模な中枢試験における成功の可能性が高くなることを示す証拠となる。
【０４１７】
これは、６０人の患者の調査からなるパイロット臨床試験計画であり、ＰＡＤ患者の切断の一次治癒に関するＤｅｅｐＶｉｅｗ（Ｇｅｎ２）システムの予測精度を、現在のケア標準と比較するものである。
【０４１８】
ＤｅｅｐＶｉｅｗ（Ｇｅｎ２）撮像装置は、光学的方法によって、皮膚の血液供給に関するスペクトル信号およびＰＰＧ信号を、広い範囲（最大１５×２０ｃｍの組織）から収集する。この装置は、下肢の皮膚の微小循環を広い範囲にわたって調査することに適している。ＤｅｅｐＶｉｅｗ装置の特徴は、患者の重要な健康特性をその診断アルゴリズムに統合して精度を高められることである。パイロット試験では、中枢試験で確認されることになる患者の重要な健康指標を特定する。この試験の主要な目的は、装置の機械学習診断アルゴリズムに含まれる患者の健康指標によって、微小循環測定単独の場合よりも精度が高まることの確認である。この試験では、従来のＬＯＡそれぞれにおける微小循環を測定し、創傷治癒に影響を及ぼす患者の健康特性と組み合わせることで、切断後の患者における一次創傷治癒の見込みとの相関を見極める。
【０４１９】
すべての患者の切断予定の下肢について検査を行い、試験に含める。臨床関連の患者の健康情報は、施設のケア提供者が収集する。我々の実験的撮像装置を用いた測定は、Ｓｐｅｃｔｒａｌ  ＭＤによってあらかじめトレーニングされた病院のスタッフが行うこととして、撮像試験が実施される。
【０４２０】
切断端を覆うために使用される皮膚の領域は、ＤｅｅｐＶｉｅｗ（Ｇｅｎ２）ＬＯＡアルゴリズムによって、治癒能力の有無について評価される。ＤｅｅｐＶｉｅｗ（Ｇｅｎ２）による解析を担当する技術者には、切断が行われる箇所についての臨床判断の結果は知らされない。
【０４２１】
真の陽性（＋）および真の陰性（−）の事象、あるいは治癒しない対象および治癒した対象を得るために、切断後の一次創傷治癒評価標準（表２）を使用する。この評価は、３つのカテゴリー、すなわち切断成功、治癒遅延を伴う切断成功、および治癒不全から構成されている。切断成功は、３０日以内に肉芽組織が完成して治癒し、さらなる切断の必要がない状態と考えられる。治癒遅延を伴う切断成功は、治癒が遅延して３０日後の肉芽組織形成は不完全であるが、６ヶ月以内に最終的な治癒に至り、さらに近位での再切断の必要はない状態と考えられる。治癒不全は、壊死および／もしくは壊疽が生じ、かつ／またはさらに近位での再切断の必要がある状態と特徴付けられる。また、治癒に血管再建が必要となる創傷は、切断失敗と考える。
【表６】
2019502418.tif 000022
【０４２２】
この治癒評価は、手術の３０日後に行う。治癒の遅れている対象については、手術の６ヶ月後に２回目の治癒評価を行う。６カ月後も治癒せず、かつより近位での再切断を受けていない対象は、非治癒群に分類される。
【０４２３】
図５８に、臨床検査のフローの例を示す。ＤｅｅｐＶｉｅｗ撮像評価（図５８）：Ｓｐｅｃｔｒａｌ  ＭＤのＧｅｎ  ２装置を用いた皮膚を撮像することによって、対象それぞれの微小循環データを収集する。切断が予定されている脚を、それぞれ約３０秒間走査する。ＰＡＤ患者における従来の外科的切断法に従い、足首および足の各領域を撮像する。従来の切断とは、膝上（ＡＫＡ）、膝下（ＢＫＡ）、足首の上（すなわち足）、中足骨横断、またはつま先である。断端を覆う組織片として使用する皮膚領域を選択して解析する（図５９）。
【０４２４】
図５９に、従来の切断手術に関わる組織を例示する。点線は皮膚の切開位置を示し、赤い楕円は、切断の一次治癒を成功させるためには生存している必要のある皮膚の位置を示す。
【０４２５】
診断モデルで使用される患者の重要な健康指標は、個々の臨床現場の臨床スタッフにより収集される。ケア標準を超えるデータは一切収集しない。そのような指標としては、糖尿病コントロール（例えば、ＨｂＡ１ｃ、グルコース、およびインスリン）、喫煙歴、肥満（例えば、ＢＭＩまたは腹囲）、栄養物（例えば、アルブミン、プレアルブミン、トランスフェリン等）、感染症（例えば、白血球数、顆粒球の状態、体温、抗生物質の使用）、年齢、傷害のメカニズム、および重要な投薬（例えば、グルココルチコイドまたは化学療法）等が挙げられるが、これらに限定されない。この情報は、ＤｅｅｐＶｉｅｗ撮像装置のソフトウェアへの入力により、診断アルゴリズムに追加される。
【０４２６】
対象を非治癒（＋の事象）と治癒（−の事象）クラスへと分類する機械学習アルゴリズムの開発は、各患者について収集された臨床的特徴に基づいて行われる。最初に、特徴のすべてをアルゴリズムに含める。次いで、以下のような１０分割交差検証によって、アルゴリズムの精度を判定する。ランダムに選択した６０％の対象を用いてアルゴリズム係数を生成し、次いで、トレーニングされたクラシファイヤによって残りの４０％を分類する。４０％のホールドアウト群を分類する際のアルゴリズムの精度は、標準的な感度・特異度の方法を使用して計算する。これを１０回繰り返すことで、精度についてのロバストな定量化が達成される。
【０４２７】
図６０に、切断レベルのためのクラシファイヤモデルを生成するステップの例を示す。最初の精度が確立された後、精度を向上させるための標準的な一連の手法を用いて、アルゴリズムを発展させる作業を開始する（図６０）。このプロセスにおける重大な問題の１つは、この段階で有するモデルのような大きなモデルにおけるバイアスとバリアンスのトレードオフを解決することである。別の言い方をすれば、このアルゴリズムは現在の試験集団のデータには非常に良く適合するものの、一般的な母集団には転用できないかもしれない。これに対処する目的で、高精度であるが変数間の冗長性が最小であるような（すなわち、共分散のモデルから情報を削除した）微小循環測定と患者健康データの組み合わせを確立するために、特徴選択（Ｔｏｗａｒｄ  Ｉｎｔｅｇｒａｔｉｎｇ  Ｆｅａｔｕｒｅ  Ｓｅｌｅｃｔｉｏｎ  Ａｌｇｏｒｉｔｈｍｓ  ｆｏｒ  Ｃｌａｓｓｉｆｉｃａｔｉｏｎ  ａｎｄ  Ｃｌｕｓｔｅｒｉｎｇ，Ｈｕａｎ  Ｌｉｕ  ａｎｄ  Ｌｅｉ  Ｙｕ）を実行する。この段階で、データを分類するための様々なクラシファイヤモデルについても検討する。これには、線形判別分析、二次判別解析、決定木、クラスタリング、およびニューラルネットワークが含まれる。
【０４２８】
成功の判定基準：我々の装置における切断の一次治癒予測確率が現在のケア標準（７０〜９０％）に匹敵することを実証し、より大きな臨床検査において、この精度のさらなる向上が十分に達成可能であることを示す必要がある。
【０４２９】
考えられる問題と解決策：切断手術に伴って血管再建術が実施されることもあり、この処置が診断結果に影響を及ぼす場合がある。そのような症例を記録し、統計解析において考慮することで、該処置と診断決定との間に関連があるか否かを特定する。
【０４３０】
潜在する別の問題は、２値のいずれかとして得られる装置の出力において、治癒群と治癒遅延群とが組み合わさっていることである。実際に、治癒遅延群と治癒群とでは、診断出力において別カテゴリーとできるような有意な差が見られることもある。逆に、治癒遅延群は、非治癒群により近く、容易には区別できないこともある。この場合、より近位の画像のデータをアルゴリズムに含めてもよい。装置の臨床的有用性は、この場合、単に成功または失敗を特定するだけでなく、切断における合併症をも特定するツールとして、さらに価値があるかもしれない。
【０４３１】
皮膚の色素沈着に差があれば、本試験で対象から収集する測定値にばらつきが生じることとなる。このような差を克服するために、我々の方法は、患者の組織の健康な領域を特定することを含み、これを基準としてＤｅｅｐＶｉｅｗによる測定の正規化を行うことができる。
【０４３２】
別の問題は、ＰＡＤ患者において、皮膚への正常な血流が観察されうることである。これは、側副血管による補償の結果かもしれない。しかしながら、ＰＡＤを有する患者は、運動や短期虚血に対する応答が低いことが示されている。容易に実施できるように改変した試験として、測定する肢の圧力カフを膨らませて３分間虚血状態とした後に、患者のＤｅｅｐＶｉｅｗ信号を試験することが挙げられる。ＰＡＤでは、反応性充血応答におけるピークの５０％に達するまでの時間が長くなることが知られているが、これは、ＤｅｅｐＶｉｅｗが評価するものと同じ組織の光学特性によって測定することができる。
実験の計画および方法  第ＩＩ相
【０４３３】
第ＩＩ相は、臨床診断性能試験であり、ＰＡＤ患者が最初の切断を受けた後の一次創傷治癒の可能性予測における、我々の装置の感度および特異性を評価するものである。この母集団を選択した理由は、現在の臨床ケア標準を用いてＬＯＡを選択した場合に創傷治癒が陰性となる対象を得る確率において約２０％の改善が見込まれるからである。ＤｅｅｐＶｉｅｗ（Ｇｅｎ２）装置の臨床診断性能は、ＤｅｅｐＶｉｅｗ（Ｇｅｎ２）による診断が、主要エンドポイントとしての創傷治癒結果をいかに正確に予測できるかを定量化する手段によって特徴付けられる。先の試験で用いられたゴールドスタンダードの方法を用いて創傷治癒評価を標準化し、ＰＡＤにおける切断後の創傷治癒を分類する。
【０４３４】
ＤｅｅｐＶｉｅｗ（Ｇｅｎ２）の画像は、従来の各切断レベルにおける断端の最遠位部を覆う皮膚組織片に使用される皮膚領域から収集される。この組織領域が選択されるのは、手術部位の一次治癒にとって決定的に重要であることによる。切断後の治癒可能性についての従来の診断は、微小血管流を測定するのみであったが、本試験の目的は、微小循環の測定と患者の健康指標のいずれをも含むＤｅｅｐＶｉｅｗ（Ｇｅｎ２）アルゴリズムの精度を評価することである。
【０４３５】
標準化された創傷治癒評価により決定される切断成功の可能性を評価するための、ＤｅｅｐＶｉｅｗ（Ｇｅｎ２）撮像の感度と特異度。
【０４３６】
これは、３５４人の患者の調査からなる中枢臨床試験計画であり、ＰＡＤ患者の切断の一次治癒に関するＤｅｅｐＶｉｅｗ（Ｇｅｎ２）システムの予測精度を、現在のケア標準と比較するものである。
【０４３７】
ＤｅｅｐＶｉｅｗ（Ｇｅｎ２）撮像装置は、光学的方法によって、皮膚の血液供給に関するスペクトル信号およびＰＰＧ信号を、広い範囲（最大１５×２０ｃｍの組織）から収集する。この装置は、下肢の皮膚の微小循環を広い範囲にわたって調査することに適している。この装置の特徴は、患者の重要な健康指標をその診断アルゴリズムに統合して精度を高められることである。パイロット試験は、この中枢試験で確認されることになる、患者の最も重要な健康指標を特定するために行われる。この試験の主要な目的は、パイロット試験で特定され、重要な情報として装置の機械学習診断アルゴリズムに含まれることになる患者の健康指標を確認することである。この試験では、従来のＬＯＡそれぞれにおける微小循環を測定し、創傷治癒に影響を及ぼす患者の健康特性と組み合わせることで、切断後の患者における一次創傷治癒の見込みとの相関を見極める。
【０４３８】
データの収集：すべての患者の切断予定の下肢について検査を行い、試験に含める。臨床的に意義のある患者の健康指標は、施設のケア提供者により収集される。我々の実験的撮像装置を用いた測定は、Ｓｐｅｃｔｒａｌ  ＭＤによってあらかじめトレーニングされた病院のスタッフが行うこととして、撮像試験が実施される。
【０４３９】
切断端を覆うために使用される皮膚の領域は、ＤｅｅｐＶｉｅｗ（Ｇｅｎ２）ＬＯＡアルゴリズムによって、治癒能力の有無について評価される。ＤｅｅｐＶｉｅｗ（Ｇｅｎ２）による解析を担当する技術者には、切断が行われる箇所についての臨床判断の結果は知らされない。
【０４４０】
真の陽性（＋）および真の陰性（−）の事象、すなわち治癒しない対象および治癒した対象を得るために、切断後の一次創傷治癒評価標準（表２）を使用する。この評価は、３つのカテゴリー、すなわち切断成功、治癒遅延を伴う切断成功、および治癒不全から構成されている。切断成功は、３０日以内に肉芽組織が完成して治癒し、さらなる切断の必要がない状態と考えられる。治癒遅延を伴う切断成功は、治癒が遅延して３０日後の肉芽組織形成は不完全であるが、６ヶ月以内に最終的な治癒に至り、さらに近位での再切断の必要はない状態と考えられる。治癒不全は、壊死および／もしくは壊疽が生じ、かつ／またはさらに近位での再切断の必要がある状態と特徴付けられる。また、治癒に血管再建が必要となる創傷は、切断失敗と考える。
【０４４１】
この治癒評価は、手術の３０日後に行う。治癒の遅れている対象については、手術の６ヶ月後に２回目の治癒評価を行う。６カ月後も治癒せず、かつより近位での再切断を受けていない対象は、非治癒群に分類される。
【０４４２】
図６１に、ＤｅｅｐＶｉｅｗによる撮像を評価するための、臨床検査のフローの例を示す。切断部位の治癒の診断は、Ｓｐｅｃｔｒａｌ  ＭＤ（Ｇｅｎ２）撮像装置を用いた撮像中に行われる。切断が予定されている脚を、それぞれ約３０秒間走査する。ＰＡＤ患者における従来の外科的切断法に従い、足首および足の各領域を撮像する。従来の切断とは、膝上（ＡＫＡ）、膝下（ＢＫＡ）、足首の上（ＡＡＡ）、中足骨横断、またはつま先である。断端を覆う組織片として使用する皮膚領域を選択して解析する（図５９）。
【０４４３】
患者の健康指標の収集：診断モデルで使用される患者の重要な健康指標は、個々の臨床現場の臨床スタッフにより収集される。ケア標準を超えるデータは一切収集しない。そのような指標は、パイロット試験で特定されるが、糖尿病コントロール（例えば、ＨｂＡ１ｃ、グルコース、およびインスリン）、喫煙歴、肥満（例えば、ＢＭＩまたは腹囲）、栄養物（例えば、アルブミン、プレアルブミン、トランスフェリン等）、感染症（例えば、白血球数、顆粒球の状態、体温、抗生物質の使用）、年齢、傷害のメカニズム、および重要な投薬（例えば、グルココルチコイドまたは化学療法）等を含むことが期待される。この情報は、ＤｅｅｐＶｉｅｗ撮像装置のソフトウェアへの入力により、診断アルゴリズムに追加される。
【０４４４】
データの解析と統計：患肢の５箇所の切断部位から得たＤｅｅｐＶｉｅｗ（Ｇｅｎ２）撮像による測定値を評価し、創傷治癒の可能性を判定する。それぞれの肢について、全般的な治癒スコアを決定し、その測定値と切断の実際の成否とを比較して、評価の全般的な精度を得る。これは、受信者操作特性（ＲＯＣ）、すなわち感度および特異性に関する重要な結果評価基準となる。
【０４４５】
創傷の治癒を評価する重要な結果評価基準を得るために、臨床医により決定された切断部位から得たＤｅｅｐＶｉｅｗ（Ｇｅｎ２）の診断と、標準化された創傷治癒評価により決定される切断の成否とを比較する。この解析により、ＤｅｅｐＶｉｅｗの診断のアルゴリズムのための受信者操作特性（ＲＯＣ）曲線が得られる。
【０４４６】
検出力解析：臨床試験は、装置の感度と特異性を確立し、それらの数値がＬＯＡを選択する臨床判断をしのぐものであるか否かを試験するよう計画される。我々が定めた試験の目標は、ＬＯＡの診断においてＤｅｅｐＶｉｅｗ（Ｇｅｎ２）システムが９５％の感度と９５％の特異性を達成し、現在の臨床判断における７０〜９０％という不十分な精度を克服することである。サンプルサイズを確立するには、まず陽性予測値（ＰＰＶ）と陰性予測値（ＮＰＶ）を定める必要があり、そのためには有病率が既知でなければならない。ＤｅｅｐＶｉｅｗ（Ｇｅｎ２）によってスクリーニングされる集団（血行障害性疾患によって患肢の最初の切断を必要とする１８歳を超える患者）における、より近位レベルでの再切断の有病率が約２０％（参考値）であることを確認した。したがって、所望の陽性予測値（ＰＰＶ  ＤｅｅｐＶｉｅｗ）は９７％であり、所望の陰性予測値（ＮＰＶ  ＤｅｅｐＶｉｅｗ）は９３％である。
【０４４７】
以下の仮説を検証するためのサンプルサイズの解析は、Ｓｔｅｉｎｂｅｒｇ  ｅｔ  ａｌ．，  ２００８，“Ｓａｍｐｌｅ  ｓｉｚｅ  ｆｏｒ  ｐｏｓｉｔｉｖｅ  ａｎｄ  ｎｅｇａｔｉｖｅ  ｐｒｅｄｉｃｔｉｖｅ  ｖａｌｕｅ  ｉｎ  ｄｉａｇｎｏｓｔｉｃ  ｒｅｓｅａｒｃｈ  ｕｓｉｎｇ  ｃａｓｅ−ｃｏｎｔｒｏｌ  ｄｅｓｉｇｎｓ，”Ｂｉｏｓｔａｔｉｓｔｉｃｓ，ｖｏｌ．１０，ｎｏ．１，ｐｐ．９４−１０５，２００９に概説される方法を用いて実施した。有意水準（α）は０．０５、所望の検出力（β）は０．８０である。
ＰＰＶについて
Ｈ０：ＰＰＶＤｅｅｐＶｉｅｗ＝ＰＰＶｃｌｉｎｉｃａｌ  ｊｕｄｇｅｍｅｎｔ
Ｈ１：ＰＰＶＤｅｅｐＶｉｅｗ＞ＰＰＶｃｌｉｎｉｃａｌ  ｊｕｄｇｅｍｅｎｔ
ＮＰＶについて
Ｈ０：ＮＰＶＤｅｅｐＶｉｅｗ＝ＮＰＶｃｌｉｎｉｃａｌ  ｊｕｄｇｅｍｅｎｔ
Ｈ１：ＮＰＶＤｅｅｐＶｉｅｗ＞ＮＰＶｃｌｉｎｉｃａｌ  ｊｕｄｇｅｍｅｎｔ
【０４４８】
その結果、これらの帰無仮説（Ｈ０）が棄却されるためには、登録した計２３６の下肢の１／５が、我々の治癒評価により非治癒（＋の事象）となる必要があることが示される（図６２）。しかしながら、登録前に対象の病状を知りうるわけではないため、我々は１／５という比率をあらかじめ選択することはできない。したがって、この比率は異なりうる。この比率がはるかに低く、肢の１／１０が非治癒（＋）であれば、試験には約４５０の肢が必要となる。また、この比がはるかに高く、肢の３／５が非治癒（＋）であれば、計１２４の肢で足りる。
【０４４９】
図６２に、統計的なサンプルサイズ解析の結果を例示する。試験集団における切断非治癒（＋）の切断治癒（−）に対する比率を基にした全サンプルサイズ。有意水準（α）は０．０５であり、所望の検出力（β）は０．８０である。
【０４５０】
陰性の対象に対する陽性の対象の比率のばらつきを考慮し、最初の見積もりの２３６に対して約５０％の対象をさらに加える。したがって、合計サンプルサイズは、計３５４名の対象から構成されることとなる。試験は最小リスク試験であり、多忙な診療所では年間約１００例の切断が行われるため、この数字は十分に達成可能であると考えられる。試験データの取得と同時に監視を行い、試験した肢の総数と、切断成功（−の事象）に対する切断失敗（＋の事象）の比率とを計算し、適切な比率および合計サンプルサイズが得られたところで試験を中止する。
【０４５１】
期待される結果：ＤｅｅｐＶｉｅｗの出力と一次創傷治癒との相関の程度を判定するために、ＤｅｅｐＶｉｅｗの結果と、対象を治癒群または非治癒群に分類する標準的な治癒評価とを比較する。この比較により、切断後の一次治癒を予測するための高感度および高特異性をサポートする相関の存在が示されるものと期待される。
【０４５２】
成功の判定基準：ＲＯＣは、現在のケア標準（７０〜９０％の精度）によって確立された必要値よりも高い感度および特異性が得られるような決定閾値を含む必要がある。
【０４５３】
考えられる問題と解決策：診断アルゴリズムで使用されるすべての非撮像データ（患者の健康指標）の重要度を強化するのに十分な大きさのサンプルサイズを得ることが困難な場合がある。例えば、糖尿病は重要な臨床上の特徴であるが、集団内のすべての患者が糖尿病を有していたり、あるいはその効果を試験するのに十分な力を発揮できる比率で存在していなかったりすることがある。そのために、診断アルゴリズムにおいて、この並存症の存在を解釈できないことがある。この患者集団は、全般的な健康状態としては多くの類似点を有することが予想されるが、その変数の中には、様々なレベルで測定されるため単なる二値として扱うことのできないものも存在する。例えば、糖尿病を有する対象の場合、ＨｂＡ１ｃおよび血糖試験の測定値は、コントロール範囲を有するかもしれない。これが不可能な場合には、格段に大きな切断集団について調査を行うことのできる市販後解析においてデータを継続的に収集することも考えられる。
性能例の概要
【０４５４】
実験データにより、ＰＰＧの特徴とＭＳＩの特徴とを１つのアルゴリズム内で融合させることの利点が例示されるが、これは、以下で説明する図に示されている。
【０４５５】
以下の説明において、特徴セットには、フォトプレチスモグラフィ（ＰＰＧ）、マルチスペクトル撮像（ＭＳＩ）、および実画像（ＲＩ）が含まれる。例示的手法には、グラウンドトゥルースを描くこと、３つの特徴集合のそれぞれを個々に、また組み合わせて使用し、分類アルゴリズムをトレーニングすること、画像を分類すること、および異なる特徴セットの要素を有するクラシファイヤと比較するために誤差を報告することが含まれる。現時点で、特徴は既に開発されており、分類に使用することができる。これらの特徴を、特徴セットの３つのカテゴリー、すなわちＰＰＧ、ＭＳＩ、およびＲＩに分類する。以下の例では、クラシファイヤであるＱＤＡ（二次判別分析）に対し、様々な特徴セットを用いたトレーニングを行った。３３の特徴すべてがモデルに組み込まれるまで、特徴セットの組み合わせを続けた。発展させた各クラシファイヤ（すなわち別個の特徴セットを備えた各クラシファイヤ）を、その分類誤差に基づいて比較した。
【０４５６】
図６３Ｂ−６３Ｆは、様々なクラシファイヤについての参照画像、グラウンドトゥルース画像、分類結果、およびエラー画像を示す。これらについて、以下でより詳細に説明する。図６３Ａは、図６３Ｂ−６３Ｆの結果における色分けを説明する図である。青色は健康な組織、緑色は切除した組織、オレンジ色は浅い熱傷、赤色は熱傷を示す。
【０４５７】
ＤｅｅｐＶｉｅｗクラシファイヤは、以下の１４の特徴を含む。
１．  Ｄｅｅｐ  Ｖｉｅｗの出力
２．  最大／平均
３．  平均からの標準偏差
４．  交差数
５．  ＳＮＲ  小近傍
６．  改善されたＳＮＲ
７．  正規化された照射
８．  正規化されたＤｅｅｐＶｉｅｗ画像
９．  標準偏差
１０．  歪度
１１．  尖度
１２．  Ｘ勾配
１３．  Ｙ勾配
１４．  勾配の標準偏差
【０４５８】
図６３Ｂに、ＤｅｅｐＶｉｅｗクラシファイヤにおける、参照画像、グラウンドトゥルース画像、分類結果、およびエラー画像を示す。エラー画像内の黄色（図６３Ｂのモノクロ複写の場合は白／明色）の割合で示されているように、ＤｅｅｐＶｉｅｗクラシファイヤの全誤差率は４５％であった。
【０４５９】
実画像クラシファイヤは、以下の１１の特徴を含む。
１．  実画像
２．  正規化された実画像
３．  歪度
４．  尖度
５．  Ｘ勾配
６．  Ｙ勾配
７．  Ｘ勾配の標準偏差
８．  小近傍領域
９．  正規化された小近傍領域
１０．  大近傍領域
１１．  正規化された大近傍領域
【０４６０】
図６３Ｃに、実画像クラシファイヤにおける、参照画像、グラウンドトゥルース画像、分類結果、およびエラー画像を示す。エラー画像内の黄色（図６３Ｃのモノクロ複写の場合は白／明色）の割合で示されているように、実画像クラシファイヤの全誤差率は１６％であった。
【０４６１】
図６３Ｄに、ＤｅｅｐＶｉｅｗクラシファイヤと実画像クラシファイヤの組み合わせにおける、参照画像、グラウンドトゥルース画像、分類結果、およびエラー画像を示す。このＤｅｅｐＶｉｅｗ／実画像組み合わせクラシファイヤでは、上記したＤｅｅｐＶｉｅｗの１４の特徴と実画像の１１の特徴を含む２５の特徴を使用した。エラー画像内の黄色（図６３Ｂのモノクロ複写の場合は白／明色）の割合で示されているように、ＤｅｅｐＶｉｅｗ／実画像組み合わせクラシファイヤの全誤差率は１９％であった。
【０４６２】
ＭＳＩクラシファイヤは、以下の８つの特徴を含む。
１．  ＭＳＩλ１
２．  ＭＳＩλ２
３．  ＭＳＩλ３
４．  ＭＳＩλ４
５．  ＭＳＩλ５
６．  ＭＳＩλ６
７．  ＭＳＩλ７
８．  ＭＳＩλ８
【０４６３】
図６３Ｅに、ＭＳＩクラシファイヤにおける、参照画像、グラウンドトゥルース画像、分類結果、およびエラー画像を示す。エラー画像内の黄色（図６３Ｅのモノクロ複写の場合は白／明色）の割合で示されているように、ＤｅｅｐＶｉｅｗ／実画像組み合わせクラシファイヤの全誤差率は３．４％であった。
【０４６４】
図６３Ｆに、ＤｅｅｐＶｉｅｗクラシファイヤと実画像クラシファイヤとＭＳＩとの組み合わせにおける、参照画像、グラウンドトゥルース画像、分類結果、およびエラー画像を示す。このＤｅｅｐＶｉｅｗ／実画像／ＭＳＩ組み合わせクラシファイヤでは、上記したＤｅｅｐＶｉｅｗの１４の特徴と実画像の１１の特徴とＭＳＩの８つの特徴を含む３３の特徴を使用した。エラー画像内の黄色（図６３Ｆのモノクロ複写の場合は白／明色）の割合で示されているように、ＤｅｅｐＶｉｅｗ／実画像／ＭＳＩ組み合わせクラシファイヤの全誤差率は２．７％であった。
【０４６５】
図６４Ａ、６４Ｂは、異なる分類技術の特徴構成（ｆｅａｔｕｒｅ  ｃｏｍｐｏｓｉｔｉｏｎ）を比較する図である。図６４Ａに、ＤＶＯ（ＤｅｅｐＶｉｅｗ）クラシファイヤ、ＲＩクラシファイヤ、ＤＶＯ＋ＲＩクラシファイヤ、ＭＳＩクラシファイヤ、およびＤＶＯ＋ＲＩ＋ＭＳＩクラシファイヤの誤差（ｅ）の比較を示す。ここで、ｅ＝誤差＝全体（不正確な分類）／全体（分類全体）である。図に示すように、ＤＶＯ＋ＲＩ＋ＭＳＩクラシファイヤの誤差は、ＤＶＯ＋ＲＩクラシファイヤの誤差と比べて７１．７％少ない。
【０４６６】
図６４Ｂに、試験時点のＤＶＯ（ＤｅｅｐＶｉｅｗ）クラシファイヤ、ＲＩクラシファイヤ、ＤＶＯ＋ＲＩクラシファイヤ、ＭＳＩクラシファイヤ、およびＤＶＯ＋ＲＩ＋ＭＳＩクラシファイヤの誤差（ｅ）の比較を示す。
【０４６７】
図６３Ｂ−６４Ｂのデータが示すように、特徴を追加するにつれて、エラーは低減される。特徴群は、重要度の順にランク付けすることができ、一例では、（１）ＭＳＩ、（２）ＲＩ、（３）ＰＰＧとしてランク付けすることができる。分類アルゴリズムのいくつかの実施形態は転用可能である。これは、第１の対象でトレーニングしたアルゴリズムを、次いで第２の対象の創傷の分類に使用できることを意味する。
熱傷の例示的手術における撮像および信号処理の概要
【０４６８】
熱傷における壊死組織除去は、切除の必要な範囲および適切な切除深さを特定するために相当な技能を要する難易度の高い技術である。熱傷を負った組織を定量的に評価することで外科医を支援するため機械学習ツールが、現在開発中である。ここでは、ブタモデルを用いた連続的な壊死組織除去において、４種類の組織、すなわち健康な皮膚、生存創傷床、深い熱傷、および浅い熱傷を識別できる３つの非侵襲的光学撮像技術について紹介する。３つの技術をすべて組み合わせることで、組織の分類の精度が顕著に改善される。
Ｉ．  序論
【０４６９】
本開示では、熱傷手術支援装置（ＤｅｅｐＶｉｅｗ創傷撮像システム、Ｓｐｅｃｔｒａｌ  ＭＤ、テキサス州ダラス）を開発するための信号処理技術が提示される。皮膚移植のために露出させる必要のある生存創傷床が、他の３種類の組織、すなわち健康な皮膚、深い熱傷、および浅い熱傷と識別される。入力する指標は、３つの主要な特徴セット、すなわち皮膚の微小循環における脈動性の血流を特定するフォトプレチスモグラフィ（ＰＰＧ）の特徴；創傷の白黒写真から得られる実画像（ＲＩ）の特徴；および主要な可視光波長および赤外波長で組織の反射スペクトルを収集するマルチスペクトル撮像（ＭＳＩ）の特徴に基づくものである。組織の分類は、よく知られた機械学習技術である二次判別分析（ＱＤＡ）を使用して行われる。このシステムの試験は、ブタの創傷サンプル上で、利用可能な３つの撮像技術から入力される特徴の異なる組み合わせを使用して行われた。試験の結果、特徴の数を増加させるとクラシファイヤの性能が向上することが実証されたので、ここに報告する。
ＩＩ．  実験の説明
【０４７０】
ブタの熱傷モデルを用いた実験の構成については、既に説明している。簡単に言えば、それぞれ異なる８枚の光学バンドパスフィルター（４００〜１１００ｎｍ）を有するフィルターホイールを備えた撮像装置（Ｎｏｃｔｕｒｎ  ＸＬ、Ｐｈｏｔｏｎｉｓ  ＵＳＡ）を、視野の上方に垂直に取り付けた。付属のＬＥＤ配列（ＳＦＨ  ４７４０、ＯＳＲＡＭ）により、視野の照射を行った。側背に熱傷を作製するために麻酔をかけて準備した４匹のハンフォードブタの成体を用いて、ＰＰＧ撮像、ＲＩ、およびＭＳＩを同時に実施した。ばねを取り付けた黄銅棒（直径３．６ｃｍ）を１００℃まで熱し、熱傷１箇所につき４５秒間皮膚に押し付けて、１匹当たり計６箇所に熱傷を作製した。電動デルマトーム（ジンマー社；型番：８８２１−０６）を深さ１．０ｍｍ（幅６ｃｍ）に設定し、それぞれの熱傷上を、生存創傷床が露出するまで連続的に通過させた。各熱傷について３層の切除を行った後に現れた点状出血が、生存創傷床が十分に現れたことの視覚的な手がかりとなった。
【０４７１】
３つの技術すべてを用いた撮像を、受傷前（健康な皮膚）、受傷直後（急性熱傷）、および各切除の後に行った。受傷の２０分後に最初の切除を行い、最初の受傷から最終の切除までの経過時間は、最大８０分であった。
ＩＩＩ．  技術的アプローチ
Ａ．  ＰＰＧ出力の前処理
【０４７２】
図６５は、ＰＰＧの出力の前処理を例示するブロック図である。熱傷の動画を２７秒間撮影し、８００フレームを取得してＰＰＧ画像を作成する。各画素に、その時間のＰＰＧ信号が１つ定義される。この前処理の目的は、分類ステップのために、当初の特徴とともに、対象の心拍数に関係する生理的な情報を得ることである。この時間ドメイン信号（各画素に１つ）を元に、前処理アルゴリズムが実行される。これを図６５に示し、以下で簡単に説明する。
【０４７３】
最初の空間平均を計算し、次いで、低周波における高振幅成分（鎮静状態のブタの人工換気に相当）を除去するデコンボリューションが行われる。信号の線形トレンドの除去と、心拍が期待される周波数域のバンドパスフィルタリングが行われる。高速フーリエ変換アルゴリズムを時間ドメイン信号に適用して、周波数ドメインのバージョンを算出する。
【０４７４】
これらの周波数信号セットから、各画素について４つの指標、すなわち（１）信号対雑音比（ＳＮＲ）、（２）最大／平均、（３）平均からの標準偏差、および（４）ゼロレベルでの信号の交差数、が得られる。これら４つの指標を用いて、画像の各画素についての血管の確率が定められる。血管の確率は、その画素が心拍数に関する情報提供においてどの程度有用であるかを示す。血管の確率が＞０：９である画素であれば、最大周波数信号に対応する心拍数の値が格納される。このステップでは、最も頻度高く繰り返された値が、ブタの真の心拍数として選択される。この値から、改善されたＳＮＲ指標が計算される。最後に、心拍数が計算値に相当する画素には１、それ以外の画素には真の心拍数との差に応じて０〜１の間の値が設定されるようマスクを定義する。改善されたＳＮＲと、このマスクとの積が、ＰＰＧ出力の指標となる。
【０４７５】
これら６つの指標から、画像の各画素について、試験下にある対象の体表から約１ｃｍより下の血流に関する生理的な情報が得られる。
Ｂ．特徴の定義
【０４７６】
３つの主要な特徴セットを用いて、解析下にある画像の各画素の特性決定が行われた。光の各波長につき１つ、合計３３の特徴があり、その内訳は、ＰＰＧ出力処理の１４の特徴、ＲＩの１１の特徴、およびＭＳＩの８つの特徴である。以下の表は、それぞれの特徴について説明するものである。
2019502418.tif 000023
Ｃ．  グラウンドトゥルース画像の定義
【０４７７】
一実施形態では、分類アルゴリズムをトレーニングするための制御データが提供されてもよい。一例では、試験下にあるすべての事例用のグラウンドトゥルース（ＧＴ）画像データベースが作成された。この作業のために、１匹のブタから合計６０の事例を得ることができる。すなわち、６箇所の損傷部位（ブタの背中の左右３箇所ずつ）を、受傷前、受傷後、１回目の切除、２回目の切除、および３回目の切除の各段階に利用し、それぞれの段階で２回の撮像を行った。トレーニングデータを生成するために、創傷部位をそれぞれ解析し組織の各領域の状態を決定する。このデータを用いて、組織の各種類に合うよう、画像データのクラス分けを行う。ＧＴ行列は、それぞれの捕捉における異種の組織を定義するものである。判定困難な画素が、数セット廃棄された。このような組織の事前定義は、クラシファイヤの理想的な出力を提示することから、分類アルゴリズムにおいて使用される。
Ｄ．  クラシファイヤ
【０４７８】
この実験に使用したのは、教師あり機械学習アプチケーション用としてよく知られた分類アルゴリズムである二次判別分析（ＱＤＡ）である。ＱＤＡでは、ｎ次元空間（ｎは使用する特徴の数）のデータがガウス分布に従うと仮定してトレーニングが行われる。このアルゴリズムは、与えられた画素ｘがあるクラスに属する条件付き確率Ｇが最大となるクラス種ｋを見出そうとする。数学上、これは
【数１５】
2019502418.tif 000024
から求められる。δｋ（ｘ）は判別関数と呼ばれ、
【数１６】
2019502418.tif 000025
によって定義される。
【０４７９】
添字ｋは組織のクラスを示し、ｆｋ（ｘ）はｎ次元のガウス分布の確率密度関数であり、μｋおよびΣｋは、それぞれ各クラスの平均および共分散行列を表し、πｋはクラスｋの先験確率である。μｋおよびΣｋの値は、トレーニングの段階でＮ個の既知の画素（ｘ，ｋ）のセットを用いて計算されるが、ここでｎ次元のベクトルｘはそれぞれの特徴を表し、ｋは、その画素が属するクラスである。それぞれの組織ｋについてδｋの値が得られるが、これは未知の画素ｘが各クラスｋに属する可能性を表している。クラスｋとクラスｌの決定境界は、｛ｘ：δｋ（ｘ）＝δ１（ｘ）｝を満たす画素のセットと定義され、δｋ（ｘ）の定義により、この境界はｘの二次関数となる。
ＩＶ．  結果
【０４８０】
図６６に、トレーニングの事例、分類の事例、および交差検証の事例に使用できる場所の例である１Ａ、１Ｂ、２Ａ、２Ｂ、３Ａ、および３Ｂを示す。利用可能なすべてのデータのうち、場所１Ａ、１Ｂ、２Ａ、および２Ｂのすべての段階における２回の捕捉に相当する２／３のデータを、クラシファイヤのトレーニングに使用した。図２に示すように、場所３Ｂにおける２回目の撮像で捕捉した画素を分類することにより、交差検証を実施した。試験は、５つの異なる時点において、使用する特徴セットを以下のように変えて繰り返した：（ｉ）ＰＰＧ出力の１４の特徴のみ使用、（ｉｉ）ＲＩの１１の特徴のみ使用、（ｉｉｉ）ＰＰＧ出力とＲＩの２５の特徴の組み合わせ、（ｉｖ）ＭＳＩの８つの特徴のみ使用、（ｖ）ＰＰＧとＲＩとＭＳＩの３３の特徴すべての組み合わせ。
【０４８１】
図６７Ａ−６７Ｌに、５つの異なる分類方法における、１回目の切除のグラウンドトゥルース画像、実画像、および分類結果を例示する。図６７Ａはグラウンドトゥルース（ＧＴ）であり、図６７ＢはＲＧＢ実画像であり、図６７ＣはＰＰＧの特長による分類であり、図６７ＤはＰＰＧの特長による分類誤差（１７．６３２９％）であり、図６７ＥはＲＩの特長による分類であり、図６７ＦはＲＩの特長による分類誤差（８．６３９％）であり、図６７ＧはＰＰＧ＋ＲＩの特長による分類であり、図６７ＨはＰＰＧ＋ＲＩの特長による分類誤差（９．５８２１％）であり、図６７ＩはＭＳＩの特長による分類であり、図６７ＪはＭＳＩの特長による分類誤差（５．０９５８％）であり、図６７ＫはＰＰＧ＋ＲＩ＋ＭＳＩの特長による分類であり、図６７ＬはＰＰＧ＋ＲＩ＋ＭＳＩの特長による分類誤差（３．６９４％）である。図６７Ａ−６７Ｌの色分けは、以下の通りである。
・健康な皮膚：青
・生存創傷床：緑
・浅い熱傷：オレンジ
・深い熱傷：茶
【０４８２】
クラシファイヤの結果から、繰り返しの各回ごとに混同行列が構築された。３３の特徴すべてを用いた分類に基づいて構築された混同行列を、図６８に示す。混同行列に含まれるパラメータの定義は、以下の通りである。
・Ｒ：再構成率
その実際のクラスに属する画素が、その決定されたクラスに分類される確率Ｐ（決定されたクラス／実際のクラス）。これは、感度としても知られる。
・ｒ：認識率
その決定されたクラスに分類される画素が、その実際のクラスに属する確率Ｐ（実際のクラス／決定されたクラス）。これは、精度としても知られる。
・Ｃ：組み合わせ率
画素が、その決定されたクラスに分類され、実際にそのクラスに属する確率Ｐ（実際のクラス＼決定されたクラス）。
・ｅ：推定指数
再構成率と認識率との差
【０４８３】
再構成率および認識率は、いずれも０と１の間の値であり、性能の強弱を示す（０に近いほど弱く、１に近いほど強い）。最適な結果では、行列の対角線上に１の値が並び、０の値は対角線から外れた位置に見出されるであろう。組み合わせ率の値の合計は１に等しい。推定指数は、混同行列のいずれの項目においても０に近い値となるべきである。
【０４８４】
クラスＡｉごとの精度は、これらの混同行列から得られ、再構成率と認識率の幾何平均として、以下のように定義することができる。
【数１７】
2019502418.tif 000026
添字ｉはクラスを示す。精度を定量化するこの方法は、組織ごとに組み合わされる感度および精度が高い場合に有利であり、これらの２つのパラメータ間の差が大きい場合には不利である。このクラシファイヤ全体の精度Ａは、Ｎ個のクラスの精度の算術平均として計算される。
【数１８】
2019502418.tif 000027
【０４８５】
以下の表に、トレーニング用に選択される特徴セットを変えて５回繰り返した分類それぞれの、クラスごとの精度および実験全体の精度の値を示す。
2019502418.tif 000028
【０４８６】
図６９に、記載の特徴セットを用いて実施した分類の、クラスごとの精度および全体の精度を比較して示す。ＭＳＩの特徴を加えることで、分類モデルの精度は大幅に改善される。
Ｖ．  結論
【０４８７】
この撮像システムは、熱傷組織中の生存創傷床を識別することのできる情報を提供することがわかった。この課題を達成するために、ＱＤＡモデルを成功裡に適用することができた。本開示では、特徴の数を増加させながら交差検証の性能を調べ、ＭＳＩの特徴を追加することで組織分類の精度が大幅に改善されることが示された。
例示的実施形態におけるＭＳＩ用の波長領域の概説
【０４８８】
本明細書に記載のマルチスペクトル画像は、いくつかの実施形態においては、プローブの同じ側の端部に発光エミッタと光検知器とをいずれも有する光ファイバーケーブルによって捕捉することができる。発光エミッタは、対象を異なる波長で均一に照射するために、４００ｎｍ〜１１００ｎｍの間にある約１０００種類の波長の光を放出することができ、これは以前使用されていた約８種類の独立した波長オプションを使用するカメラシステムとは対照的である。いくつかの実施形態では、所定の波長領域内のそれぞれの波長、例えば４００ｎｍ〜５００ｎｍ（例えば４００ｎｍ、４２５ｎｍ、４５０ｎｍ、４７５ｎｍ、もしくは５００ｎｍ）および７２０ｎｍ〜１０００ｎｍ（例えば７２０ｎｍ、７５０ｎｍ、７７５ｎｍ、８００ｎｍ、８２５ｎｍ、８５０ｎｍ、８７５ｎｍ、９００ｎｍ、９２５ｎｍ、９５０ｎｍ、９７５ｎｍ、もしくは１０００ｎｍ）、または上記波長のうちいずれか２つの間にある任意の波長で定義される範囲の波長を順次用いて対象を照射し、それぞれの波長で対象を捕捉した１以上の画像を得ることができる。
【０４８９】
図７０Ａ、７０Ｂ、および７１は、本明細書に記載の画像データを得るために使用することのできる光ファイバーシステムの例である。図７０Ａに示すように、光ファイバープローブ７０００は、集光ファイバー７０１０の周囲に複数の発光ファイバー７００５を含みうる。発光ファイバー７００５のそれぞれは、重なり合う複数の領域７０１５のうち１つを照射することができる。発光ファイバー７００５から放射された光は、対象の組織に反射され、一様に照射された領域７０２０から、集光ファイバー７０１０によって収集される。いくつかの実施形態において、発光ファイバーを制御して、４００ｎｍ〜１１００ｎｍの間にある１０００の異なる波長のうち１つを順次放出させることができ、集光ファイバー７０１０が受信した信号を使用して、放出された波長で照射された組織の画像を生成することができる。
【０４９０】
いくつかの実施形態において、プローブ７０００は、反射測定および後方散乱測定のための同軸光源を備えた光ファイバー分光計であってもよい。このプローブは、シース（図示せず）を用いて周囲光を遮り、放出された波長のみで組織が撮像されるよう構成されていてもよく、これにより、周囲光および選択された放出波長の両方で照射された組織よりも、正確な分類を行うことができる。
【０４９１】
図７１に示すように、プローブ７１００は、発光および検出を担う端部７１１０を有する第１のケーブル７１０５を含みうる。発光および検出を担う端部７１１０は、集光ファイバー７１２５の周囲に複数の発光ファイバー７１１５を含みうる。発光ファイバー７１１５は、第１のケーブル７１０５を通った後、分岐から第２のケーブル７１４０へと入る。その断面７１４５は、コア７１２０の周囲に発光ファイバー７１１５を含む様子が示されている。この多心ファイバーケーブル７１４０は、第１のケーブル７１０５の発光および検出を担う端部７１１０に所望の波長の光を提供するために、第２のケーブル７１４０を通じて光源に連結されていてもよい。光検出ファイバー７１２５は、第１のケーブル７１０５を通った後、分岐から第３のケーブル７１３０へと入る。その断面７１３５は、光検出ファイバー７１２５のみを含む様子が示されている。この単心の第３のケーブル７１３０は、光検出ファイバー７１２５からの信号を、画像データを捕捉するよう構成された画像センサー（例えば、ＣＭＯＳまたはＣＣＤ画像センサー）または分光計に提供することができる。ファイバーコアのサイズは、２００〜６００μｍの範囲にあり、例えば、２００μｍ、２５０μｍ、３００μｍ、３５０μｍ、４００μｍ、４５０μｍ、５００μｍ、５５０μｍ、もしくは６００μｍ、または上記波長のうちいずれか２つによって定義される範囲内の波長であってよい。
【０４９２】
図７２に、可視および近赤外（ＮＩＲ）領域において拡散反射スペクトル（ＤＲＳ）データを収集するための、５つの例示的試験時点における複数のプローブ位置を示す。第１の試験時点７２００Ａは受傷前の状態に相当し、第２の試験時点７２００Ｂは、対象が２つの熱傷７２１０Ａ、７２１０Ｂを有する受傷後の状態に相当し、第３の時点７２００Ｃは１回目の切除後の対象の状態に相当し、第４の時点７２００Ｄは２回目の切除後の対象の状態に相当し、第５の時点７２００Ｅは３回目の切除後の対象の状態に相当する。切除はそれぞれ約１．０ｍｍの皮膚の層を除去するものであり、これを連続して３．０ｍｍの深さまで除去する。図７２はさらに、健康な皮膚における３つのプローブ位置７２０５Ａ、７２０５Ｂ、７２０５Ｃ、熱傷における１つのプローブ位置７２１５、および創傷床（皮膚の切除領域内）における３つのプローブ位置７２２０Ａ、７２２０Ｂ、７２２０Ｃを示す。
【０４９３】
図７２Ａに示す実験設定では、合計１２の熱傷領域を使用してデータを収集した。図７０Ａ、７０Ｂ、および７１に示したものと類似のプローブを、皮膚表面から約１．０ｃｍの位置に配置した。また、皮膚の測定領域は、半径約０．５ｃｍの円形領域であり、測定部位は周囲光から遮蔽されるようにした。合計７６のＤＲＳ測定を行った：プローブ位置７２１５における深達性中間層熱傷それぞれから１、プローブ位置７２０５Ａ、７２０５Ｂ、７２０５Ｃにおける熱傷を囲むよう隣接する皮膚から３、またプローブ位置７２２０Ａ、７２２０Ｂ、７２２０Ｃにおける皮膚切除後の健康な創傷床から３であった。
【０４９４】
本明細書に記載の技術を実施する治療を受ける患者において、７２００Ｂの状態で示したようなプローブ位置を最初の組織分類に使用することができる。例えば、熱傷組織と健康な皮膚を分類するために、またいくつかの実施形態では、熱傷組織における熱傷の程度を特定するために、使用することができる。別の実施形態では、例えば異なる熱傷領域の重症度を分類するために、より多くのプローブ位置を使用することができる。医師や自動システムは、このような分類に基づいて、治癒を促進するために熱傷組織領域の周囲で行われる切除の回数を含む治療計画を決定してもよい。
【０４９５】
本明細書に記載の技術を実施する治療を受ける患者において、７２００Ｃ〜７２００Ｅの状態で示したようなプローブ位置を、治療中の組織を分類するために使用することができる。例えば、熱傷組織と切除あるいは壊死組織除去された組織とを識別するために、またいくつかの実施形態では、熱傷組織における熱傷の程度を特定するために、使用することができる。別の実施形態では、例えば異なる熱傷領域の重症度を分類するために、より多くのプローブ位置を使用することができる。７２００Ｃ〜７２００Ｅの状態で示されるように、組織を深いレベルまで切除するにつれ、熱傷組織は視認され難くなる。これは熱傷組織の重症度の低減に対応している可能性があり、そのような低減は、熱傷組織の一部および切除された組織の一部の上に位置するプローブからデータを収集することにより検出できる。医師や自動システムは、このようにして切除ごとに行われる熱傷の重症度の分類に基づいて、治癒を促進するために必要であれば熱傷組織領域の周囲で行われるさらなる切除の回数を含む治療計画を決定してもよい。
【０４９６】
結果として収集されたデータから、可視領域およびＮＩＲ領域において、熱傷切除術の途中で見出される熱傷と健康な組織とは顕著に異なること、および臨床的に重要なこれら３種類の組織を識別するための適切な情報がＤＲＳによって得られることが示された。ＤＲＳのデータの収集は、上記の試験用プローブ位置ごとに、熱傷切除の動物モデルにおける３種類の組織、すなわち深達性中間層熱傷、無傷の健康な皮膚、および露出した生存創傷床組織から、所定の時点に行われた。結果として得られたデータから、組織の種類によってＤＲＳに顕著な差があることが明らかになり、この外科的処置においてこれらの組織の特定に有効であろう可視およびＮＩＲスペクトルの領域が示された。
【０４９７】
図７３は、熱傷組織７３０５、健康な皮膚７３１０、および創傷床組織７３１５からの平均拡散反射スペクトルを、４００ｎｍ〜１１００ｎｍの波長と反射との関数として示すグラフ７３００である。組織からの反射の明るさに応じて、反射率値も高くなっている。スペクトル曲線７３０５、７３１０、７３１５のピークが示すように、熱傷、健康な皮膚、および創傷床組織のＤＲＳのいずれにおいても、反射率値が最も高くなるのは約６２５ｎｍである。また、３種類の組織のいずれにおいても、５２５ｎｍおよび５７５ｎｍに２次的なピークが存在する。熱傷および健康な皮膚組織は多くの光を反射するが、創傷床組織による反射は少ない。これは予想通りである。というのは、この実験設定において、対象であるブタの皮膚には濃い色素が存在せず、また、熱傷によって皮膚表面に色の明るい部分が生じたからである。これらのピーク値は、対象の皮膚の色素が異なれば、シフトする可能性がある。創傷床組織では、外科的切除により損傷して露出した毛細血管から出た血液が表面に存在するため、反射は少ない。
【０４９８】
グラフ７３００のデータを統計的手法を使用して処理することにより、図７４および７５に示すように、組織の種類によって光の反射が顕著に異なる波長を特定することができる。有意性検定を行う前に、グラフ７３００を生成するために使用した、図７２に示す実験設定から得たデータを分割して２つの別個のデータセットとしてもよい。熱傷組織のスペクトル曲線７３０５および健康な皮膚のスペクトル曲線７３１０を生成するために使用したデータを含むデータセット１は、外科医が熱傷を切除すべきか否かの決定を下す際に存在しうる組織を代表するものである。データセット１は、状態７２００Ｂと類似した状態にある患者から医師が得ることのできる熱傷および健康な皮膚のデータを含む。熱傷組織のスペクトル曲線７３０５および創傷床のスペクトル曲線７３１５を生成するために使用したデータを含むデータセット２は、手術中の外科医が露出した創傷床と創傷床に残っている熱傷とを識別する際に必要とするデータを代表するものである。データセット２は、状態７２００Ｃ〜７２００Ｅと類似した状態にある患者から医師が得ることのできる熱傷および創傷床のデータを含む。
【０４９９】
図７４は、波長とＰ値との関係を、熱傷と健康な皮膚とを比較して示すグラフ７４００である。このグラフ７４００は、試験した波長における、熱傷組織のスペクトル曲線７３０５と健康な皮膚のスペクトル曲線７３１０を生成するために使用したデータの差を示すものである。Ｐ値は０と１との間にあり、スペクトル曲線７３０５を生成するために使用したデータとスペクトル曲線７３１０を生成するために使用したデータとの差が大きくなるほど小さな値となる。値が大きいほど差は小さいことになり、０．０５より小さい値を有意とみなす。グラフ７４００のＰ値を得るために、スペクトル曲線７３０５および７３１０を生成するために使用したデータの各波長におけるｔ統計量を計算することによって多重比較を行った。
【０５００】
線７４０５は、有意水準０．０５を表し、多重比較による誤差の制御を何ら行わないものである。線７４１０は、０．０５／検定数におけるαを表す。これはファミリーワイズエラー率のための保守的なボンフェローニの補正である。グラフ７４００において線７４０５より上にあるＰ値は有意でないと考えられ、グラフ７４００において線７４１０より下にあるＰ値は有意であると考えられる。線７４０５と線７４１０との間の領域７４１５にあるＰ値については、さらなる処理を行うことによって有意性を特定できる。例えば、これらの値を昇順に並べ、次いで、Ｐ値が大きくなるほどパスしやすい指標によって有意水準を判定する処理に付されてもよい。これについては、図７６Ａおよび７６Ｂに関してより詳細に説明する。
【０５０１】
グラフ７４００で表されるデータセット１に関して、熱傷と健康な皮膚との差が最も大きい波長は、線７４０５よりも下のＰ値が示すように、４７５ｎｍ〜５２５ｎｍ、４５０ｎｍ〜５００ｎｍ、および７００ｎｍ〜９２５ｎｍである。したがって、健康な皮膚と比較して熱傷組織を分類するために、本明細書に記載のマルチスペクトル撮像システムにおいて、互いに不連続な低い範囲および高い範囲、例えば４５０ｎｍ〜５２５ｎｍ、および７００ｎｍ〜９２５ｎｍ、または上記波長のうちいずれか２つの間にある任意の波長で定義される範囲にある波長を使用してもよい。
【０５０２】
図７５は、波長とＰ値との関係を、熱傷と創傷床とを比較して示すグラフ７５００である。これは、試験した波長における、熱傷組織のスペクトル曲線７３０５と創傷床のスペクトル曲線７３１５を生成するために使用したデータの差を示すものである。Ｐ値は０と１との間にあり、スペクトル曲線７３０５を生成するために使用したデータとスペクトル曲線７３１５を生成するために使用したデータとの差が大きくなるほど小さな値となる。値が大きいと差が小さく有意でないことになり、０．０５より小さい値を有意とみなす。グラフ７５００のＰ値を得るために、スペクトル曲線７３０５および７３１５を生成するために使用したデータの各波長におけるｔ統計量を計算することによって多重比較を行った。
【０５０３】
線７５０５は、有意水準０．０５を表し、多重比較による誤差の制御を何ら行わないものである。線７５１０は、０．０５／検定数におけるαを表す。これはファミリーワイズエラー率のための保守的なボンフェローニの補正である。グラフ７５００において線７５０５より上にあるＰ値は有意でないと考えられ、グラフ７５００において線７５１０より下にあるＰ値は有意であると考えられる。線７５０５と線７５１０との間の領域７５１５にあるＰ値については、さらなる処理を行うことによって有意性を特定できる。例えば、これらの値を昇順に並べ、次いで、Ｐ値が大きくなるほどパスしやすい指標によって有意水準を判定する処理に付されてもよい。これについては、図７７Ａおよび７７Ｂに関してより詳細に説明する。
【０５０４】
グラフ７５００で表されるデータセット２に関して、熱傷と健康な皮膚との差が最も大きい波長は、線７５０５よりも下のＰ値が示すように、４００ｎｍ〜４５０ｎｍ、５２５ｎｍ〜５８０ｎｍ、および６１０ｎｍ〜１０５０ｎｍである。したがって、健康な皮膚と比較して熱傷組織を分類するために、本明細書に記載のマルチスペクトル撮像システムにおいて、互いに不連続な低い範囲および高い範囲、例えば４００ｎｍ〜４５０ｎｍ、５２５ｎｍ〜５８０ｎｍ、および６１０ｎｍ〜１０５０ｎｍ、または上記波長のうちいずれか２つの間にある任意の波長で定義される範囲にある波長を使用してもよい。
【０５０５】
線７４０５および７５０５よりも下にあるＰ値を特定するための、グラフ７４００および７５００の解析結果は、多重ｔ検定を行うことによって高確率で生じる第２種過誤を考慮していないため、保守的であると考えられる。したがって、中間領域７４１５および７５１５にあるＰ値については、さらなる処理を適用することによって有意性を特定できる。例えば、中間領域７４１５および７５１５における第２種過誤の可能性を補正するために、Ｂｅｎｊａｍｉｎｉ−Ｈｏｃｈｂｅｒｇ法を使用してＦａｌｓｅ  Ｄｉｓｃｏｖｅｒｙ  Ｒａｔｅを制御することができる。Ｂｅｎｊａｍｉｎｉ−Ｈｏｃｈｂｅｒｇ法は、有意水準（α）を段階的に線形増加させるものである。Ｂｅｎｊａｍｉｎｉ−Ｈｏｃｈｂｅｒｇ法を実施するには、中間領域７４１５および７５１５それぞれのＰ値を、最初に昇順に配置する。次いで、ｔ検定それぞれのαに、以下の修正を適用する。
αｉ＝α０×ｉ／ｍ
αｉはｔ検定ｉのための有意水準であり、α０は選択された有意水準、ここでは０．０５であり、ｉは昇順のリスト中の特定のｐ値の指標であり、ｍはｐ値の総数であり、この実験設定では２０４８であった。第１および第２のデータセットについてこの計算を行った結果を、それぞれ図７６Ａ−７６Ｂおよび７７Ａ−７７Ｂに示す。
【０５０６】
図７６Ａ、７６Ｂは、昇順で配置された第１のデータセットから得られたＰ値７６１０を、修正を加えたＰ値の有意水準７６１５とともに示すグラフ７６００、７６０５である。グラフ７６００は、領域７４１５内にあるすべてのＰ値を表示したグラフであり、グラフ７６０５は、グラフ７６００の一部を拡大したものであり、０〜１０００の範囲で有意なＰ値のみを表示している。
【０５０７】
図７７Ａ、７７Ｂは、昇順で配置された第１のデータセットから得られたＰ値７７１０を、修正を加えたＰ値の有意水準７７１５とともに示すグラフ７７００、７７０５である。グラフ７７００は、領域７５１５内にあるすべてのＰ値を表示したグラフであり、グラフ７５０５は、グラフ７５００の一部を拡大したものであり、０〜１０００の範囲で有意なＰ値のみを表示している。
【０５０８】
実験設定から決められた有意値に基づくと、熱傷組織の分類に使用されるマルチスペクトル撮像システムは、互いに不連続な低い範囲および高い範囲、例えば４００ｎｍ〜５００ｎｍおよび７２０ｎｍ〜１０００ｎｍ、または上記波長のうちいずれか２つの間にある任意の波長で定義される範囲にある波長を使用できる。例えば、図７０Ａ、７０Ｂ、および７１に示したようなプローブは、例えば４００ｎｍ〜５００ｎｍおよび７２０ｎｍ〜１０００ｎｍ、または上記波長のうちいずれか２つの間にある任意の波長で定義される範囲にある複数の波長を放出するよう構成することができる。いくつかの実施形態では、そのような波長領域は、記載の実験設定に類似した皮膚色素の領域にわたる組織の分類に適している可能性があり、また、開示されたものとは異なる一連の領域は、皮膚色素がより明るかったり暗かったりする場合の組織の分類に使用することができる。異なる領域セットは、目的の組織（例えば、熱傷組織または創傷床組織）から受信したスペクトルと、健康な組織から受信したスペクトルの分離に基づいて特定することができる。
システムの実装および用語
【０５０９】
本明細書で開示される実施形態は、対象の組織を特定、評価、および／または分類するためのシステム、方法、および装置を提供する。当業者であれば、このような代替物を、ハードウェア、ソフトウェア、ファームウェア、またはこれらの任意の組み合わせにおいて実施できることを理解するであろう。
【０５１０】
上記の実験のいずれにおいても、特定の態様、代替形態、または実施例に関して記載された特徴、材料、特性、または群は、両立が不可能な場合を除いて、本明細書に記載された別の態様、代替形態、または実施例に適用可能であると理解されるべきである。本明細書（添付の特許請求の範囲、要約書および図面を含む）に開示された特徴および／または開示された方法もしくはプロセスのステップはいずれも、そのような特徴および／またはステップの少なくともいくつかが互いに排他的である組み合わせを除く任意の組み合わせとすることができる。保護対象は、上記の代替形態の詳細に限定されない。保護対象は、本明細書（添付の特許請求の範囲、要約書、および図面を含む）に開示された特徴の中の任意の新規な特徴または任意の新規な特徴の組み合わせに及び、また、本明細書に開示された任意の方法またはプロセスの任意の新規なステップまたは任意の新規なステップの組み合わせに及ぶ。
【０５１１】
特定の代替形態が記載されているが、これらの代替形態は単なる一例として提示されたものであり、保護範囲の限定を意図するものではない。実際、本明細書に記載の新規な方法およびシステムは、他の様々な形態で具体化されてもよい。さらに、本明細書に記載された方法およびシステムの形態には、様々な省略、置換、および変更がなされてもよい。いくつかの代替案では、説明および／または開示されたプロセスの実際のステップが、図示されたものと異なる場合があることを、当業者であれば理解するであろう。代替形態に応じて、上記のステップのうち特定のいくつかを削除してもよく、別のステップを追加してもよい。さらに、本明細書で開示された特定の代替形態の特徴および属性は、異なる方法で組み合わせられてさらなる代替形態を形成してもよく、それらはすべて本明細書の開示の範囲内にある。
【０５１２】
本明細書の要素を「第１の」、「第２の」のように指定したとしても、それらの要素の数量や順序を一般に限定するわけではない。本明細書において、このような指定は、２つ以上の要素または１つ以上の要素の２つ以上の例を区別する簡便な方法として使用されている。したがって、第１の要素および第２の要素に言及したとしても、そこで使用される要素が２つのみであることや、第１の要素が何らかの方法で第２の要素に先行する必要があることを意味するわけではない。また、別段の記載がない限り、要素のセットは、１つ以上の要素を含むことができる。
【０５１３】
当業者であれば、情報や信号は、様々な異なる科学技術や手法のうち任意の技術または手法を用いて表現可能であることを理解するであろう。例えば、上記の説明を通して参照されるデータ、命令、コマンド、情報、信号、ビット、シンボル、およびチップは、電圧、電流、電磁波、磁場もしくは磁性粒子、光場もしくは光学粒子、またはこれらの任意の組み合わせによって表すことができる。
【０５１４】
当業者であれば、本明細書で開示される態様に関連して記載された様々な例示、モジュール、プロセッサ、手段、回路、およびアルゴリズムステップはいずれも、電子ハードウェア（例えば、ソースコーディングまたは他の技術を用いて設計されていてもよい、デジタル実装、アナログ実装、またはこれら２つの組み合わせ）、命令を組み込んだプログラムもしくは設計コードの様々な形態（本明細書では、便宜上、「ソフトウェア」または「ソフトウェアモジュール」と呼ぶこともある）、または両者の組み合わせとして実装されうることを理解するであろう。ハードウェアとソフトウェアとのこの互換性を明確に説明するために、種々の例示的なコンポーネント、ブロック、モジュール、回路、およびステップについて、それらの機能に関して説明してきた。そのような機能がハードウェアとして実装されるかソフトウェアとして実装されるかは、特定のアプリケーションおよび設計によりシステム全体にかかる制約に依存する。当業者であれば、記載の機能をアプリケーションごとに様々な方法で実装することができるが、そのような実装の決定は、本明細書の開示の範囲から逸脱するものと解釈されるべきではない。
【０５１５】
本明細書において、図面に関連して開示し、説明した態様に関連して説明した種々の例示的な論理、コンポーネント、モジュール、および回路は、集積回路（ＩＣ）、アクセス端末、またはアクセスポイント内に実装されてもよく、それらの内部で実行されてもよい。ＩＣは、本明細書に開示された機能を実行するよう設計された汎用プロセッサ、デジタル信号プロセッサ（ＤＳＰ）、特定用途向け集積回路（ＡＳＩＣ）、フィールドプログラマブルゲートアレイ（ＦＰＧＡ）、もしくは他のプログラマブルロジックデバイス、ディスクリートゲート、もしくはトランジスタロジック、ディスクリートハードウェアコンポーネント、電子コンポーネント、光学コンポーネント、機械コンポーネント、またはそれらの組み合わせを含んでいてもよく、当該ＩＣ内、ＩＣ外、または内外いずれにも存在するコードまたは命令を実行するものであってよい。論理ブロック、モジュール、および回路は、ネットワーク内または装置内の様々なコンポーネントと通信するためのアンテナおよび／またはトランシーバを含むことができる。汎用プロセッサは、マイクロプロセッサであってもよいが、代替として、任意の従来型のプロセッサ、コントローラ、マイクロコントローラ、またはステートマシーンであってもよい。プロセッサはまた、複数のコンピュータデバイスの組み合わせ、例えば、ＤＳＰとマイクロプロセッサとの組み合わせ、複数のマイクロプロセッサの組み合わせ、１以上のマイクロプロセッサとＤＳＰコアとの組み合わせ、または類似の別の構成として実装されてもよい。モジュールの機能は、本明細書で教示される何らかの別の方法で実施されてもよい。本明細書に（例えば、添付図面の１以上に関して）記載される機能は、いくつかの態様において、添付の特許請求の範囲において機能に替えて「手段」とすることもできる。
【０５１６】
ソフトウェアに実装される場合、機能は、コンピュータ可読媒体上の１以上の命令またはコードとして保存または伝送されてもよい。本明細書に開示される方法またはアルゴリズムのステップは、コンピュータ可読媒体上に存在してもよくかつプロセッサでの実行が可能なソフトウェアモジュール内に実装されてもよい。コンピュータ可読媒体は、コンピュータの記憶媒体と、コンピュータプログラムを１つの場所から別の場所へ転送することの可能な任意の媒体を含む通信媒体とを、いずれも包含する。記憶媒体は、コンピュータによってアクセスされうる、利用可能な任意の媒体であってよい。そのようなコンピュータ可読媒体は、ＲＡＭ、ＲＯＭ、ＥＥＰＲＯＭ、ＣＤ−ＲＯＭ、もしくは他の光ディスク記憶装置、磁気ディスク記憶装置、もしくは他の磁気記憶装置、または、コンピュータによるアクセスが可能であり、かつ命令またはデータ構造の形態にある所望のプログラムコードを保存するための使用が可能な任意の別の媒体を含んでもよいが、これらは例示であり、限定ではない。また、任意の接続を、コンピュータ可読媒体と適切に称してもよい。本明細書で使用するディスク（ｄｉｓｋ）およびディスク（ｄｉｓｃ）は、コンパクトディスク（ｄｉｓｃ）（ＣＤ）、レーザーディスク（ｄｉｓｃ）、光ディスク（ｄｉｓｃ）、デジタルバーサタイルディスク（ｄｉｓｃ）（ＤＶＤ）、フロッピーディスク（ｄｉｓｋ）およびブルーレイディスク（ｄｉｓｃ）を含むが、これらのディスク（ｄｉｓｃ）はレーザーを用いてデータを光学的に再生するものであり、一方ディスク（ｄｉｓｋ）は、通常、データを磁気的に再生するものである。上記の組み合わせもまた、コンピュータ可読媒体の範囲に含まれるべきである。加えて、方法またはアルゴリズムのオペレーションは、コードおよび命令のうちの１つまたは任意の組み合わせまたはセットとして、コンピュータプログラム製品に組み込まれていてもよい機械可読媒体およびコンピュータ可読媒体上に存在してもよい。
【０５１７】
開示の任意のプロセスにおいて複数のステップが特定の順序または階層で記載されていたとしても、そのような順序や階層は、サンプルアプローチの一例であることが理解される。設計嗜好に基づいて、本明細書の開示の範囲内にとどまりながら、プロセスにおけるステップの特定の順序または階層を再構成できることが理解される。添付の、方法の請求項は、様々なステップの要素を例示的な順序で提示するが、提示された特定の順序または階層への限定を意味するものではない。
【０５１８】
本開示で説明した実施形態に対する様々な変更は、当業者には容易かつ明らかであり、本明細書で定義される一般的な原理は、本明細書の開示の精神および範囲から逸脱することなく、別の実施形態に適用されうる。したがって、本開示は、ここに示された実施態様への限定を意図するものではなく、開示された請求項、原理および新規な特徴に相応する最も広い範囲を許容するものである。
【０５１９】
本明細書の別個の実施形態の文脈に記載される複数の特徴を組み合わせて、単一の実施形態で実施することもできる。逆に、単一の実施形態の文脈に記載されている様々な特徴を、複数の実施形態で別個に、または任意適切なサブコンビネーションとして実施することもできる。さらに、特徴が、特定の組み合わせで作用するものとして記載されていたり、当初の請求の範囲にそのように記載されていたとしても、場合によっては、請求の範囲に記載された組み合わせから１以上の特徴を切り出すことができ、また請求の範囲に記載された組み合わせをサブコンビネーションまたはサブコンビネーションのバリエーションとしてもよい。
【０５２０】
同様に、オペレーションは、図面には特定の順序で示されているが、所望の結果を得るためには、そのようなオペレーションを示された順序で順次に実行したり、図示したオペレーションのすべてを実行したりする必要があると理解されるべきではない。特定の状況では、マルチタスク処理や並列処理が有利な場合もある。さらに、上記の実施形態における様々なシステムコンポーネントの分離は、あらゆる実施形態においてそのような分離を要するものと理解されるべきではなく、記載のプログラムコンポーネントやシステムは、一般に、単一のソフトウェア製品内に一体化されたり、複数のソフトウェア製品にパッケージされてもよいと理解されるべきである。さらに、別の実施形態もまた、以下の請求項の範囲内にある。場合によっては、請求項に列挙された動作を異なる順序で実行しながら、なお所望の結果を得ることもできる。
【０５２１】
本明細書の開示は、特定の代替形態、実施例、および用途を含むが、当業者であれば、本明細書の開示は、具体的に開示された代替形態を超えて、別の代替的な代替形態および／または使用、明らかな改変物およびそれらの均等物に及び、ここに記載されている機能と利点のすべてを提供するものではない代替物をも含むことを理解するであろう。したがって、本開示の範囲は、ここに示される好ましい代替形態の具体的な開示によって限定されることを意図するものではなく、ここに提示する請求項または将来提示される請求項によって定義されるものであってよい。例えば、ここに提示される任意の請求項に加えて、以降の代替形態もまた本開示の範囲内に包含されることが意図される。
【０５２２】
先の説明では、実施例を完全に理解するために具体的な詳細が示されている。しかしながら、当業者であれば、そのような実施例は、記載の具体的な詳細がなくとも実施可能であることを理解するであろう。例えば、電気的構成要素／デバイスをブロック図で示すことで、不必要な詳細によって実施例が不明瞭になることを回避できる。別の例では、そのような構成要素、別の構造、および技術を詳細に示すことにより、実施例をさらに説明することができる。
【０５２３】
開示の実施形態に関する先の説明は、当業者による本発明の実施または使用を可能にするために提供される。これらの実施形態に対する様々な変更は、当業者には容易かつ明らかであり、本明細書で定義される一般的な原理は、本発明の精神または範囲から逸脱することなく他の実施形態にも適用され得る。したがって、本発明は、ここに示された実施態様への限定を意図するものではなく、開示された原理および新規な特徴に相応する最も広い範囲を許容するものである。
【図１Ａ】
2019502418.tif 000029
【図１Ｂ】
2019502418.tif 000030
【図２】
2019502418.tif 000031
【図３】
2019502418.tif 000032
【図４】
2019502418.tif 000033
【図５】
2019502418.tif 000034
【図６】
2019502418.tif 000035
【図７】
2019502418.tif 000036
【図８】
2019502418.tif 000037
【図９Ａ】
2019502418.tif 000038
【図９Ｂ】
2019502418.tif 000039
【図９Ｃ】
2019502418.tif 000040
【図９Ｄ】
2019502418.tif 000041
【図１０】
2019502418.tif 000042
【図１１】
2019502418.tif 000043
【図１２】
2019502418.tif 000044
【図１３】
2019502418.tif 000045
【図１４】
2019502418.tif 000046
【図１５】
2019502418.tif 000047
【図１６】
2019502418.tif 000048
【図１７】
2019502418.tif 000049
【図１８】
2019502418.tif 000050
【図１９】
2019502418.tif 000051
【図２０】
2019502418.tif 000052
【図２１】
2019502418.tif 000053
【図２２】
2019502418.tif 000054
【図２３】
2019502418.tif 000055
【図２４】
2019502418.tif 000056
【図２５】
2019502418.tif 000057
【図２６】
2019502418.tif 000058
【図２７Ａ】
2019502418.tif 000059
【図２７Ｂ】
2019502418.tif 000060
【図２７Ｃ】
2019502418.tif 000061
【図２７Ｄ】
2019502418.tif 000062
【図２７Ｅ】
2019502418.tif 000063
【図２８】
2019502418.tif 000064
【図２９】
2019502418.tif 000065
【図３０】
2019502418.tif 000066
【図３１】
2019502418.tif 000067
【図３２】
2019502418.tif 000068
【図３３】
2019502418.tif 000069
【図３４】
2019502418.tif 000070
【図３５】
2019502418.tif 000071
【図３６】
2019502418.tif 000072
【図３７】
2019502418.tif 000073
【図３８】
2019502418.tif 000074
【図３９】
2019502418.tif 000075
【図４０】
2019502418.tif 000076
【図４１】
2019502418.tif 000077
【図４２】
2019502418.tif 000078
【図４３】
2019502418.tif 000079
【図４４】
2019502418.tif 000080
【図４５】
2019502418.tif 000081
【図４６Ａ−Ｂ】
2019502418.tif 000082
【図４６Ｃ−Ｄ】
2019502418.tif 000083
【図４６Ｅ−Ｆ】
2019502418.tif 000084
【図４７Ａ−１】
2019502418.tif 000085
【図４７Ａ−２】
2019502418.tif 000086
【図４７Ａ−３】
2019502418.tif 000087
【図４７Ｂ−１】
2019502418.tif 000088
【図４７Ｂ−２】
2019502418.tif 000089
【図４７Ｂ−３】
2019502418.tif 000090
【図４８】
2019502418.tif 000091
【図４９】
2019502418.tif 000092
【図５０】
2019502418.tif 000093
【図５１】
2019502418.tif 000094
【図５２】
2019502418.tif 000095
【図５３】
2019502418.tif 000096
【図５４】
2019502418.tif 000097
【図５５】
2019502418.tif 000098
【図５６】
2019502418.tif 000099
【図５７】
2019502418.tif 000100
【図５８】
2019502418.tif 000101
【図５９】
2019502418.tif 000102
【図６０】
2019502418.tif 000103
【図６１】
2019502418.tif 000104
【図６２】
2019502418.tif 000105
【図６３Ａ】
2019502418.tif 000106
【図６３Ｂ】
2019502418.tif 000107
【図６３Ｃ】
2019502418.tif 000108
【図６３Ｄ】
2019502418.tif 000109
【図６３Ｅ】
2019502418.tif 000110
【図６３Ｆ】
2019502418.tif 000111
【図６４Ａ】
2019502418.tif 000112
【図６４Ｂ】
2019502418.tif 000113
【図６５】
2019502418.tif 000114
【図６６】
2019502418.tif 000115
【図６７Ａ−Ｂ】
2019502418.tif 000116
【図６７Ｃ−Ｄ】
2019502418.tif 000117
【図６７Ｅ−Ｆ】
2019502418.tif 000118
【図６７Ｇ−Ｈ】
2019502418.tif 000119
【図６７Ｉ−Ｊ】
2019502418.tif 000120
【図６７Ｋ−Ｌ】
2019502418.tif 000121
【図６８】
2019502418.tif 000122
【図６９】
2019502418.tif 000123
【図７０】
2019502418.tif 000124
【図７１】
2019502418.tif 000125
【図７２】
2019502418.tif 000126
【図７３】
2019502418.tif 000127
【図７４】
2019502418.tif 000128
【図７５】
2019502418.tif 000129
【図７６】
2019502418.tif 000130
【図７７】
2019502418.tif 000131
【国際調査報告】
2019502418.tif 000132